(57)【特許請求の範囲】
【請求項１】
表面に遊技制御用の電子部品およびコネクタが実装される制御基板と、当該制御基板を内部に収納するための基板ボックスと、を備えた遊技機において、
前記基板ボックスは、
前記制御基板を収納するための閉止空間を画成する第１ケース部材および第２ケース部材と、
前記第１ケース部材と前記第２ケース部材とを合体させて前記閉止空間を画成する閉止状態を保持したまま、前記第１ケース部材と前記第２ケース部材とを離反不能に結合することが可能な第１封止手段および第２封止手段と、を備え、
前記第１封止手段は、
前記閉止空間に収納された前記制御基板の側方に位置するように前記第１ケース部材に設けられる第１固着部と、
前記第１固着部に対応させて前記第２ケース部材に設けられ、当該第１固着部と重合する第２固着部と、を備え、
第１固着手段により、前記第１固着部と前記第２固着部を、重合した状態で固着し、
前記第２封止手段は、
前記閉止空間に収納された前記制御基板の、前記第１固着部が設けられている側とは異なる側の側方に位置するように前記第１ケース部材に設けられる第３固着部と、
前記第３固着部に対応させて前記第２ケース部材に設けられ、当該第３固着部と重合する第４固着部と、を備え、
第２固着手段により、前記第３固着部と前記第４固着部を、重合した状態で固着し、
前記第１固着部と前記第２固着部が重合する第１重合境界と、前記第３固着部と前記第４固着部が重合する第２重合境界は、同一平面上になく、重合方向にずれており、
前記第１ケース部材と前記第２ケース部材を封止するときは、前記第１封止手段および前記第２封止手段の両封止手段を同時に用いるものであって、
更に前記基板ボックスは、前記第１封止手段および前記第２封止手段によって封止された当該基板ボックスを開封した後に再度封止する第３封止手段を備え、
前記第３封止手段は、
前記閉止空間に収納された前記制御基板の、前記第１固着部が設けられている側と同じ側の側方に位置するように前記第１ケース部材に設けられる第５固着部と、
前記第５固着部に対応させて前記第２ケース部材に設けられ、当該第５固着部と重合する第６固着部と、を備え、
前記第１固着手段とは異なる第３固着手段により、前記第５固着部と前記第６固着部を、重合した状態で固着することを特徴とする遊技機。
【発明の詳細な説明】
【技術分野】
【０００１】
本発明は、制御基板を内部に収納するための基板ボックスを備えた遊技機に関する。
【背景技術】
【０００２】
従来の遊技機、例えばパチンコ遊技機やスロットマシンなどにおいては、遊技プログラムに基づいて遊技を制御する制御装置を備えており、当該制御装置により各種の被制御装置を制御して遊技を行うよう構成されている。
このような制御装置は、遊技プログラムが記憶された遊技用マイクロコンピュータ（例えば、ＣＰＵ、ＲＯＭ、ＲＡＭ等を１チップ化したアミューズチップを内蔵する制御デバイス等の演算処理装置）を含む各種電子部品を搭載した制御基板を、複数のケース部材（上蓋となる収納部材や下蓋となるベース部材）で構成される基板ボックス内に収納し、不正防止の観点からケース部材同士の接合部分（重合部分）に設けられた封止手段（所謂かしめ）をワンウェイねじ等の固着部材により固着することで、封止手段を破壊しなければ基板ボックスを開封（開放）できないように構成されている（例えば、特許文献１）。
【先行技術文献】
【特許文献】
【０００３】
【特許文献１】特開２００５−２５３７３５号公報
【発明の概要】
【発明が解決しようとする課題】
【０００４】
多数の遊技機が設置される遊技場では、不正行為によって不当な損失を被る場合がある。
【０００５】
しかしながら、従来の制御装置では、不正行為によって遊技店が不当な損失を被るという問題があった。
【０００６】
本発明は上記した問題点に鑑みてなされたものであり、不正行為によって遊技店が不当な損失を被るのを防止することが可能な制御装置を備えた遊技機を提供することを目的とする。
【課題を解決するための手段】
【０００７】
以上の課題を解決するため、請求項１に記載の発明は、
表面に遊技制御用の電子部品およびコネクタが実装される制御基板と、当該制御基板を内部に収納するための基板ボックスと、を備えた遊技機において、
前記基板ボックスは、
前記制御基板を収納するための閉止空間を画成する第１ケース部材および第２ケース部材と、
前記第１ケース部材と前記第２ケース部材とを合体させて前記閉止空間を画成する閉止状態を保持したまま、前記第１ケース部材と前記第２ケース部材とを離反不能に結合することが可能な第１封止手段および第２封止手段と、を備え、
前記第１封止手段は、
前記閉止空間に収納された前記制御基板の側方に位置するように前記第１ケース部材に設けられる第１固着部と、
前記第１固着部に対応させて前記第２ケース部材に設けられ、当該第１固着部と重合する第２固着部と、を備え、
第１固着手段により、前記第１固着部と前記第２固着部を、重合した状態で固着し、
前記第２封止手段は、
前記閉止空間に収納された前記制御基板の、前記第１固着部が設けられている側とは異なる側の側方に位置するように前記第１ケース部材に設けられる第３固着部と、
前記第３固着部に対応させて前記第２ケース部材に設けられ、当該第３固着部と重合する第４固着部と、を備え、
第２固着手段により、前記第３固着部と前記第４固着部を、重合した状態で固着し、
前記第１固着部と前記第２固着部が重合する第１重合境界と、前記第３固着部と前記第４固着部が重合する第２重合境界は、同一平面上になく、重合方向にずれており、
前記第１ケース部材と前記第２ケース部材を封止するときは、前記第１封止手段および前記第２封止手段の両封止手段を同時に用いるものであって、
更に前記基板ボックスは、前記第１封止手段および前記第２封止手段によって封止された当該基板ボックスを開封した後に再度封止する第３封止手段を備え、
前記第３封止手段は、
前記閉止空間に収納された前記制御基板の、前記第１固着部が設けられている側と同じ側の側方に位置するように前記第１ケース部材に設けられる第５固着部と、
前記第５固着部に対応させて前記第２ケース部材に設けられ、当該第５固着部と重合する第６固着部と、を備え、
前記第１固着手段とは異なる第３固着手段により、前記第５固着部と前記第６固着部を、重合した状態で固着することを特徴とする。
【発明の効果】
【０００９】
本発明によれば、不正行為によって遊技店が不当な損失を被るのを防止することができる。
【図面の簡単な説明】
【００１０】
【図１】本発明に係る遊技機の一実施形態を示す斜視図である。
【図２】図１の遊技機の背面図である。
【図３】遊技制御装置の上面側から見た斜視図である。
【図４】遊技制御装置の上面側から見た分解斜視図である。
【図５】（ａ）第１ケース部材を上面側から見た斜視図、（ｂ）第１ケース部材を下面側から見た斜視図である。
【図６】（ａ）第１ケース部材を上面側から見た断面図であり、右第１固着部及び右側の第１溶着受部の近傍を拡大した図、（ｂ）第１ケース部材を上面側から見た断面図であり、左第１固着部及び左側の第１溶着受部の近傍を拡大した図である。
【図７】（ａ）第１ケース部材を上面側から見た斜視図であり、露出用切欠部の近傍を拡大した図、（ｂ）第１ケース部材を後側面側から見た断面図であり、露出用切欠部の近傍を拡大した図である。
【図８】（ａ）第２ケース部材を上面側から見た斜視図、（ｂ）第２ケース部材を下面側から見た斜視図である。
【図９】（ａ）第２ケース部材を上面側から見た断面図であり、右第２固着部及び右側の第２溶着受部の近傍を拡大した図、（ｂ）第２ケース部材を上面側から見た断面図であり、左第２固着部及び左側の第２溶着受部の近傍を拡大した図である。
【図１０】（ａ）第２ケース部材を上面側から見た斜視図であり、囲繞カバー部の近傍を拡大した図（ｂ）第２ケース部材を後側面側から見た断面図であり、囲繞カバー部の近傍を拡大した図、（ｃ）第２ケース部材を右側面側から見た断面図である。
【図１１】（ａ）第２ケース部材を下面側から見た斜視図であり、コネクタ用開口の近傍を拡大した図、（ｂ）第２ケース部材を右側面側から見た断面図であり、コネクタ用開口の近傍を拡大した図、（ｃ）第２ケース部材を前側面側から見た断面図であり、コネクタ用開口の近傍を拡大した図である。
【図１２】（ａ）第２ケース部材を前面側から見た斜視図であり、第２溶着受部の近傍を拡大した図、（ｂ）溶着部材を上面側から見た斜視図、（ｃ）溶着部材を下面側から見た斜視図である。
【図１３】（ａ）保護カバー部材を左側面側から見た斜視図、（ｂ）保護カバー部材を左側面側から見た断面斜視図である。
【図１４】（ａ）電子タグシールを表面側から見た図、（ｂ）電子タグシールを裏面側から見た図、（ｃ）電子タグシールの分解斜視図である。
【図１５】遊技制御基板を上面側から見た斜視図である。
【図１６】（ａ）遊技制御基板を上面側右方から見た斜視図であり、制御デバイスの近傍を拡大した図、（ｂ）遊技制御基板を上面側左方から見た斜視図であり、制御デバイスの近傍を拡大した図である。
【図１７】（ａ）端子カバー部材を上面側から見た斜視図、（ｂ）端子カバー部材を下面側から見た斜視図である。
【図１８】（ａ）コネクタに対する端子カバー部材の取り付けを説明するための図、（ｂ）コネクタに端子カバー部材を取り付けた状態を示す図である。
【図１９】（ａ）第２ケース部材に対する遊技制御基板の取り付けを説明するための図、（ｂ）第２ケース部材に遊技制御基板を取り付けた状態を示す図である。
【図２０】（ａ）第２ケース部材に遊技制御基板を取り付けた状態を後側面側から見た断面図であり、コネクタの近傍を拡大した図、（ｂ）第２ケース部材に遊技制御基板を取り付けた状態を後側面側から見た断面図であり、制御デバイスの近傍を拡大した図である。
【図２１】第１ケース部材に対する第２ケース部材のスライド挿入と、第１ケース部材と第２ケース部材との結合と、を説明するための図である。
【図２２】（ａ）遊技制御装置を上面側から見た斜視図であり、左側端封止手段及び右側端封止手段の近傍を拡大した図、（ｂ）遊技制御装置を下面側から見た斜視図であり、右側端封止手段の近傍を拡大した図である。
【図２３】（ａ）貼着領域に対する電子タグシールの貼着と、右側端封止手段に対する保護カバー部材の取り付けと、を説明するための図、（ｂ）右側端封止手段に保護カバー部材を取り付けた状態を示す図である。
【図２４】（ａ）遊技制御装置を右側面側から見た断面図、（ｂ）遊技制御装置を後側面側から見た断面図であり、制御デバイスの近傍を拡大した図である。
【図２５】（ａ）遊技制御装置を右側面側から見た断面図であり、コネクタ用開口の近傍を拡大した図、（ｂ）遊技制御装置を右側面側から見た断面図であり、コネクタ用開口の近傍をさらに拡大した図である。
【図２６】遊技制御装置を上面側から見た断面図であり、左側端封止手段及び右側端封止手段の近傍を拡大した図である。
【図２７】遊技制御装置を右側面側から見た断面図であり、溶着封止手段の近傍を拡大した図である。
【図２８】本発明に係る遊技機の裏面に設けられる制御システム及び遊技制御装置の構成例を示すブロック図である。
【図２９】第２実施形態における遊技制御基板を上面側前方から見た斜視図である。
【図３０】（ａ）図２９の遊技制御基板の基板間コネクタを構成する第１コネクタと第２コネクタとの嵌合が外れた状態を示す図、（ｂ）第１コネクタと第２コネクタとが嵌合した状態を示す図である。
【図３１】図２９の遊技制御基板の平面図（上面図）である。
【図３２】図２９の遊技制御基板を上面側右方から見た斜視図である。
【図３３】第２実施形態における第２ケース部材を上面側から見た斜視図である。
【図３４】（ａ）図３３の第２ケース部材を上面側前方から見た斜視図であり、取り外し規制係合部の近傍を拡大した図、（ｂ）図３３の第２ケース部材を上面側後方から見た斜視図であり、取り外し規制係合部の近傍を拡大した図である。
【図３５】図３３の第２ケース部材に遊技制御基板を取り付けた状態を示す図であり、取り外し規制係合部の近傍を拡大した図である。
【図３６】（ａ）図３３の第２ケース部材に遊技制御基板を取り付けた状態を右側面側から見た断面図であり、規制爪の近傍を拡大した図、（ｂ）図３３の第２ケース部材に遊技制御基板を取り付けた状態を前側面側から見た断面図であり、外れ規制部の近傍を拡大した図である。
【図３７】第２実施形態の遊技制御装置を上面側見た斜視図であり、制御デバイスの印字面や遊技制御基板の表面のうちの重要回路領域が露出するよう当該遊技制御基板を切った断面を示す図である。
【発明を実施するための形態】
【００１１】
以下、本発明の好適な実施の形態を図面に基づいて説明する。
図１は、本発明の一実施形態の遊技機の説明図である。
【００１２】
〔第１実施形態〕
本実施形態の遊技機１０は前面枠１２を備え、当該前面枠１２は本体枠（外枠）１１にヒンジ１３を介して開閉回動可能に組み付けられている。遊技盤３０は前面枠１２の表側に形成された収納部（図示省略）に収納されている。また、前面枠（内枠）１２には、遊技盤３０の前面を覆うカバーガラス（透明部材）１４を備えたガラス枠１５が取り付けられている。
【００１３】
また、ガラス枠１５の上部には、内部にランプ及びモータを内蔵した照明装置（ムービングライト）１６や払出異常報知用のランプ（ＬＥＤ）１７が設けられている。また、ガラス枠１５の左右には内部にランプ等を内蔵し装飾や演出のための発光をする枠装飾装置１８や、音響（例えば、効果音）を発するスピーカ（上スピーカ）１９ａが設けられている。さらに、前面枠１２の下部にもスピーカ（下スピーカ）１９ｂが設けられている。
【００１４】
また、前面枠１２の下部には、図示しない打球発射装置に遊技球を供給する上皿２１、遊技機１０の裏面側に設けられている球払出装置５４から払い出された遊技球が流出する上皿球出口２２、上皿２１が一杯になった状態で払い出された遊技球を貯留する下皿２３及び打球発射装置の操作部２４等が設けられている。さらに、上皿２１の上縁部には、遊技者からの操作入力を受け付けるための操作スイッチを内蔵した演出ボタン２５が設けられている。さらに、前面枠１２下部右側には、前面枠１２を開放したり施錠したりするための鍵２６が設けられている。
【００１５】
この実施形態の遊技機１０においては、遊技者が上記操作部２４を回動操作することによって、打球発射装置が、上皿２１から供給される遊技球を遊技盤３０前面の遊技領域に向かって発射する。また、遊技者が演出ボタン２５を操作することによって、表示装置（図示省略）における変動表示ゲーム（飾り特図変動表示ゲーム）において、遊技者の操作を介入させた演出等を行わせることができる。さらに、上皿２１上方のガラス枠１５の前面には、遊技者が隣接する球貸機から球貸しを受ける場合に操作する球貸ボタン２７、球貸機のカードユニットからプリペイドカードを排出させるために操作する排出ボタン２８ 、プリペイドカードの残高を表示する残高表示部（図示省略）等が設けられている。
【００１６】
図２には、遊技機１０の裏面の構造が示されている。
前面枠１２の裏面上部には、払出し前の遊技球を貯留する貯留タンク５１と、外部への情報（例えば、図柄確定信号、大当り信号、確率変動信号、賞球信号、貸球信号等）を出力する外部情報端子板４１と、が設けられている。また、貯留タンク５１の底部には、緩やかな傾斜を有し遊技球を遊技機１０の一側へ向けて誘導するシュート５２が接続され、シュート５２の終端には、遊技球の流下方向を水平方向から垂直方向へと変換する屈曲流路装置５３が接続されている。そして、この屈曲流路装置５３の下端に駆動源を有する球払出装置５４が配設され、この球払出装置５４によって所定数の遊技球を払出し可能に構成されている。
【００１７】
さらに、前面枠１２の裏面中央部には、表示装置（画像表示装置）における変動表示ゲームの演出の制御を行う演出制御装置８０と、演出制御装置８０等の各種装置を統括制御する遊技制御装置１００と、等が配設されている。
また、前面枠１２の裏面下部には、球払出装置５４を制御する払出制御装置６０と、遊技機１０側とカードユニット側とで授受される信号を中継するカードユニット中継基板７０と、遊技制御装置１００等の各種制御装置に電源供給を行う電源装置９０と、等が設けられている。
【００１８】
次に、本実施形態の遊技機１０が特徴とする遊技制御装置１００（制御装置）について説明する。
遊技制御装置１００は、例えば図３、図４に示すように、遊技機１０の動作制御等を行うことで遊技の進行を統括的に制御する遊技制御基板１１０（制御基板）と、当該遊技制御基板１１０を内部に収納するための基板ボックス１２０と、を備えて構成される。
そして、遊技制御装置１００においては、予め記憶された固有の識別情報を発信可能な電子タグ１３１を有する電子タグシール１３０や、当該遊技制御装置１００の管理番号等が印字された管理番号シール１４０、当該遊技制御装置１００を備える遊技機１０の機種等が印字された機種シール１５０などが、基板ボックス１２０（具体的には、基板ボックス１２０が備える第１ケース部材２００（後述）等）に貼着されている。
【００１９】
遊技制御装置１００は、遊技盤３０の背面に取り付けられて当該遊技盤３０が前面枠１２に取り付けられることによって、例えば図２に示すように、遊技機１０の背面側から視認可能に配されている。したがって、以下の説明では、遊技機１０の背面側に配された遊技制御装置１００を遊技機１０の背面側から見た場合（図２参照）に、遊技機１０の背面側から視認可能な側を上側、遊技盤３０に取り付けられた側を下側とし、上になる側を後側、下になる側を前側とし、左になる側を左側、右になる側を右側とする。
【００２０】
遊技制御基板１１０は、例えば図４、図１５、図１６（ａ），（ｂ）に示すように、その外形が矩形状を呈してなる面実装タイプの基板である。すなわち、遊技制御基板１１０は、一方向（左右方向）に長尺な基板であり、当該遊技制御基板１１０の表面１１０ａに、遊技制御用の電子部品１１１，１１１，…及びコネクタ（コネクタ端子）１１６，１１６，…が面実装されている。
なお、図面では、遊技機１０の出荷前における遊技制御装置１００の検査時に使用される検査用コネクタ１１７がコネクタの一種として遊技制御基板１１０に実装されているとともに、遊技機１０の出荷前における遊技制御装置１００の検査時に使用される試験信号出力用ドライバＩＣ１１３が電子部品の一種として遊技制御基板１１０に実装されているが、当該検査用コネクタ１１７及び試験信号出力用ドライバＩＣ１１３は、遊技機１０の出荷時には遊技制御基板１１０に実装されない（から取り外される）。したがって、本実施形態において、コネクタ１１６は、検査用コネクタ１１７以外のコネクタを指すものと し、電子部品１１１は、試験信号出力用ドライバＩＣ１１３以外の電子部品を指すものとする。
【００２１】
遊技制御基板１１０においては、例えば図１５に示すように、当該遊技制御基板１１０の表面１１０ａのうちの後部にコネクタ１１６が実装されており、当該遊技制御基板１１０の表面１１０ａのうちの後部以外の部分（前後方向中央部及び前部）に電子部品１１１が実装されている。
すなわち、遊技制御基板１１０は、当該遊技制御基板１１０の長手方向（左右方向）に沿った一方の端部（後端部）側に、他の装置と接続するためのコネクタ１１６が実装されている。
また、遊技制御基板１１０は、当該遊技制御基板１１０の長手方向に沿った他方の端部（前端部）側に、遊技機１０の動作に関する電気的制御を実行するための電子部品１１１が実装されている。
【００２２】
電子部品１１１には、例えば図１５に示すように、記憶された遊技プログラムに従って遊技の制御を行う制御デバイス１１２（遊技用マイクロコンピュータ）と、実装時の高さが当該制御デバイス１１２よりも低いその他の電子部品１１１と、が含まれている。
制御デバイス１１２には、ＣＰＵ、ＲＯＭ、ＲＡＭ等を１チップ化したアミューズチップが内蔵されており、側面に当該制御デバイス１１２を識別するための識別情報が付されたＺＩＰ（Zigzag Inline Package）タイプの電子部品である。そのため、制御デバイス１１２は、上面に個体を識別するための識別子が付された面実装部品であるその他の電子部品１１１とは異なり、遊技制御基板１１０に立設されている。したがって、遊技制御基板１１０に実装されている制御デバイス１１２は、遊技制御基板１１０に実装されているその他の電子部品１１１よりも高さが高く、上方に突出している。
【００２３】
また、制御デバイス１１２は、一方向に長尺な電子部品であり、遊技制御基板１１０の短手方向（すなわち、第１ケース部材２００に対する第２ケース部材３００のスライド方向（後述））に沿って、遊技制御基板１１０に実装されている。そして、制御デバイス１１２が遊技制御基板１１０に実装された状態において、当該制御デバイス１１２の印字面１１２ａ（すなわち、当該制御デバイス１１２を識別するための識別情報等が印字された面）は、遊技制御基板１１０の短手方向に沿った互いに対向する側方のうちの何れか一方（本実施形態では右側方）を向いている。
【００２４】
ここで、本実施形態では、制御デバイス１１２の近傍に、その他の電子部品１１１を実装しないよう構成されている。
すなわち、遊技制御基板１１０の表面１１０ａにおいては、制御デバイス１１２が実装された領域の周囲に、何れの電子部品１１１も実装されていない非実装領域が設けられている。
そして、例えば図１５に示すように、非実装領域のうちの右側（すなわち、制御デバイス１１２の印字面１１２ａ側）の幅（左右方向の長さ）Ｌ１２は、左側の幅Ｌ１１よりも大きくなるよう設定されている。
【００２５】
コネクタ１１６には、例えば図１５に示すように、遊技者に付与する遊技価値に影響を及ぼす信号（具体的には、遊技の結果に関する信号等）を入出力する端子の他に、遊技制御装置１００を電源装置９０と接続するための電源用コネクタ１１８や、遊技機１０の出荷後における遊技制御装置１００の検査時に使用される外部通信用コネクタ１１９が含まれている。
ここで、本実施形態では、複数のコネクタ１１６のうちの外部通信用コネクタ１１９が最も上方に突出するよう構成されている。
【００２６】
また、本実施形態では、例えば図１５に示すように、遊技制御基板１１０のうちの、最も左側に実装されたコネクタ１１６（本実施形態では外部通信用コネクタ１１９）よりも外側の位置と、最も右側に実装されたコネクタ１１６（本実施形態では電源用コネクタ１１８）よりも外側の位置と、のそれぞれに、なべネジ１７０（図１９（ａ）参照）の軸部が上下方向に挿通可能なネジ孔１１０ｂが設けられている。
【００２７】
基板ボックス１２０は、例えば図３、図４に示すように、遊技制御基板１１０を収納するための閉止空間Ｓを画成する第１ケース部材２００及び第２ケース部材３００と、第１ケース部材２００と第２ケース部材３００とを合体させて閉止空間Ｓを画成する閉止状態を保持したまま、第１ケース部材２００と第２ケース部材３００とを離反不能に結合することが可能な固着封止手段（左側端封止手段４００、右側端封止手段５００）及び溶着封止手段６００と、電子タグシール１３０を貼着するための貼着領域Ｒ（図２３（ａ）において網掛けされた領域）と、貼着領域Ｒに貼着された電子タグシール１３０を保護するための保護カバー部材７００と、を備えて構成される。
【００２８】
第１ケース部材２００は、例えば図４、図２１に示すように、一側部（後側部）に挿入開口２００ａを有する凹室状の収納空間Ｓ＊を画成している。
第２ケース部材３００は、例えば図４、図２１に示すように、遊技制御基板１１０を収納空間Ｓ＊内に配置した状態で第１ケース部材２００と合体することが可能であるとともに、当該合体した状態で挿入開口２００ａの縁部と接合して当該挿入開口２００ａを閉塞することが可能となるよう構成されている。具体的には、第２ケース部材３００は、遊技制御基板１１０を取り付けることが可能となるよう構成されている。また、第２ケース部材３００は、収納空間Ｓ＊を閉止する閉止状態への変換時に挿入開口２００ａから収納空間Ｓ＊内へとスライド挿入されて、閉止状態において挿入開口２００ａの縁部と接合して当該挿入開口２００ａを閉塞することにより第１ケース部材２００とともに閉止空間Ｓ（閉止された収納空間Ｓ＊）を画成することが可能となるよう構成されている。
【００２９】
すなわち、例えば図２１に示すように、第２ケース部材３００に遊技制御基板１１０を取り付けた状態で、第２ケース部材３００を、挿入開口２００ａから第１ケース部材２００の内部（収納空間Ｓ＊内）へと、第１ケース部材２００の短手方向（前後方向）に沿って前向きにスライド挿入して、例えば図３に示すように、第１ケース部材２００と第２ケース部材３００とを合体させると、第１ケース部材２００の挿入開口２００ａが第２ケース部材３００（具体的には、第２ケース部材３００の開口閉塞部３１０（後述））で閉塞されて、収納空間Ｓ＊が閉止された閉止状態（閉止空間Ｓが画成された状態）となる。
【００３０】
遊技制御基板１１０は、閉止状態への変換時には、当該遊技制御基板１１０が取り付けられた第２ケース部材３００とともに挿入開口２００ａから収納空間Ｓ＊内へとスライド挿入され、閉止状態においては、閉止空間Ｓ（閉止された収納空間Ｓ＊）内に配置されることになる。閉止状態においては、遊技制御基板１１０が基板ボックス１２０に完全に内包された状態となるので、当該閉止状態を保持したまま、固着封止手段（左側端封止手段４００、右側端封止手段５００）及び溶着封止手段６００によって第１ケース部材２００と第２ケース部材３００とを離反不能に結合すると、大当りの抽選や遊技の進行制御などの遊技に関する種々の処理を実行する遊技制御基板１１０に対する不正行為等を回避することが可能となる。
また、第１ケース部材２００や第２ケース部材３００は、例えば透光性の合成樹脂で形成されており、基板ボックス１２０に内包された遊技制御基板１１０を遊技制御装置１００の外部から視認できるようになっている。
【００３１】
まず、基板ボックス１２０が備える第１ケース部材２００について説明する。
第１ケース部材２００は、例えば図４、図５（ａ），（ｂ）に示すように、その外形が遊技制御基板１１０の外形に対応する一方向（左右方向）に長尺な直方体形状を呈してなる部材であり、当該第１ケース部材２００の長手方向（左右方向）に沿った互いに対向する側部のうちの何れか一方（後側部）に挿入開口２００ａが形成されている。
【００３２】
具体的には、第１ケース部材２００は、例えば図５（ａ），（ｂ）に示すように、遊技制御装置１００の下面をなす左右方向に長尺な矩形状の下壁２１０と、遊技制御装置１００の上面の一部（前後方向中央部及び前部）をなす左右方向に長尺な矩形状の上壁２２０と、遊技制御装置１００の左側面の一部（前後方向中央部及び前部）をなし、上壁２２０の左端部全域から下側に向けて突設されて上壁２２０の左端部と下壁２１０の左端部とを連結する左側壁２３０と、遊技制御装置１００の右側面の一部（前後方向中央部及び前部）をなし、上壁２２０の右端部全域から下側に向けて突設されて上壁２２０の右端部と下壁２１０の右端部とを連結する右側壁２４０と、遊技制御装置１００の前側面をなし、上壁２２０の前端部全域から下側に向けて突設されて上壁２２０の前端部と下壁２１０の前端部とを連結する前側壁２５０と、により構成されている。
【００３３】
ここで、下壁２１０の短手方向（前後方向）の長さは、遊技制御基板１１０の短手方向の長さよりも若干長くなるよう設定されているとともに、下壁２１０の長手方向（左右方向）の長さは、遊技制御基板１１０の長手方向の長さよりも若干長くなるよう設定されている。
また、上壁２２０の長手方向（左右方向）の長さは、下壁２１０（具体的には、下壁２１０の前後方向中央部及び前部）の長手方向の長さと同一となるよう設定されており、上壁２２０の短手方向（前後方向）の長さは、下壁２１０の短手方向の長さよりも短くなるよう設定されている。
また、左側壁２３０及び右側壁２４０の前後方向の長さは、上壁２２０の短手方向の長さと同一となるよう設定されている。
すなわち、挿入開口２００ａは、第１ケース部材２００の側部（具体的には、左側部の一部（後部）、後側部及び右側部の一部（後部））から第１ケース部材２００の上部の一部（後部）にかけて開口している。
【００３４】
また、上壁２２０の長手方向の長さは、下壁２１０（具体的には、下壁２１０の前後方向中央部及び前部）の長手方向の長さと同一であるとともに、上壁２２０の短手方向の長さは、下壁２１０の短手方向の長さよりも短いので、閉止空間Ｓに遊技制御基板１１０を収納した状態（収納空間Ｓ＊内に遊技制御基板１１０を配置した状態）において、下壁２１０は、当該遊技制御基板１１０の裏面（下面）全体を被覆可能であるのに対し、上壁２２０は、当該遊技制御基板１１０の表面１１０ａ（上面）のうちの前後方向中央部及び前部（すなわち、電子部品１１１，１１１，…が実装された部分）のみを被覆して、当該遊技制御基板１１０の表面１１０ａのうちの後部（すなわち、コネクタ１１６，１１６，…が実装された部分）は被覆しないよう構成されている。すなわち、閉止空間Ｓに遊技制御基板１１０を収納した状態において、当該遊技制御基板１１０の前後方向中央部及び前部は収納空間Ｓ＊内に配置され、当該遊技制御基板１１０の後部は収納空間Ｓ＊内に配置されないよう構成されている。
【００３５】
また、下壁２１０は、例えば図５（ａ），（ｂ）に示すように、当該下壁２１０の後部（すなわち、当該下壁２１０のうちの上壁２２０と対向しない部分）の長手方向の長さが、当該下壁２１０の後部以外の部分（すなわち、当該下壁２１０の前後方向中央部及び前部であり、当該下壁２１０のうちの上壁２２０と対向する部分）の長手方向の長さよりも短くなるよう形成されている。
【００３６】
また、下壁２１０には、例えば図５（ｂ）に示すように、第１ケース部材２００（特に下壁２１０）を補強するための補強リブ２１１が設けられている。
なお、本実施形態では、補強リブ２１１を、下壁２１０の下面のうちの左端部分全域に設けられたリブと、下壁２１０の下面のうちの右端部分全域に設けられたリブと、下壁２１０の下面のうちの後端部分左側に設けられて左端部分全域のリブと連結するリブと、下壁２１０の下面のうちの後端部分右側に設けられて右端部分全域のリブと連結するリブと、下壁２１０の下面のうちの前端部分中央部に設けられたリブと、後端部分左側のリブと前端部分中央部のリブとを連結するリブと、後端部分右側のリブと前端部分中央部のリブとを連結するリブと、により構成したが、これに限ることはなく、補強リブ２１１によって第１ケース部材２００（特に下壁２１０）を補強できるのであれば、補強リブ２１１の構成は任意である。
【００３７】
上壁２２０は、例えば図５（ａ）、図７（ａ）に示すように、閉止状態において第２ケース部材３００の囲繞カバー本体部３３１（後述）に対応する位置に、当該上壁２２０の挿入開口２００ａ側の端部（後端部）から前端部までに亘って、収納空間Ｓ＊の奥行き方向（前後方向）に沿って設けられた露出用切欠部２２１を有している。
また、上壁２２０は、例えば図５（ａ）、図７（ａ）に示すように、当該上壁２２０のうちの露出用切欠部２２１の左右の縁部に収納空間Ｓ＊の奥行き方向（前後方向）に延設されたスライドガイド溝部２２２を有している。具体的には、スライドガイド溝部２２２は、上壁２２０のうちの露出用切欠部２２１を挟む左右両側の所定幅の領域それぞれが折曲されて、下方及び後方に開口するよう形成されており、閉止状態への変換時及び閉止状態時に第２ケース部材３００のスライドガイド壁３３２ａ（後述）と係合可能となっている。そして、上壁２２０には、例えば図７（ａ），（ｂ）に示すように、右側のスライドガイド溝部２２２の形成に伴って上壁２２０の外面（上面）に形成された左右の角部のうちの左側の角部が面取りされて面取り部２２２ａが形成されている。
【００３８】
また、上壁２２０には、例えば図５（ａ）、図７（ａ）に示すように、露出用切欠部２２１のうちの挿入開口２００ａ側とは反対側の部分を閉塞する侵入防止壁２２３が設けられている。
また、右側壁２４０には、例えば図５（ａ）に示すように、当該右側壁２４０の上端部のうちの後端から前後方向中央よりも前側の所定位置までに亘って、右側端封止手段５００に取り付けられた保護カバー部材７００の位置ズレを規制するためのストッパー２４１が設けられている。
また、挿入開口２００ａに対向する前側壁２５０（奥側壁）は、例えば図６（ａ），（ｂ）、図７（ｂ）に示すように、左右方向中央と左右方向中央よりも左側の所定位置と右側の所定位置とのそれぞれに、第２溶着受部６２０（後述）を挿通可能な凸字形状の挿通口２５１を有している。
【００３９】
次に、基板ボックス１２０が備える第２ケース部材３００について説明する。
第２ケース部材３００は、例えば図４、図８（ａ），（ｂ）に示すように、遊技制御基板１１０を下方から取り付けることが可能であるとともに、当該第２ケース部材３００に取り付けられた遊技制御基板１１０の外周を囲繞することが可能な枠状を呈してなる部材であり、基板取付部Ｔを画成している。
【００４０】
具体的には、第２ケース部材３００は、第１ケース部材２００と合体した状態で挿入開口２００ａの縁部と接合して当該挿入開口２００ａを閉塞することが可能な開口閉塞部３１０と、当該第２ケース部材３００に取り付けられた遊技制御基板１１０を支持することが可能な基板支持部（挿入部）３２０と、当該第２ケース部材３００に取り付けられた遊技制御基板１１０に実装されている制御デバイス１１２の周囲を囲繞することが可能な囲繞カバー部３３０と、を備えて構成される。
そして、第２ケース部材３００においては、例えば図２６に示すように、開口閉塞部３１０（具体的には、開口閉塞部３１０の側方閉塞部３１６（後述））と、基板支持部（挿
入部）３２０と、によって当該第２ケース部材３００に取り付けられた遊技制御基板１１０の外周を囲繞するよう構成されている。
【００４１】
ここで、本実施形態において挿入開口２００ａの縁部とは、第１ケース部材２００において、下壁２１０の後端部と、下壁２１０の左端部のうちの後部と、左側壁２３０の後端部と、上壁２２０の後端部と、右側壁２４０の後端部と、下壁２１０の右端部のうちの後部と、よりなる一続きの部分である。そして、閉止状態において、第１ケース部材２００における当該一続きの部分と、第２ケース部材３００と、の重合境界が、第１ケース部材２００と第２ケース部材３００との接合部分になる。
【００４２】
第２ケース部材３００の左右方向の長さは、収納空間Ｓ＊の左右方向の長さと略同一となるよう設定されている。
また、第２ケース部材３００の前後方向中央部及び前部をなす基板支持部（挿入部）３２０の前後方向の長さは、収納空間Ｓ＊の前後方向の長さと略同一となるよう設定されているとともに、基板支持部（挿入部）３２０の上下方向の長さは、収納空間Ｓ＊の上下方向の長さと略同一となるよう設定されている。すなわち、第２ケース部材３００のうちの基板支持部（挿入部）３２０のみが、閉止状態において収納空間Ｓ＊内に配置されるよう構成されている。
また、第２ケース部材３００の後部をなす開口閉塞部３１０の前後方向の長さは、下壁２１０の後部の前後方向の長さよりも若干長くなるよう設定されている。具体的には、閉止状態において、開口閉塞部３１０（具体的には、開口閉塞部３１０の当接部３１１ａ（後述））が、第１ケース部材２００を構成する上壁２２０の後端部に対して後側から当接するとともに、開口閉塞部３１０（具体的には、開口閉塞部３１０の側方閉塞部３１６（後述）を構成する後側壁部）が、第１ケース部材２００を構成する下壁２１０の後端部に対して後側から当接するよう構成されている。
【００４３】
開口閉塞部３１０は、例えば図８（ａ），（ｂ）に示すように、挿入開口２００ａを第１ケース部材２００の上部の一部側（後部側）から閉塞することが可能な上方閉塞部３１１と、遊技制御装置１００の左側面の一部（後部）と後面と右側面の一部（後部）とをなし、挿入開口２００ａを第１ケース部材２００の側部側（具体的には、左側部の一部（後部）側、後側部側及び右側部の一部（後部）側）から閉塞することが可能な側方閉塞部３１６と、により構成されている。
ここで、遊技制御基板１１０は、例えば図４に示すように、当該遊技制御基板１１０に実装されているコネクタ１１６が開口閉塞部３１０側に位置し、かつ、当該遊技制御基板１１０の表面１１０ａが当該開口閉塞部３１０（具体的には、当該開口閉塞部３１０の下面）に対向するよう第２ケース部材３００に取り付けられる。すなわち、開口閉塞部３１０は、第２ケース部材３００に遊技制御基板１１０を取り付けた状態において、当該開口閉塞部３１０の下面が、当該遊技制御基板１１０の表面１１０ａのうちの後部に対向するよう構成されている。
【００４４】
上方閉塞部３１１は、例えば図８（ａ），（ｂ）に示すように、左右方向に長尺な矩形状を呈してなり、第２ケース部材３００に取り付けられた遊技制御基板１１０に実装されているコネクタ１１６，１１６，…に対応する位置に、閉止状態において当該コネクタ１１６，１１６，…（具体的には、当該コネクタ１１６，１１６，…の本体部（コネクタ１１６本体部））を基板ボックス１２０の外部に露出させるためのコネクタ用開口３１２，３１２，…を有している。
また、上方閉塞部３１１は、例えば図８（ｂ）に示すように、当該上方閉塞部３１１の下面のうちのコネクタ用開口３１２の縁部の周囲に遊技制御基板１１０側（下側）に向けて突設されて、端子カバー部材１６０の端子カバー本体部１６１（後述）を囲繞するための端子カバー囲繞壁３１３を有している。
【００４５】
ここで、本実施形態では、基板ボックス１２０は、例えば図１８（ａ）に示すように、コネクタ１１６の脚部（実装用の端子部）１１６ａ，１１６ａ，…を保護することが可能な端子カバー部材１６０を備えており、例えば図１８（ｂ）、図１９（ａ），（ｂ）に示すように、コネクタ１１６に端子カバー部材１６０を装着（嵌装）した状態で、遊技制御基板１１０を第２ケース部材３００に取り付けるよう構成されている。
これにより、脚部１１６ａの破損や脚部１１６ａへの不正アクセスなどを回避することが可能となる。すなわち、本実施形態では、コネクタ１１６，１１６，…が遊技制御基板１１０に面実装されているので、例えば図１８（ａ）に示すように、コネクタ１１６の脚部１１６ａ，１１６ａ，…は、当該コネクタ１１６本体部の下端部から側方に突設されており、遊技制御基板１１０の表面１１０ａから突出している。そのため、このままでは、脚部１１６ａの破損や脚部１１６ａへの不正アクセスなどの不都合が発生し易いが、本実施形態では、独立した各端子カバー部材１６０により脚部１１６ａ，１１６ａ，…を保護しているので、当該不都合を回避することができる。
【００４６】
なお、本実施形態では、例えば図１５、図１９（ａ）に示すように、遊技者に付与する遊技価値に影響を及ぼす信号を入出力するコネクタ１１６（具体的には、電源用コネクタ１１８や外部通信用コネクタ１１９以外のコネクタ１１６）の脚部１１６ａのみが表面１１０ａから突出しており、脚部１１６ａが表面１１０ａから突出しているコネクタ１１６に端子カバー部材１６０を装着するよう構成したが、これに限ることはなく、例えば、脚部１１６ａが表面１１０ａから突出しているコネクタ１１６のうちの特定のコネクタ１１６のみに端子カバー部材１６０を装着するよう構成しても良いし、脚部１１６ａが表面１１０ａから突出しているか否かにかかわらず全てのコネクタ１１６に端子カバー部材１６０を装着するよう構成しても良い。
【００４７】
端子カバー部材１６０は、例えば図１７（ａ），（ｂ）に示すように、第２ケース部材３００の開口閉塞部３１０を構成する上方閉塞部３１１と遊技制御基板１１０との間に挟持されてコネクタ１１６の脚部１１６ａ，１１６ａ，…を保護するための端子カバー本体部１６１と、端子カバー本体部１６１の上面に立設された起立壁部１６２と、により構成されている。
【００４８】
端子カバー本体部１６１は、その外形が直方体形状を呈してなり、その内部に下部に開口を有する凹室状の空間が形成されている。また、端子カバー本体部１６１は、当該端子カバー本体部１６１を構成する上壁部に、対応するコネクタ１１６（コネクタ１１６本体部）の上面視外形と同一形状のコネクタ挿入口を有している。そして、端子カバー本体部１６１は、例えば図２５（ａ），（ｂ）に示すように、端子カバー部材１６０をコネクタ１１６に装着（嵌装）した状態（すなわち、端子カバー本体部１６１の下端部が遊技制御基板１１０の表面１１０ａに接した状態）において、コネクタ１１６の脚部１１６ａに接することなく、端子カバー本体部１６１の内部（凹室状の空間内）に、当該コネクタ１１６の脚部１１６ａ，１１６ａ，…を収納（収容）可能となるよう構成されている。
【００４９】
すなわち、端子カバー本体部１６１は、当該端子カバー本体部１６１の内部にコネクタ１１６の脚部１１６ａを収容するための空間が形成され、端子カバー部材１６０がコネクタ１１６に嵌装されると、当該端子カバー本体部１６１の内部に当該コネクタ１１６の脚部１１６ａを収容した状態で当該脚部１１６ａを上部から側部にかけて覆うよう構成されている。
また、端子カバー本体部１６１は、基板ボックス１２０の上方閉塞部３１１と遊技制御基板１１０との間に挟持された状態で、当該端子カバー本体部１６１の内面がコネクタ１１６の脚部１１６ａに接しない高さに設定されている。
【００５０】
起立壁部１６２は、端子カバー本体部１６１を構成する上壁部の上面のうちのコネクタ挿入口の縁部からコネクタ１１６本体部の側面に沿って上側に向けて突設されている。
ここで、本実施形態では、例えば図２０（ａ）、図２５（ａ），（ｂ）に示すように、基板に対するコネクタ１１６の取り付けガタ等に対応できるよう、コネクタ用開口３１２のサイズが、対応するコネクタ１１６（コネクタ１１６本体部）の上面視外形よりも大きく設定されており、コネクタ用開口３１２の端面と、コネクタ１１６本体部の外側面と、の間には隙間が生じている。また、端子カバー本体部１６１のコネクタ挿入口の形状は対応するコネクタ１１６（コネクタ１１６本体部）の上面視外形と同一であり、起立壁部１６２は当該コネクタ挿入口の縁部から突設されているので、端子カバー部材１６０をコネクタ１１６に装着した状態において、起立壁部１６２は、コネクタ用開口３１２の端面と、当該コネクタ１１６本体部の外側面と、の間に生じている隙間に配置された状態で、当該起立壁部１６２の内面が当該コネクタ１１６本体部の外側面と当接している。
このように、起立壁部１６２を設けることにより、コネクタ１１６に端子カバー部材１６０を的確に取り付けることが可能となる。
また、端子カバー本体部１６１が有するコネクタ挿入口は、対応するコネクタ１１６（コネクタ１１６本体部）の上面視外形と同一形状であり、端子カバー部材１６０をコネクタ１１６に装着した状態において、当該コネクタ挿入口の端面と、当該コネクタ１１６本体部の外側面と、は当接している。そのため、当該コネクタ挿入口から針金やピアノ線などを挿入することは困難であるが、さらに本実施形態では、起立壁部１６２を設けることによって、当該コネクタ挿入口からの針金やピアノ線などの挿入を一層困難にしているので、脚部１１６ａへの不正アクセス等を十分に回避することが可能となる。
【００５１】
また、起立壁部１６２には、例えば図１７（ａ），（ｂ）に示すように、当該起立壁部１６２の上端部のうちの外側の角部が面取りされてテーパ部１６２ａが形成されている。
すなわち、起立壁部１６２の上端部には、外側に向けて下り傾斜するテーパ部１６２ａが設けられているので、端子カバー部材１６０が装着されたコネクタ１１６を、コネクタ用開口３１２の下方から挿入し易くなり、第２ケース部材３００に遊技制御基板１１０を取り付ける際の作業性が向上する。
【００５２】
端子カバー囲繞壁３１３は、例えば図２０（ａ）、図２５（ａ），（ｂ）に示すように、第２ケース部材３００に遊技制御基板１１０を取り付けた状態において、当該端子カバー囲繞壁３１３の先端部（下端部）が当該遊技制御基板１１０の表面１１０ａと当接し、かつ、上方閉塞部３１１の下面（具体的には、上方閉塞部３１１の下面のうちのコネクタ用開口３１２の縁部）が端子カバー部材１６０の端子カバー本体部１６１の上面と当接するよう、上方閉塞部３１１の下面のうちのコネクタ用開口３１２の縁部の周囲から下側に向けて突設されている。
これにより、遊技制御基板１１０への不正アクセス等を回避することが可能となる。すなわち、本実施形態では、基板に対するコネクタ１１６の取り付けガタ等に対応できるよう、コネクタ用開口３１２のサイズが、対応するコネクタ１１６に装着される端子カバー部材１６０の起立壁部１６２の上面視外形よりも若干大きく設定されており、コネクタ用開口３１２の端面と、起立壁部１６２の外側面と、の間に隙間が生じているので、当該隙間から針金やピアノ線などが挿入される虞れがある。本実施形態では、上方閉塞部３１１の下面と端子カバー本体部１６１の上面とが当接しているので、当該隙間から挿入された針金やピアノ線などが基板ボックス１２０の内部（閉止空間Ｓ内）へと侵入することは困難であるが、さらに本実施形態では、先端部が遊技制御基板１１０の表面１１０ａと当接する端子カバー囲繞壁３１３でコネクタ用開口３１２の周囲を囲むことによって、当該侵入を一層困難にしているので、遊技制御基板１１０への不正アクセス等を十分に回避することが可能となる。
【００５３】
また、端子カバー囲繞壁３１３は、第２ケース部材３００に遊技制御基板１１０を取り
付けた状態において、当該端子カバー囲繞壁３１３の内側面が、端子カバー部材１６０の端子カバー本体部１６１の外側面と当接しない位置に設けられている。
これにより、基板に対するコネクタ１１６の取り付けガタ等に十分に対応することが可能となる。すなわち、第２ケース部材３００に遊技制御基板１１０を取り付けた状態において、端子カバー囲繞壁３１３の内側面と、端子カバー本体部１６１の外側面と、が当接するように端子カバー囲繞壁３１３が設けられている場合、遊技制御基板１１０を第２ケース部材３００に取り付ける際に、取り付けガタ等の影響で、端子カバー部材１６０が装着されたコネクタ１１６をコネクタ用開口３１２に的確に挿入できない等の虞れがある。これに対し、本実施形態では、第２ケース部材３００に遊技制御基板１１０を取り付けた状態において、端子カバー囲繞壁３１３の内側面と、端子カバー本体部１６１の外側面と、が当接しないように端子カバー囲繞壁３１３を設けているので、取り付けガタ等が生じていても、遊技制御基板１１０を第２ケース部材３００に取り付ける際に、端子カバー部材１６０が装着されたコネクタ１１６をコネクタ用開口３１２に的確に挿入することができることとなって、当該取り付けガタ等に十分に対応することが可能となる。
【００５４】
ここで、遊技制御基板１１０は、例えば図８（ｂ）、図１１（ａ），（ｂ），（ｃ）、図２０（ａ）に示すように、同一の幅を有するコネクタ１１６（本実施形態ではコネクタ１１６本体部の前後方向の長さが同一のコネクタ１１６）が隣り合って実装される隣装領域と、同一の幅を有するコネクタ１１６が隣り合って実装されていない非隣装領域と、を有し、端子カバー囲繞壁３１３は、隣装領域の複数のコネクタ１１６それぞれに嵌装される端子カバー部材１６０の端子カバー本体部１６１を一連に囲繞する一連端子カバー囲繞壁３１３ａと、非隣装領域のコネクタ１１６に嵌装される端子カバー部材１６０の端子カバー本体部１６１を単体で囲繞する単体端子カバー囲繞壁３１３ｂと、を備えている。
【００５５】
なお、本実施形態では、隣接するコネクタ用開口３１２同士の間隔が所定の閾値以下であり、かつ、当該コネクタ用開口３１２同士の前後方向の長さが略同一であれば、端子カバー囲繞壁３１３（一連端子カバー囲繞壁３１３ａ）で当該コネクタ用開口３１２同士を一緒に囲むことによって端子カバー囲繞壁３１３がシンプルなものとなるよう構成したが、これに限ることはなく、例えば、各コネクタ用開口３１２を端子カバー囲繞壁３１３で一つずつ囲むよう構成しても良いし、コネクタ用開口３１２同士の間隔やコネクタ用開口３１２の幅（すなわち、対応するコネクタ１１６の幅）にかかわらず複数のコネクタ用開口３１２を端子カバー囲繞壁３１３で一緒に囲むことによって端子カバー囲繞壁３１３が一層シンプルなものとなるよう構成しても良い。
【００５６】
また、本実施形態では、端子カバー部材１６０が装着されるコネクタ１１６（図４参照）に対応するコネクタ用開口３１２の周囲のみに端子カバー囲繞壁３１３を設けるよう構成したが、これに限ることはなく、例えば、端子カバー部材１６０が装着されるコネクタ１１６に対応するコネクタ用開口３１２のうちの特定のコネクタ用開口３１２の周囲のみに端子カバー囲繞壁３１３を設けるよう構成しても良いし、端子カバー部材１６０が装着されるコネクタ１１６に対応するか否かにかかわらず全てのコネクタ用開口３１２の周囲に端子カバー囲繞壁３１３を設けるよう構成しても良い。
【００５７】
また、上方閉塞部３１１は、例えば図８（ａ），（ｂ）、図１９（ａ），（ｂ）に示すように、閉止状態において第１ケース部材２００の上壁２２０のうちの挿入開口２００ａ側の端部（すなわち、上壁２２０の後端部）と当接する当接部３１１ａを有している。
当接部３１１ａは、閉止状態において、当該当接部３１１ａの上端部が第１ケース部材２００の上壁２２０の外面（上面）よりも上方に突出するよう、上方閉塞部３１１の前端部から上側に向けて突設されている。すなわち、第２ケース部材３００は、当接部３１１ａによって、閉止状態において挿入開口２００ａの縁部（具体的には、上壁２２０の後端部）と接合するよう構成されている。
そして、例えば図８（ａ），（ｂ）、図１９（ａ），（ｂ）に示すように、当接部３１１ａの前面には、閉止状態において、第１ケース部材２００の上壁２２０を下方から支持する下方支持部３１１ｂと、上壁２２０を上方から支持する上方支持部３１１ｃと、が設けられている。
【００５８】
なお、本実施形態では、下方支持部３１１ｂ及び上方支持部３１１ｃを、互いに対向しない位置に設けるよう構成したが、これに限ることはなく、下方支持部３１１ｂによって上壁２２０の下方への変形を抑制できるとともに、上方支持部３１１ｃによって上壁２２０の上方への変形を抑制でき、かつ、下方支持部３１１ｂ及び上方支持部３１１ｃによって第１ケース部材２００と第２ケース部材３００との接合部分（具体的には、上壁２２０と当接部３１１ａとの接合部分）に生じる隙間を閉塞できるのであれば、下方支持部３１１ｂ及び上方支持部３１１ｃを設ける位置は任意であり、例えば、下方支持部３１１ｂを、当接部３１１ａの前面のうちの下端部分全域に亘って設けるとともに、上方支持部３１１ｃを、当接部３１１ａの前面のうちの上端部分全域に亘って設けるよう構成しても良い。
【００５９】
また、例えば図８（ａ），（ｂ）、図１９（ａ）に示すように、上方閉塞部３１１のうちの、第２ケース部材３００に遊技制御基板１１０を取り付けた状態において当該遊技制御基板１１０に設けられた左右のネジ孔１１０ｂのそれぞれに対応する位置には、なべネジ１７０（図１９（ａ）参照）用のネジ受部として、上方閉塞部３１１に開口を有するネジ受部３１１ｄが設けられている。
【００６０】
側方閉塞部３１６は、例えば図８（ａ），（ｂ）に示すように、上面視略コ字形状を呈してなり、上方閉塞部３１１が有する当接部３１１ａとともに、上方閉塞部３１１を取り囲んでいる。
また、側方閉塞部３１６は、例えば図８（ｂ）に示すように、上方閉塞部３１１の下面よりも下方に突出しており、閉止状態において当該側方閉塞部３１６の下端部が第１ケース部材２００の補強リブ２１１の下端部と略面一となるよう設定されている。すなわち、第２ケース部材３００は、側方閉塞部３１６によって、閉止状態において挿入開口２００ａの縁部（具体的には、下壁２１０の後端部、下壁２１０の左端部のうちの後部及び下壁２１０の右端部のうちの後部）と接合するよう構成されている。
【００６１】
さらに、開口閉塞部３１０には、例えば図８（ａ），（ｂ）、図１９（ａ），（ｂ）に示すように、第２ケース部材３００に取り付けられた遊技制御基板１１０に実装されているコネクタ１１６の破損を防止することが可能なコネクタ破損防止壁３１０ａ，３１０ａが設けられている。
【００６２】
なお、本実施形態では、コネクタ破損防止壁３１０ａを、上方閉塞部３１１が有する当接部３１１ａの上端部のうちの左側部分と、側方閉塞部３１６を構成する左側壁部の上端部と、側方閉塞部３１６を構成する後側壁部の上端部のうちの左側部分と、よりなる上面視コ字形状の部分から上側に向けて突設するとともに、上方閉塞部３１１が有する当接部３１１ａの上端部のうちの右側部分と、側方閉塞部３１６を構成する右側壁部の上端部と、側方閉塞部３１６を構成する後側壁部の上端部のうちの右側部分と、よりなる上面視コ字形状の部分から上側に向けて突設するよう構成したが、これに限ることはなく、コネクタ破損防止壁３１０ａを設ける位置は任意である。
また、本実施形態では、コネクタ破損防止壁３１０ａを、外側に向かうにつれて徐々に上方に突出するよう構成するとともに、第２ケース部材３００に遊技制御基板１１０を取り付けた状態において、当該コネクタ破損防止壁３１０ａのうちの最も上方に突出した部分（すなわち、当該コネクタ破損防止壁３１０ａのうちの側方閉塞部３１６を構成する左側壁部や右側壁部から突出している部分）の高さが、当該遊技制御基板１１０に実装されているコネクタ１１６のうちの最も上方に突出しているコネクタ１１６（本実施形態では外部通信用コネクタ１１９）の高さと同等になるよう構成したが、これに限ることはなく、コネクタ破損防止壁３１０ａの構成は任意である。
すなわち、遊技制御装置１００を床に落としたり、遊技制御装置１００に物がぶつかったりしても、コネクタ破損防止壁３１０ａによって、コネクタ１１６と床や物との直接衝突を回避できるのであれば、コネクタ破損防止壁３１０ａを設ける位置やコネクタ破損防止壁３１０ａの構成は任意である。
【００６３】
基板支持部（挿入部）３２０は、例えば図８（ａ），（ｂ）、図１９（ａ），（ｂ）に示すように、上面視略コ字形状を呈してなり、第２ケース部材３００に遊技制御基板１１０を取り付けた状態において、開口閉塞部３１０を構成する側方閉塞部３１６のうちの下方に突出した部分（具体的には、側方閉塞部３１６のうちの上方閉塞部３１１の下面よりも下方に突出した部分）とともに、当該遊技制御基板１１０の外周を囲繞するよう構成されている。
【００６４】
そして、基板支持部（挿入部）３２０の内面には、例えば図８（ａ），（ｂ）に示すように、第２ケース部材３００に遊技制御基板１１０を取り付けた状態において、当該遊技制御基板１１０を下方から支持する基板下方支持部３２０ａと、当該遊技制御基板１１０を上方から支持する基板上方支持部３２０ｂと、が設けられている。
これにより、基板支持部（挿入部）３２０は、第２ケース部材３００に取り付けられた遊技制御基板１１０を支持可能となっている。
【００６５】
なお、本実施形態では、基板下方支持部３２０ａ及び基板上方支持部３２０ｂを、互いに対向しない位置に設けるよう構成したが、これに限ることはなく、基板下方支持部３２０ａ及び基板上方支持部３２０ｂによって第２ケース部材３００に取り付けられた遊技制御基板１１０を支持できるのであれば、基板下方支持部３２０ａ及び基板上方支持部３２０ｂを設ける位置は任意であり、例えば、基板下方支持部３２０ａを、本実施形態のように基板支持部（挿入部）３２０の内面（具体的には、基板支持部（挿入部）３２０を構成する前側部３２３の内面（後面））のうちの下端部分左側の所定位置と下端部分右側の所定位置とのそれぞれに設けるとともに、基板上方支持部３２０ｂを、基板支持部（挿入部）３２０の内面（具体的には、基板支持部（挿入部）３２０を構成する左側部３２１の内面（右面）、基板支持部（挿入部）３２０を構成する前側部３２３の内面（後面）及び基板支持部（挿入部）３２０を構成する右側部３２２の内面（左面））のうちの上端部分全域に亘って設けるよう構成しても良い。
【００６６】
囲繞カバー部３３０は、例えば図８（ａ），（ｂ）、図１０（ａ），（ｂ），（ｃ）、図２４（ａ），（ｂ）に示すように、開口閉塞部３１０と、基板支持部（挿入部）３２０を構成する前側部３２３と、の間に懸架されており、第２ケース部材３００に取り付けられた遊技制御基板１１０に実装されている制御デバイス１１２を囲繞するための囲繞カバー本体部３３１と、囲繞カバー本体部３３１を支持するための囲繞カバー本体支持部３３２と、により構成されている。
【００６７】
囲繞カバー部３３０は、閉止状態において、囲繞カバー本体部３３１が収納空間Ｓ＊の内部から露出用切欠部２２１を介して収納空間Ｓ＊の外部に突出した状態で、囲繞カバー本体支持部３３２が露出用切欠部２２１を塞ぐよう構成されている。すなわち、第１ケース部材２００の上壁２２０は、囲繞カバー部３３０の上部よりも遊技制御基板１１０寄りに配置されているので、基板ボックス１２０の薄型化が可能となる。
また、囲繞カバー部３３０は、開口閉塞部３１０と、基板支持部（挿入部）３２０を構成する前側部３２３と、の間に懸架されているので、囲繞カバー部３３０によって、フレーム状の第２ケース部材３００（特に基板支持部（挿入部）３２０）を補強することが可
能となる。
【００６８】
また、制御デバイス１１２は、例えば図２４（ａ），（ｂ）に示すように、ＺＩＰタイプのデバイスであり、制御デバイス１１２の脚部（端子部）１１２ａが制御デバイス１１２（制御デバイス１１２本体部）の下面から突出している。したがって、制御デバイス１１２は、制御デバイス１１２本体部が遊技制御基板１１０の表面１１０ａから離間した状態で、遊技制御基板１１０に実装されている。そして、囲繞カバー部３３０は、例えば図２４（ｂ）に示すように、当該囲繞カバー部３３０の下面（具体的には、囲繞カバー本体部３３１の下面及び囲繞カバー本体支持部３３２の下面）が、制御デバイス１１２本体部の下面よりも遊技制御基板１１０に近接するよう形成されている。
【００６９】
囲繞カバー本体部３３１は、その外形が略直方体形状を呈してなるとともに、その下部に制御デバイス１１２を挿入可能なデバイス挿入口３３１ａを有する凹室状の空間が内部に形成されており、当該凹室状の空間内に制御デバイス１１２を収納することが可能となるよう構成されている。すなわち、囲繞カバー本体部３３１は、制御デバイス１１２を下方から挿入することが可能となるよう構成されている。
なお、囲繞カバー本体部３３１には、当該囲繞カバー本体部３３１の内部の熱を外部に放出するための放熱フィン（例えば、金属片等）が、例えば当該囲繞カバー本体部３３１の内面から外面に亘って設けられていても良い。この場合には、制御デバイス１１２の識別情報等が印字された面と対向する囲繞カバー本体部３３１の側壁以外の側壁に設けられていることが望ましく、このようにすることで制御デバイス１１２の識別情報の視認性を確保できる。
【００７０】
囲繞カバー本体支持部３３２は、囲繞カバー本体部３３１の外面のうちの下端部分から外側に向けて突設されており、例えば図１０（ａ）に示すように、第２ケース部材３００に遊技制御基板１１０を取り付けた状態において、当該遊技制御基板１１０の表面１１０ａのうちの、制御デバイス１１２が実装されている領域の周囲に設けられた非実装領域に対応する位置に、開口閉塞部３１０の当接部３１１ａから基板支持部（挿入部）３２０を構成する前側部３２３までに亘って形成されている。そして、囲繞カバー本体支持部３３２は、閉止状態において第１ケース部材２００の上壁２２０に下方から重合して露出用切欠部２２１を塞ぐよう構成されている。
【００７１】
ここで、前述したように、非実装領域のうちの、制御デバイス１１２の印字面１１２ａ側（本実施形態では右側）の幅Ｌ１２は、制御デバイス１１２の印字面１１２ａ側とは反対側（本実施形態では左側）の幅Ｌ１１よりも大きくなるよう設定されている。そして、それに対応して、本実施形態では、例えば図１０（ｂ）、図２４（ｂ）に示すように、囲繞カバー本体支持部３３２の右部（具体的には、囲繞カバー本体支持部３３２のうちの囲繞カバー本体部３３１よりも右側の部分）の幅Ｌ２２は、囲繞カバー本体支持部３３２の左部（具体的には、囲繞カバー本体支持部３３２のうちの囲繞カバー本体部３３１よりも左側の部分）の幅Ｌ２１よりも大きくなるよう設定されている。すなわち、デバイス挿入口３３１ａは、囲繞カバー本体支持部３３２のうちの左右方向中央よりも左側の位置に配置されている。
【００７２】
なお、本実施形態では、例えば図８（ｂ）に示すように、デバイス挿入口３３１ａの後端が囲繞カバー本体支持部３３２の後端と略一致するとともに、デバイス挿入口３３１ａの前端が囲繞カバー本体支持部３３２の前端よりも後側に位置するよう構成し、かつ、例えば図８（ａ）に示すように、囲繞カバー本体部３３１を構成する後側壁部の外面（後面）と開口閉塞部３１０の当接部３１１ａの後面とが略面一となるとともに、囲繞カバー本体部３３１を構成する前側壁部の外面（前面）が基板支持部（挿入部）３２０を構成する前側部３２３よりも後側に位置するよう構成したが、これに限ることはなく、囲繞カバー本体部３３１によって制御デバイス１１２を囲繞することができるのであれば、囲繞カバー本体支持部３３２に対する囲繞カバー本体部３３１の前後方向の位置は任意である。
【００７３】
ここで、本実施形態では、囲繞カバー本体部３３１を構成する後側壁部の外面（後面）と開口閉塞部３１０の当接部３１１ａの後面とが略面一であるのに対し、囲繞カバー本体部３３１を構成する前側壁部の外面（前面）が基板支持部（挿入部）３２０を構成する前側部３２３よりも後側に位置している。したがって、閉止状態において、露出用切欠部２２１のうちの挿入開口２００ａ側の端部は、囲繞カバー本体部３３１や当接部３１１ａで閉塞されるが、露出用切欠部２２１のうちの挿入開口２００ａ側とは反対側の端部は、閉塞されない。そのため、このままでは、遊技制御基板１１０への不正アクセス等のために、露出用切欠部２２１のうちの挿入開口２００ａ側とは反対側の端部から針金やピアノ線などが挿入されるといった不都合が発生し易いが、本実施形態では、前述したように、侵入防止壁２２３を設けて露出用切欠部２２１のうちの挿入開口２００ａ側とは反対側の端部を含む部分を閉塞しているので、当該不都合を回避することができる。
【００７４】
また、囲繞カバー本体支持部３３２は、例えば図８（ａ）、図２１に示すように、閉止状態への変換時に第１ケース部材２００のスライドガイド溝部２２２に沿って移動可能に係合（スライド係合）することが可能なスライドガイド壁３３２ａを有している。
具体的には、スライドガイド壁３３２ａは、囲繞カバー本体支持部３３２の上面のうちの左端部分全域及び右端部分全域のそれぞれから上側に向けて突設されている。すなわち、スライドガイド壁３３２ａは、収納空間Ｓ＊の奥行き方向（前後方向）に延設されている。
これにより、遊技制御基板１１０への不正アクセス等を回避することが可能となる。すなわち、露出用切欠部２２１の左側の縁部や右側の縁部から針金やピアノ線などが挿入されても、スライドガイド壁３３２ａが、当該縁部から挿入された針金やピアノ線などの基板ボックス１２０の内部（閉止空間Ｓ内）への侵入を防止する返し構造になっているので、遊技制御基板１１０への不正アクセス等を回避することが可能となる。
【００７５】
なお、本実施形態では、スライドガイド壁３３２ａを、囲繞カバー本体支持部３３２の上面のうちの左端部分全域及び右端部分全域のそれぞれから上側に向けて突設するよう構成したが、これに限ることはなく、スライドガイド壁３３２ａがスライドガイド溝部２２２にスライド可能に係合することによって、第１ケース部材２００に対する第２ケース部材３００のスライド挿入を的確に行うことができるのであれば、スライドガイド壁３３２ａを設ける位置やスライドガイド壁３３２ａの構成は任意である。
【００７６】
ここで、第２ケース部材３００は、例えば図２０（ｂ）に示すように、当該第２ケース部材３００に遊技制御基板１１０を取り付けた状態において、当該遊技制御基板１１０との間に第１の間隙Ｇ１１，Ｇ１２を有した状態で当該遊技制御基板１１０の外周を囲繞している。
【００７７】
具体的には、例えば図８（ｂ）に示すように、開口閉塞部３１０の側方閉塞部３１６を構成する左側壁部の内面（右面）と、基板支持部（挿入部）３２０を構成する左側部３２１の内面（右面）と、は略面一となっており、第２ケース部材３００は、例えば図２０（ｂ）に示すように、当該第２ケース部材３００に遊技制御基板１１０を取り付けた状態において、これら内面と、当該遊技制御基板１１０の左端部と、の間に第１の間隙Ｇ１１（左側用）が形成されるよう構成されている。
また、例えば図８（ｂ）に示すように、開口閉塞部３１０の側方閉塞部３１６を構成する右側壁部の内面（左面）と、基板支持部（挿入部）３２０を構成する右側部３２２の内面（左面）と、は略面一となっており、第２ケース部材３００は、例えば図２０（ｂ）に示すように、当該第２ケース部材３００に遊技制御基板１１０を取り付けた状態において、これら内面と、当該遊技制御基板１１０の右端部と、の間に第１の間隙Ｇ１２（右側用）が形成されるよう構成されている。
【００７８】
一方、第２ケース部材３００の囲繞カバー部３３０は、例えば図２０（ｂ）に示すように、当該第２ケース部材３００に遊技制御基板１１０を取り付けた状態において、当該遊技制御基板１１０に実装されている制御デバイス１１２との間に第１の間隙Ｇ１１，Ｇ１２よりも大きな第２の間隙Ｇ２１，Ｇ２２を有した状態で当該制御デバイス１１２の周囲を囲繞している。
【００７９】
具体的には、第２ケース部材３００の囲繞カバー部３３０は、当該第２ケース部材３００に遊技制御基板１１０を取り付けた状態において、当該囲繞カバー部３３０の囲繞カバー本体部３３１を構成する左側壁部の内面（右面）と、当該遊技制御基板１１０に実装されている制御デバイス１１２の左面と、の間に左側用の第１の間隙Ｇ１１よりも大きな第２の間隙Ｇ２１（左側用）が形成されるよう構成されている。
また、第２ケース部材３００の囲繞カバー部３３０は、当該第２ケース部材３００に遊技制御基板１１０を取り付けた状態において、当該囲繞カバー部３３０の囲繞カバー本体部３３１を構成する右側壁部の内面（左面）と、当該遊技制御基板１１０に実装されている制御デバイス１１２の右面（本実施形態では印字面１１２ａ）と、の間に右側用の第１の間隙Ｇ１２よりも大きな第２の間隙Ｇ２２（右側用）が形成されるよう構成されている。
【００８０】
このように、第２ケース部材３００に遊技制御基板１１０を取り付けた状態において、第１の間隙Ｇ１１，Ｇ１２や第２の間隙Ｇ２１，Ｇ２２が形成されるので、第２ケース部材３００に遊技制御基板１１０を取り付ける際の作業性が向上する。
また、第１の間隙Ｇ１１，Ｇ１２よりも第２の間隙Ｇ２１，Ｇ２２の方が大きいので、第２ケース部材３００に対する遊技制御基板１１０の取り付け時や取り付け後には、制御デバイス１１２が囲繞カバー部３３０の囲繞カバー本体部３３１に衝接する前に、遊技制御基板１１０の端部が基板支持部（挿入部）３２０に衝接することとなる。すなわち、第２ケース部材３００に対する遊技制御基板１１０の取り付け時や取り付け後における制御デバイス１１２の囲繞カバー本体部３３１への衝接を防止できるため、制御デバイス１１２の破損や故障などの不都合を回避することが可能となる。
【００８１】
なお、左側用の第２の間隙Ｇ２１が左側用の第１の間隙Ｇ１１よりも大きく、右側用の第２の間隙Ｇ２２が右側用の第１の間隙Ｇ１２よりも大きいのであれば、第１の間隙Ｇ１１，Ｇ１２や第２の間隙Ｇ２１，Ｇ２２の大きさは任意であり、左側用の第１の間隙Ｇ１１と右側用の第１の間隙Ｇ１２とは同一であっても異なっていても良いし、左側用の第２の間隙Ｇ２１と右側用の第２の間隙Ｇ２２とは同一であっても異なっていても良い。
【００８２】
また、前述したように、囲繞カバー部３３０の囲繞カバー本体支持部３３２のうちの右部の幅Ｌ２２は、左部の幅Ｌ２１よりも大きくなるよう設定されている。そのため、囲繞カバー部３３０の囲繞カバー本体部３３１は、例えば図２４（ｂ）に示すように、当該囲繞カバー本体部３３１を構成する右側壁部が、当該囲繞カバー本体部３３１を構成する左側壁部よりも第１ケース部材２００から離間しており、第１ケース部材２００の上壁２２０と、当該囲繞カバー本体部３３１を構成する右側壁部と、の間には遊技制御装置１００側に向けて窪んだ視認段部Ｄが形成されている。これにより、遊技制御装置１００の外部から制御デバイス１１２の印字面１１２ａ全体を視認することが可能となっている。
すなわち、囲繞カバー本体部３３１を構成する右側壁部が、当該囲繞カバー本体部３３１を構成する左側壁部と同程度に第１ケース部材２００と近接している場合には、上壁２２０が邪魔になって、制御デバイス１１２の印字面１１２ａ全体（特に印字面１１２ａの下部）が視認し難い。これに対し、本実施形態では、囲繞カバー本体部３３１を構成する右側壁部が、当該囲繞カバー本体部３３１を構成する左側壁部よりも第１ケース部材２００から離間しており、視認段部Ｄが形成されているので、上壁２２０が邪魔になることなく、遊技制御装置１００の外部から制御デバイス１１２の印字面１１２ａ全体を視認することが可能となっている。
【００８３】
また、本実施形態では、前述したように、第１ケース部材２００の上壁２２０のうちの、制御デバイス１１２の印字面１１２ａに対向する部分（すなわち、印字面１１２ａに対向する視認段部Ｄに落ち込む角部）に、面取り部２２２ａが形成されている。これにより、制御デバイス１１２の印字面１１２ａ全体が視認し易くなっている。
すなわち、上壁２２０のうちの、制御デバイス１１２の印字面１１２ａに対向する部分に、面取り部２２２ａが形成されていない場合には、囲繞カバー本体部３３１を構成する右側壁部が第１ケース部材２００から離間して視認段部Ｄが形成されていても、上壁２２０のうちの視認段部Ｄに落ち込む角部が邪魔になって、制御デバイス１１２の印字面１１２ａ全体（特に印字面１１２ａの下部）が視認し難い。これに対し、本実施形態では、上壁２２０のうちの制御デバイス１１２の印字面１１２ａに対向する部分に面取り部２２２ａが形成されているので、視認段部Ｄに落ち込む角部が邪魔になることなく、遊技制御装置１００の外部から制御デバイス１１２の印字面１１２ａ全体を視認することが可能となっている。
【００８４】
さらに、本実施形態では、前述したように、囲繞カバー部３３０の下面（具体的には、囲繞カバー本体部３３１の下面及び囲繞カバー本体支持部３３２の下面）が、制御デバイス１１２本体部の下面よりも遊技制御基板１１０に近接している。これにより、制御デバイス１１２の印字面１１２ａ全体が視認し易くなるとともに、制御デバイス１１２の脚部１１２ｂ近傍に不正な部品等が取り付け難くなっている。
すなわち、囲繞カバー部３３０の下面が制御デバイス１１２本体部の下面よりも遊技制御基板１１０に近接していない場合には、囲繞カバー本体部３３１を構成する右側壁部が第１ケース部材２００から離間して視認段部Ｄが形成されていても、囲繞カバー本体支持部３３２が邪魔になって、制御デバイス１１２の印字面１１２ａ全体（特に印字面１１２ａの下部）が視認し難い。これに対し、本実施形態では、囲繞カバー部３３０の下面が制御デバイス１１２本体部の下面よりも遊技制御基板１１０に近接しているので、囲繞カバー本体支持部３３２が邪魔になることなく、遊技制御装置１００の外部から制御デバイス１１２の印字面１１２ａ全体を視認することが可能となっている。
【００８５】
次に、基板ボックス１２０が備える固着封止手段について説明する。
遊技制御装置１００は、例えば図３、図４に示すように、固着封止手段として、第１ケース部材２００及び第２ケース部材３００の左側端に設けられた左側端封止手段４００と、第１ケース部材２００及び第２ケース部材３００の右側端に設けられた右側端封止手段５００と、を備えている。
【００８６】
固着封止手段のうちの左側端封止手段４００は、例えば図４に示すように、第１ケース部材２００に設けられて、収納空間Ｓ＊内に配置された（閉止空間Ｓに収納された）遊技制御基板１１０の左側方に位置する左第１固着部４１０と、左第１固着部４１０に対応させて第２ケース部材３００に設けられて、収納空間Ｓ＊内に配置された（閉止空間Ｓに収納された）遊技制御基板１１０の左側方に位置する左第２固着部４２０と、左第１固着部４１０と左第２固着部４２０とに挿通されて、当該左第１固着部４１０と当該左第２固着部４２０とを固着するための左固着部材４３０，４３０と、を備えて構成される。
ここで、左固着部材４３０は、一方向（螺合方向）にしか廻せないワンウェイねじであり、一旦螺合すると取り外すことができないよう構成されている。すなわち、左固着部材４３０は、左第１固着部４１０と左第２固着部４２０とをかしめるよう構成されている。
【００８７】
左第１固着部４１０は、例えば図５（ａ），（ｂ）、図６（ｂ）、図７（ａ）に示すように、第１ケース部材２００の左側壁２３０の外面（左面）から外側（左側）に向けて突設されている。
具体的には、左第１固着部４１０は、第１ケース部材２００に直接設けられた左第１内側固着部４１１と、左第１内側固着部４１１に設けられて、当該左第１内側固着部４１１よりも外側（左側）に位置する左第１外側固着部４１２と、左第１内側固着部４１１と左第１外側固着部４１２とを分離可能に連結する左第１脆弱部４１３と、を備えている。すなわち、左第１内側固着部４１１及び左第１外側固着部４１２は、左第１脆弱部４１３を介して、閉止空間Ｓに収納された遊技制御基板１１０の厚み方向（上下方向）に直交する方向（左右方向）に並んで配設されている。
【００８８】
左第２固着部４２０は、例えば図８（ａ），（ｂ）、図９（ｂ）に示すように、閉止状態において左第１固着部４１０と重合するよう、第２ケース部材３００の側方閉塞部３１６を構成する左側壁部の外面（左面）から外側（左側）に向けて突設されている。
具体的には、左第２固着部４２０は、第２ケース部材３００に直接設けられた左第２内側固着部４２１と、左第２内側固着部４２１に設けられて、当該左第２内側固着部４２１よりも外側（左側）に位置する左第２外側固着部４２２と、左第２内側固着部４２１と左第２外側固着部４２２とを分離可能に連結する左第２脆弱部４２３と、を備えている。すなわち、左第２内側固着部４２１及び左第２外側固着部４２２は、左第２脆弱部４２３を介して、閉止空間Ｓに収納された遊技制御基板１１０の厚み方向（上下方向）に直交する方向（左右方向）に並んで配設されている。
【００８９】
本実施形態では、左第２固着部４２０の前後方向の長さは、第２ケース部材３００の開口閉塞部３１０の前後方向の長さの約半分となるよう設定されている。また、左第１固着部４１０の前後方向の長さは、左第２固着部４２０の前後方向の長さと略同一となるよう設定されている。
そして、例えば図５（ａ）に示すように、左第１固着部４１０の後端部（後端面）は、第１ケース部材２００の左側壁２３０の後端部と面一となるよう設定されている。また、例えば図８（ｂ）に示すように、左第２固着部４２０の前端部（前端面）は、第２ケース部材３００の当接部３１１ａの前面と面一となるよう設定されている。すなわち、閉止状態において、左第１固着部４１０の後端面と、左第２固着部４２０の前端面と、は当接（重合）するよう構成されている。
【００９０】
また、本実施形態では、例えば図２２（ａ）に示すように、左第１固着部４１０の外面及び左第２固着部４２０の外面は、閉止状態において互いに面一となるよう設定されている。
したがって、前述したように、第２ケース部材３００の左右方向の長さは収納空間Ｓ＊の左右方向の長さと略同一となるよう設定されているので、第２ケース部材３００の左右方向の長さは第１ケース部材２００（具体的には、第１ケース部材２００の前後方向中央部及び前部）の左右方向の長さよりも短いが、その分だけ、左第２固着部４２０の左右方向の長さが、左第１固着部４１０の左右方向の長さよりも長くなっている。すなわち、第２ケース部材３００は、当該第２ケース部材３００に設けられた左第２固着部４２０によって、閉止状態において挿入開口２００ａの縁部（具体的には、第１ケース部材２００の左側壁２３０の後端部）と接合するよう構成されている。
【００９１】
左第１内側固着部４１１には、例えば図６（ｂ）に示すように、左固着部材４３０を螺合するねじ止め部（固着受部）が前後方向に沿って形成されている。具体的には、左第１内側固着部４１１は、開放端部が第１ケース部材２００に接続された略コ字形状を呈してなり、前端部は開口しているが、後端部（他方（左第２内側固着部４２１）と重合する側）は閉口している。すなわち、左第１内側固着部４１１は、他方と重合する側に底部を有するとともに当該他方と重合する側とは反対側が開口した有底筒状を呈してなる。そして、左第１内側固着部４１１の内部には、当該左第１内側固着部４１１の後端部に左固着部材４３０の頭部は通過不能で左固着部材４３０の軸部は通過可能な開口を有する左固着部材４３０用のねじ止め部（固着受部）が形成されている。
左第２内側固着部４２１には、例えば図９（ｂ）に示すように、左固着部材４３０を挿通可能な貫通孔が前後方向に沿って形成されている。具体的には、左第２内側固着部４２１は、開放端部が第２ケース部材３００に接続された略コ字形状を呈してなり、後端部は開口しているが、前端部（他方（左第１内側固着部４１１）と重合する側）は閉口している。すなわち、左第２内側固着部４２１は、他方と重合する側に底部を有するとともに当該他方と重合する側とは反対側が開口した有底筒状を呈してなる。そして、左第２内側固着部４２１の内部には、左第２内側固着部４２１の内面と第２ケース部材３００の外面とによって左固着部材４３０が挿通可能な空間が形成されており、左第２内側固着部４２１の前端部には、左固着部材４３０の頭部は通過不能で左固着部材４３０の軸部は通過可能なねじ孔（孔部）が形成されている。
【００９２】
左第１外側固着部４１２には、例えば図６（ｂ）に示すように、左固着部材４３０を挿通可能な貫通孔が前後方向に沿って形成されている。具体的には、左第１外側固着部４１２は、平面部が左第１内側固着部４１１に対向する略Ｄ字形状を呈してなり、前端部は開口しているが、後端部（他方（左第２外側固着部４２２）と重合する側）は閉口している。すなわち、左第１外側固着部４１２は、他方と重合する側に底部を有するとともに当該他方と重合する側とは反対側が開口した有底筒状を呈してなる。そして、左第１外側固着部４１２の内部には、左固着部材４３０が挿通可能な空間が形成されており、左第１外側固着部４１２の後端部には、左固着部材４３０の頭部は通過不能で左固着部材４３０の軸部は通過可能なねじ孔（孔部）が形成されている。
左第２外側固着部４２２には、例えば図９（ｂ）に示すように、左固着部材４３０を螺合するねじ止め部（固着受部）が前後方向に沿って形成されている。具体的には、左第２外側固着部４２２は、平面部が左第２内側固着部４２１に対向する略Ｄ字形状を呈してなり、後端部は開口しているが、前端部（他方（左第１外側固着部４１２）と重合する側）は閉口している。すなわち、左第２外側固着部４２２は、他方と重合する側に底部を有するとともに当該他方と重合する側とは反対側が開口した有底筒状を呈してなる。そして、左第２外側固着部４２２の内部には、当該左第２外側固着部４２２の前端部に左固着部材４３０の頭部は通過不能で左固着部材４３０の軸部は通過可能な開口を有する左固着部材４３０用のねじ止め部（固着受部）が形成されている。
【００９３】
そして、例えば図２６に示すように、閉止状態において、左第１外側固着部４１２と左第２外側固着部４２２とは、当該左第１外側固着部４１２が有するねじ孔（孔部）と、当該左第２外側固着部４２２が有するねじ止め部（固着受部）の開口と、が対向する状態で重合し、左第１外側固着部４１２の開口した前端部から当該左第１外側固着部４１２の内部（貫通孔）に挿通した左固着部材４３０の先端部分を、左第２外側固着部４２２が有するねじ止め部（固着受部）に螺合することによって、第１ケース部材２００と第２ケース部材３００とを離反不能に結合するよう構成されている。
【００９４】
また、閉止状態において、左第１内側固着部４１１と左第２内側固着部４２１とは、当該左第１内側固着部４１１が有するねじ止め部（固着受部）の開口と、当該左第２内側固着部４２１が有するねじ孔（孔部）と、が対向する状態で重合し、左第２内側固着部４２１の開口した後端部から当該左第２内側固着部４２１の内部（貫通孔）に挿通した左固着部材４３０の先端部分を、左第１内側固着部４１１が有するねじ止め部（固着受部）に螺合することによって、第１ケース部材２００と第２ケース部材３００とを離反不能に結合するよう構成されている。
ここで、本実施形態において、左第１内側固着部４１１及び左第２内側固着部４２１は、副固着部（後述）であるので、例えば図２６に示すように、主固着部（後述）である左第１外側固着部４１２及び左第２外側固着部４２２によって第１ケース部材２００と第２ケース部材３００とが結合されている際は、左第２内側固着部４２１の内部（貫通孔）を挿通した左固着部材４３０の先端部分は、左第１内側固着部４１１が有するねじ止め部（固着受部）には螺合（本締め）されず、当該ねじ止め部（固着受部）の開口や左第２内側固着部４２１が有するねじ孔（孔部）などに仮締めされた状態となっている。
【００９５】
すなわち、左第１固着部４１０及び左第２固着部４２０は、収納空間Ｓ＊内に配置された（閉止空間Ｓに収納された）遊技制御基板１１０の厚み方向（上下方向）に直交する方向（前後方向）に重合するよう構成されている。
そして、左固着部材４３０は、左第１固着部４１０と左第２固着部４２０との重合方向、すなわち左第１固着部４１０と左第２固着部４２０との重合面に直交する方向（前後方向）に沿って挿通されて、当該左第１固着部４１０と当該左第２固着部４２０とを重合した状態で固着するよう構成されている。
【００９６】
固着封止手段のうちの右側端封止手段５００は、例えば図４に示すように、第１ケース部材２００に設けられて、収納空間Ｓ＊内に配置された（閉止空間Ｓに収納された）遊技制御基板１１０の右側方に位置する右第１固着部５１０と、右第１固着部５１０に対応させて第２ケース部材３００に設けられて、収納空間Ｓ＊内に配置された（閉止空間Ｓに収納された）遊技制御基板１１０の右側方に位置する右第２固着部５２０と、右第１固着部５１０と右第２固着部５２０とに挿通されて、当該右第１固着部５１０と当該右第２固着部５２０とを固着するための右固着部材５３０，５３０と、を備えて構成される。
ここで、右固着部材５３０は、左固着部材４３０と同様、一方向（螺合方向）にしか廻せないワンウェイねじであり、一旦螺合すると取り外すことができないよう構成されている。すなわち、右固着部材５３０は、右第１固着部５１０と右第２固着部５２０とをかしめるよう構成されている。
【００９７】
右第１固着部５１０は、例えば図５（ａ），（ｂ）、図６（ａ）に示すように、第１ケース部材２００の右側壁２４０の外面（右面）から外側（右側）に向けて突設されている。
具体的には、右第１固着部５１０は、第１ケース部材２００に直接設けられた右第１内側固着部５１１と、右第１内側固着部５１１に設けられて、当該右第１内側固着部５１１よりも外側（右側）に位置する右第１外側固着部５１２と、右第１内側固着部５１１と右第１外側固着部５１２とを分離可能に連結する右第１脆弱部５１３と、を備えている。すなわち、右第１内側固着部５１１及び右第１外側固着部５１２は、右第１脆弱部５１３を介して、閉止空間Ｓに収納された遊技制御基板１１０の厚み方向（上下方向）に直交する方向（左右方向）に並んで配設されている。
【００９８】
右第２固着部５２０は、例えば図８（ａ），（ｂ）、図９（ａ）に示すように、閉止状態において右第１固着部５１０と重合するよう、第２ケース部材３００の側方閉塞部３１６を構成する右側壁部の外面（右面）から外側（右側）に向けて突設されている。
具体的には、右第２固着部５２０は、第２ケース部材３００に直接設けられた右第２内側固着部５２１と、右第２内側固着部５２１に設けられて、当該右第２内側固着部５２１よりも外側（右側）に位置する右第２外側固着部５２２と、右第２内側固着部５２１と右第２外側固着部５２２とを分離可能に連結する右第２脆弱部５２３と、を備えている。すなわち、右第２内側固着部５２１及び右第２外側固着部５２２は、右第２脆弱部５２３を介して、閉止空間Ｓに収納された遊技制御基板１１０の厚み方向（上下方向）に直交する方向（左右方向）に並んで配設されている。
【００９９】
本実施形態では、右側端封止手段５００の前後方向の長さは、当該右側端封止手段５０
０の外面に電子タグシール１３０を貼着できるよう、左側端封止手段４００の前後方向の長さよりも長くなるよう設定されている。
具体的には、右第２内側固着部５２１の前後方向の長さは、第２ケース部材３００の開口閉塞部３１０の前後方向の長さの約半分となるよう設定されており、右第２外側固着部５２２は、当該右第２外側固着部５２２の前後方向の長さが、右第２内側固着部５２１の前後方向の長さよりも長くなるよう設定されているとともに、当該右第２外側固着部５２２のうちの後端部分が右第２脆弱部５２３を介して右第２内側固着部５２１に連結されている。また、右第１内側固着部５１１の前後方向の長さは、右第２外側固着部５２２の前後方向の長さと同一となるよう設定されており、右第１外側固着部５１２は、当該右第１外側固着部５１２の前後方向の長さが、右第２内側固着部５２１の前後方向の長さと同一となるよう設定されているとともに、右第１脆弱部５１３を介して右第１内側固着部５１１のうちの前端部分に連結されている。
そして、例えば図５（ａ）に示すように、右第１内側固着部５１１の後端部（後端面）は、第１ケース部材２００の右側壁２４０の後端部と面一となるよう設定されている。また、例えば図８（ａ）に示すように、右第２内側固着部５２１の前端部（前端面）は、第２ケース部材３００の当接部３１１ａの前面と面一となるよう設定されている。
【０１００】
ここで、閉止状態において、右第１固着部５１０の後端面と、右第２固着部５２０の前端面と、は当接（重合）するよう構成されているが、外側固着部の重合境界（具体的には、右第１外側固着部５１２と右第２外側固着部５２２との重合境界）の前後方向の位置と、内側固着部の重合境界（具体的には、右第１内側固着部５１１と右第２内側固着部５２１との重合境界）の前後方向の位置と、が一致しない状態で、右第１固着部５１０の後端面と、右第２固着部５２０の前端面と、は当接（重合）している。
【０１０１】
すなわち、例えば図２２（ａ）、図２６に示すように、左側端封止手段４００においては、主側重合境界、すなわち外側固着部の重合境界（具体的には、左第１外側固着部４１２と左第２外側固着部４２２との重合境界）の位置と、副側重合境界、すなわち内側固着部の重合境界（具体的には、左第１内側固着部４１１と左第２内側固着部４２１との重合境界）の位置と、は一直線上に並ぶよう重合方向（前後方向）に一致している。それに対し、右側端封止手段５００においては、主側重合境界、すなわち外側固着部の重合境界（具体的には、右第１外側固着部５１２と右第２外側固着部５２２との重合境界）の位置と、副側重合境界、すなわち内側固着部の重合境界（具体的には、右第１内側固着部５１１と右第２内側固着部５２１との重合境界）の位置と、は一直線上に並ばないよう重合方向（前後方向）にずらされており、外側固着部の重合境界は、内側固着部の重合境界よりも前側に位置している。
【０１０２】
これにより、第１ケース部材２００と第２ケース部材３００との結合を解除（すなわち、基板ボックス１２０を開封）するために第１固着部（右第１外側固着部５１２、右第１内側固着部５１１）と第２固着部（右第２外側固着部５２２、右第２内側固着部５２１）との重合を解除すると、当該重合境界で電子タグシール１３０が破断することになるが、主側重合境界と副側重合境界とが一直線上に並ばないよう重合方向にずらされているので、電子タグシール１３０の破断面が汚くなる。そのため、第１固着部と第２固着部との重合解除による基板ボックス１２０の不正開封を抑制できるとともに、第１固着部と第２固着部との重合解除による基板ボックス１２０の不正開封を発見し易くすることができる。
【０１０３】
また、レーザ等を用いて重合境界に沿って電子タグシール１３０を破断した後に、第１固着部と第２固着部との重合を解除すれば、電子タグシール１３０の破断面が汚くなることなく、当該重合を解除できる。しかしながら、本実施形態では、例えば図２３（ａ）に示すように、副側重合境界が貼着領域Ｒからはみ出しているので、それを手掛かりとして、レーザ等を用いて電子タグシール１３０を破断しても、主側重合境界と副側重合境界とが一直線上に並ばないよう重合方向にずらされているので、電子タグシール１３０の破断面が汚くなる。すなわち、レーザ等を用いて副側重合境界上及びその延長線上に沿って電子タグシール１３０を破断しても、主側重合境界上に沿って電子タグシール１３０は破断されないので、第１固着部と第２固着部との重合を解除すると、やはり電子タグシール１３０の破断面が汚くなってしまう。そのため、第１固着部と第２固着部との重合解除による基板ボックス１２０の不正開封を抑制できるとともに、第１固着部と第２固着部との重合解除による基板ボックス１２０の不正開封を発見し易くすることができる。
【０１０４】
また、本実施形態では、例えば図２２（ａ），（ｂ）に示すように、右第１固着部５１０の外面及び右第２固着部５２０の外面は、閉止状態において互いに面一となるよう設定されている。
したがって、前述したように、第２ケース部材３００の左右方向の長さは収納空間Ｓ＊の左右方向の長さと略同一となるよう設定されているので、第２ケース部材３００の左右方向の長さは第１ケース部材２００（具体的には、第１ケース部材２００の前後方向中央部及び前部）の左右方向の長さよりも短いが、その分だけ、右第２固着部５２０の左右方向の長さが、右第１固着部５１０の左右方向の長さよりも長くなっている。すなわち、第２ケース部材３００は、当該第２ケース部材３００に設けられた右第２固着部５２０によって、閉止状態において挿入開口２００ａの縁部（具体的には、第１ケース部材２００の右側壁２４０の後端部）と接合するよう構成されている。
【０１０５】
右第１内側固着部５１１には、例えば図６（ａ）に示すように、右固着部材５３０を螺合するねじ止め部（固着受部）が前後方向に沿って形成されている。具体的には、右第１内側固着部５１１は、開放端部が第１ケース部材２００に接続された略コ字形状を呈してなり、前端部は開口しているが、後端部（他方（右第２内側固着部５２１）と重合する側）は閉口している。すなわち、右第１内側固着部５１１は、他方と重合する側に底部を有するとともに当該他方と重合する側とは反対側が開口した有底筒状を呈してなる。そして、右第１内側固着部５１１の内部には、当該右第１内側固着部５１１の後端部に右固着部材５３０の頭部は通過不能で右固着部材５３０の軸部は通過可能な開口を有する右固着部材５３０用のねじ止め部（固着受部）が形成されている。
右第２内側固着部５２１には、例えば図９（ａ）に示すように、右固着部材５３０を挿通可能な貫通孔が前後方向に沿って形成されている。具体的には、右第２内側固着部５２１は、開放端部が第２ケース部材３００に接続された略コ字形状を呈してなり、後端部は開口しているが、前端部（他方（右第１内側固着部５１１）と重合する側）は閉口している。すなわち、右第２内側固着部５２１は、他方と重合する側に底部を有するとともに当該他方と重合する側とは反対側が開口した有底筒状を呈してなる。そして、右第２内側固着部５２１の内部には、右第２内側固着部５２１の内面と第２ケース部材３００の外面とによって右固着部材５３０が挿通可能な空間が形成されており、右第２内側固着部５２１の前端部には、右固着部材５３０の頭部は通過不能で右固着部材５３０の軸部は通過可能なねじ孔（孔部）が形成されている。
【０１０６】
右第１外側固着部５１２には、例えば図６（ａ）に示すように、右固着部材５３０を螺合するねじ止め部（固着受部）が前後方向に沿って形成されている。具体的には、右第１外側固着部５１２は、平面部が右第１内側固着部５１１に対向する略Ｄ字形状を呈してなり、前端部は開口しているが、後端部（他方（右第２外側固着部５２２）と重合する側）は閉口している。すなわち、右第１外側固着部５１２は、他方と重合する側に底部を有するとともに当該他方と重合する側とは反対側が開口した有底筒状を呈してなる。そして、右第１外側固着部５１２の内部には、当該右第１外側固着部５１２の後端部に右固着部材５３０の頭部は通過不能で右固着部材５３０の軸部は通過可能な開口を有する右固着部材５３０用のねじ止め部（固着受部）が形成されている。
右第２外側固着部５２２には、例えば図９（ａ）に示すように、右固着部材５３０を挿
通可能な貫通孔が前後方向に沿って形成されている。具体的には、右第２外側固着部５２２は、平面部が右第２内側固着部５２１に対向する略Ｄ字形状を呈してなり、後端部は開口しているが、前端部（他方（右第１外側固着部５１２）と重合する側）は閉口している。すなわち、右第２外側固着部５２２は、他方と重合する側に底部を有するとともに当該他方と重合する側とは反対側が開口した有底筒状を呈してなる。そして、右第２外側固着部５２２の内部には、右固着部材５３０が挿通可能な空間が形成されており、右第２外側固着部５２２の前端部には、右固着部材５３０の頭部は通過不能で右固着部材５３０の軸部は通過可能なねじ孔（孔部）が形成されている。
【０１０７】
すなわち、左側端封止手段４００の外側固着部においては、第１固着部側（すなわち、左第１外側固着部４１２）に固着部材を挿通可能な貫通孔が形成されて、第２固着部側（すなわち、左第２外側固着部４２２）に当該固着部材を螺合するねじ止め部（固着受部）が形成されているのに対し、右側端封止手段５００の外側固着部においては、第２固着部側（すなわち、右第２外側固着部５２２）に固着部材を挿通可能な貫通孔が形成されて、第１固着部側（すなわち、右第１外側固着部５１２）に当該固着部材を螺合するねじ止め部（固着受部）が形成されている。
このように、左側端封止手段４００と右側端封止手段５００とで固着部材（ワンウェイねじ）の挿通の向きを異ならせることによって、固着部材の取り外しが一層困難になるので、基板ボックス１２０の不正開封等を十分に回避することが可能となる。
【０１０８】
そして、例えば図２６に示すように、閉止状態において、右第１外側固着部５１２と右第２外側固着部５２２とは、当該右第１外側固着部５１２が有するねじ止め部（固着受部）の開口と、当該右第２外側固着部５２２が有するねじ孔（孔部）と、が対向する状態で重合し、右第２外側固着部５２２の開口した後端部から当該右第２外側固着部５２２の内部（貫通孔）に挿通した右固着部材５３０の先端部分を、右第１外側固着部５１２が有するねじ止め部（固着受部）に螺合することによって、第１ケース部材２００と第２ケース部材３００とを離反不能に結合するよう構成されている。
【０１０９】
また、閉止状態において、右第１内側固着部５１１と右第２内側固着部５２１とは、当該右第１内側固着部５１１が有するねじ止め部（固着受部）の開口と、当該右第２内側固着部５２１が有するねじ孔（孔部）と、が対向する状態で重合し、右第２内側固着部５２１の開口した後端部から当該右第２内側固着部５２１の内部（貫通孔）に挿通した右固着部材５３０の先端部分を、右第１内側固着部５１１が有するねじ止め部（固着受部）に螺合することによって、第１ケース部材２００と第２ケース部材３００とを離反不能に結合するよう構成されている。
ここで、本実施形態において、右第１内側固着部５１１及び右第２内側固着部５２１は、副固着部（後述）であるので、例えば図２６に示すように、主固着部（後述）である右第１外側固着部５１２及び右第２外側固着部５２２によって第１ケース部材２００と第２ケース部材３００とが結合されている際は、右第２内側固着部５２１の内部（貫通孔）を挿通した右固着部材５３０の先端部分は、右第１内側固着部５１１が有するねじ止め部（固着受部）には螺合（本締め）されず、当該ねじ止め部（固着受部）の開口や右第２内側固着部５２１が有するねじ孔（孔部）などに仮締めされた状態となっている。
【０１１０】
すなわち、右第１固着部５１０及び右第２固着部５２０は、収納空間Ｓ＊内に配置された（閉止空間Ｓに収納された）遊技制御基板１１０の厚み方向（上下方向）に直交する方向（前後方向）に重合するよう構成されている。
そして、右固着部材５３０は、右第１固着部５１０と右第２固着部５２０との重合方向、すなわち右第１固着部５１０と右第２固着部５２０との重合面に直交する方向（前後方向）に沿って挿通されて、当該右第１固着部５１０と当該右第２固着部５２０とを重合した状態で固着するよう構成されている。
【０１１１】
ここで、本実施形態では、外側固着部（左第１外側固着部４１２及び左第２外側固着部４２２、右第１外側固着部５１２及び右第２外側固着部５２２）が、第１ケース部材２００と第２ケース部材３００とを最初に結合するための主固着部となっており、内側固着部（左第１内側固着部４１１及び左第２内側固着部４２１、右第１内側固着部５１１及び右第２内側固着部５２１）が、主固着部による結合の解除後に第１ケース部材２００と第２ケース部材３００とを再結合するための副固着部となっている。
すなわち、本実施形態では、まず、外側固着部（主固着部）によって第１ケース部材２００と第２ケース部材３００とを離反不能に結合する。
そして、当該結合を解除する場合は、内側固着部（副固着部）から外側固着部（主固着部）を切り離すように脆弱部（左第１脆弱部４１３及び左第２脆弱部４２３、右第１脆弱部５１３及び右第２脆弱部５２３）を切断する。すなわち、固着部材（ワンウェイねじ）によって一度固着された第１固着部（左第１外側固着部４１２、右第１外側固着部５１２）と第２固着部（左第２外側固着部４２２、右第２外側固着部５２２）との固着は容易に解除できないため、外側固着部（主固着部）による結合を解除して基板ボックス１２０を開封するためには、外側固着部（主固着部）を内側固着部（副固着部）から切り離し、左側端封止手段４００や右側端封止手段５００を不可逆的に破壊する必要がある。これにより、基板ボックス１２０の開封を困難にすることができるとともに、基板ボックス１２０が開封されても当該開封の履歴が残るので、基板ボックス１２０の不正開封等を十分に回避することが可能となる。
さらに、外側固着部（主固着部）による結合の解除後に再び第１ケース部材２００と第２ケース部材３００とを結合する場合は、内側固着部（副固着部）によって第１ケース部材２００と第２ケース部材３００とを離反不能に結合する。
【０１１２】
なお、本実施形態では、左第１脆弱部４１３を、左第１内側固着部４１１の上下方向中央よりも上側の所定位置と左第１外側固着部４１２のうちの当該上側の所定位置に対向する位置とを連結する前後方向に長尺な連結板と、左第１内側固着部４１１の上下方向中央よりも下側の所定位置と左第１外側固着部４１２のうちの当該下側の所定位置に対向する位置とを連結する前後方向に長尺な連結板と、によって構成したが、これに限ることはなく、左第１脆弱部４１３の位置で分離可能となるよう左第１内側固着部４１１と左第１外側固着部４１２とを連結できるのであれば、左第１脆弱部４１３の構成は任意である。
その他の脆弱部（すなわち、左第２脆弱部４２３、右第１脆弱部５１３及び右第２脆弱部５２３）についても同様に、その構成は任意である。
【０１１３】
次に、基板ボックス１２０が備える溶着封止手段６００について説明する。
溶着封止手段６００は、例えば図３、図４に示すように、第１ケース部材２００及び第２ケース部材３００の前側端の左右方向中央と左右二箇所との合計三箇所に設けられており、それぞれ、第１ケース部材２００に設けられて、収納空間Ｓ＊内に配置された（閉止空間Ｓに収納された）遊技制御基板１１０の前側方に位置する第１溶着受部６１０と、第１溶着受部６１０に対応させて第２ケース部材３００に設けられて、収納空間Ｓ＊内に配置された（閉止空間Ｓに収納された）遊技制御基板１１０の前側方に位置する第２溶着受部６２０と、第１溶着受部６１０と第２溶着受部６２０とに溶着されて、当該第１溶着受部６１０と当該第２溶着受部６２０とを連結するための溶着部材６３０と、を備えて構成される。
【０１１４】
第２溶着受部６２０は、例えば図８（ａ），（ｂ）、図９（ａ），（ｂ）に示すように、閉止状態において挿通口２５１を介して閉止空間Ｓの外部に突出して第１溶着受部６１０と隣接するよう、第２ケース部材３００の基板支持部（挿入部）３２０を構成する前側部３２３（所定部位）の外面（前面）から外側（前側）に向けて突設されている。
前述したように、基板支持部（挿入部）３２０の前後方向の長さは、収納空間Ｓ＊の前後方向の長さと略同一となるよう設定されているので、第２ケース部材３００は、閉止状態への変換時に挿入開口２００ａから収納空間Ｓ＊内へとスライド挿入されて、閉止状態において前側部３２３（挿入先端部）が第１ケース部材２００を構成する前側壁２５０（奥側壁）と隣接するようになっている。第２溶着受部６２０は、当該前側部３２３の外面のうちの、第１ケース部材２００が有する挿通口２５１に対応する位置に突設されており、閉止状態において挿通口２５１から収納空間Ｓ＊の外部に突出するよう構成されている。
【０１１５】
具体的には、第２溶着受部６２０は、例えば図１２（ａ）、図２７に示すように、挿通口２５１と同一形状で同一サイズの凸字形状に突出しており、閉止状態において挿通口２５１内に配置される基部６２１と、閉止状態において閉止空間Ｓの外部に配置される突出部６２２と、を備えている。
【０１１６】
第２溶着受部６２０の後部をなす基部６２１の前後方向の長さは、挿通口２５１の前後方向の長さと略同一となるよう設定されている。また、第２溶着受部６２０は、挿通口２５１と同一形状で同一サイズの凸字形状に突出しているので、基部６２１は、閉止状態において挿通口２５１を閉塞可能となっている。そのため、例えば、閉止状態において第２溶着受部６２０（具体的には、突出部６２２）が切断されたとしても、挿通口２５１は基部６２１によって閉塞されており、当該挿通口２５１から針金やピアノ線などを挿入することができないので、挿通口２５１を介した遊技制御基板１１０への不正アクセス等を回避することが可能となる。
【０１１７】
第２溶着受部６２０の前後方向中央部及び前部をなす突出部６２２は、当該突出部６２２のうち前後方向略中央よりも後側の部分（すなわち、第２溶着受部６２０の前後方向中央部である基部６２１寄りの部分）に、凸部を除去することにより形成された係合受部６２２ａを有している。したがって、第２溶着受部６２０の前面視外形は、挿通口２５１と同一形状で同一サイズの凸字形状を呈しているが、当該第２溶着受部６２０の左面視（或いは右面視）外形は凹字形状を呈している。
【０１１８】
第１溶着受部６１０は、例えば図５（ａ），（ｂ）、図６（ａ），（ｂ）に示すように、第１ケース部材２００を構成する前側壁２５０（所定の壁部）の外面（前面）のうち挿通口２５１に対応する位置から外側（前側）に向けて突設されている。
具体的には、第１溶着受部６１０は、例えば図６（ａ），（ｂ）、図７（ｂ）に示すように、開放端部が第１ケース部材２００に接続された上面視略コ字形状を呈してなり、上端部は開口しているが、下端部は閉口している。すなわち、第１溶着受部６１０は、その内部に、上部に開口を有する凹室状の空間が形成されている。
【０１１９】
第１溶着受部６１０の内部（凹室状の空間）の左右方向の長さは、例えば図７（ｂ）に示すように、挿通口２５１（具体的には、挿通口２５１のうちの下側部分）の左右方向の長さと同一となるよう設定されている。
また、第１溶着受部６１０の内部（凹室状の空間）の上下方向の長さは、例えば図７（ｂ）に示すように、挿通口２５１（具体的には、挿通口２５１の左右方向中央部）の上下方向の長さよりも長くなるよう設定されている。さらに、第１溶着受部６１０の内部の上下方向の長さは、例えば図２７に示すように、第２溶着受部６２０の突出部６２２と溶着部材６３０とが係合（後述）した状態の上下方向の長さよりも若干長くなるよう設定されている。
すなわち、第１溶着受部６１０の内部は、溶着部材６３０と、閉止状態において当該挿通口２５１から突出した第２溶着受部６２０の突出部６２２と、を収容可能となるよう形成されている。
【０１２０】
ここで、第２溶着受部６２０の突出部６２２は、当該第２溶着受部６２０の突出方向（前後方向）に沿って挿通口２５１を介して第１溶着受部６１０の内部に侵入して、当該第１溶着受部６１０に収容されるよう構成されている。
また、溶着部材６３０は、第２溶着受部６２０の突出方向に直交する方向（本実施形態では上下方向）に沿って第１溶着受部６１０の開口した端部（上端部）を介して第１溶着受部６１０の内部に侵入（進入）して、当該第１溶着受部６１０に収容されるよう構成されている。
【０１２１】
溶着部材６３０は、例えば図２７に示すように、閉止空間Ｓの外部で隣接した第１溶着受部６１０と第２溶着受部６２０とに溶着されて、当該第１溶着受部６１０と当該第２溶着受部６２０とを隣接した状態で連結するための部材である。
具体的には、溶着部材６３０は、例えば図１２（ｂ），（ｃ）に示すように、直方体形状呈してなり、当該溶着部材６３０のうち上下方向中央よりも下側の部分に前後方向に沿って第２溶着受部６２０の凸部が嵌まる凹部を有するとともに、当該溶着部材６３０のうち前後方向略中央よりも後側の部分に、当該凹部を埋めることにより形成された係合部６３０ａを有している。したがって、溶着部材６３０の前面は凹字形状を呈しているが、当該溶着部材６３０の後面は矩形状を呈している。そして、溶着部材６３０は、第１溶着受部６１０の内部（凹室状の空間）及び第２溶着受部６２０の突出部６２２に溶着されるよう構成されている。
【０１２２】
溶着部材６３０が有する係合部６３０ａの前後方向の長さは、第２溶着受部６２０の突出部６２２が有する係合受部６２２ａの前後方向の長さと同一となるよう設定されている。
すなわち、溶着部材６３０は、当該溶着部材６３０が有する係合部６３０ａが、第２溶着受部６２０の突出部６２２が有する係合受部６２２ａに係合することによって、突出部６２２に係合可能となっている。
【０１２３】
また、溶着部材６３０の前後方向の長さ及び左右方向の長さはそれぞれ、第１溶着受部６１０の内部（凹室状の空間）の前後方向の長さ及び左右方向の長さと同一となるよう設定されているとともに、溶着部材６３０の上下方向の長さは、当該溶着部材６３０と第２溶着受部６２０の突出部６２２とが係合した状態の上下方向の長さが、第１溶着受部６１０の内部の上下方向の長さよりも若干短くなるよう設定されている。
すなわち、溶着部材６３０は、第１溶着受部６１０の内部に嵌入可能な大きさに形成され、当該溶着部材６３０が第１溶着受部６１０の内部に嵌入すると、当該第１溶着受部６１０の内部に収容された第２溶着受部６２０の突出部６２２を被覆するよう構成されている。
【０１２４】
ここで、溶着部材６３０は、当該溶着部材を第１溶着受部６１０の内部に収容すると、当該第１溶着受部６１０の内部に収容されている第２溶着受部６２０の突出部６２２に係合するよう構成されている。また、溶着部材６３０は、例えば図２７に示すように、当該溶着部材６３０が閉止状態において第２溶着受部６２０の突出部６２２に係合すると、当該溶着部材６３０の後面が、第１ケース部材２００を構成する前側壁２５０の外面のうち挿通口２５１の縁部（具体的には、挿通口２５１の縁部のうち上側部分）に当接するとともに、当該溶着部材６３０が有する係合部６３０ａの前面が、第２溶着受部６２０の突出部６２２が有する凸部の後面に当接するよう構成されている。そのため、溶着部材６３０は、当該溶着部材６３０が閉止状態において第２溶着受部６２０の突出部６２２に係合すると、第２溶着受部６２０の移動（すなわち、第２ケース部材３００の移動）を規制して、閉止状態を維持できるようになっている。
【０１２５】
次に、基板ボックス１２０が備える貼着領域Ｒと、当該貼着領域Ｒに貼着される電子タグシール１３０と、について説明する。
【０１２６】
貼着領域Ｒは、例えば図２３（ａ）に示すように、右側端封止手段５００の第１固着部（右第１固着部５１０）と第２固着部（右第２固着部５２０）とに跨って形成されている。
具体的には、前述したように、右第１固着部５１０の外面及び右第２固着部５２０の外面は、閉止状態において互いに面一となるよう設定されており、貼着領域Ｒは、当該右第１固着部５１０の外面（具体的には、右第１内側固着部５１１の外面及び右第１外側固着部５１２の外面）と、当該右第２固着部５２０の外面（具体的には、右第２内側固着部５２１の外面及び右第２外側固着部５２２の外面）と、に跨って形成されている。すなわち、貼着領域Ｒは、右側端封止手段５００において、主固着部（右第１外側固着部５１２及び右第２外側固着部５２２）と、副固着部（右第１内側固着部５１１及び右第２内側固着部５２１）と、に跨って形成されている。
したがって、右第１固着部５１０と右第２固着部５２０との重合境界と、脆弱部（右第１脆弱部５１３及び右第２脆弱部５２３）と、の双方が貼着領域Ｒを横断している。
【０１２７】
電子タグシール１３０は、遊技機１０が設置された遊技場の従業員等が、所定の読取装置を用いて当該電子タグシール１３０が有する電子タグ１３１から当該電子タグシール１３０が貼着された遊技制御装置１００を識別するための識別情報を読み取って、遊技制御装置１００の不正交換等を確認するためのものである。
具体的には、電子タグシール１３０は、例えば図１４（ａ），（ｂ），（ｃ）に示すように、長尺状に形成されたＲＦＩＣタグ等の電子タグ１３１と、矩形状に形成されたベースシール１３２と、により構成されている。
【０１２８】
ベースシール１３２は、一方の面が粘着面になっており、他方の面に「開封禁止」の文字等が印字されている。
【０１２９】
電子タグ１３１は、ベースシール１３２の粘着面のうちの一方の対角線上に貼り付けられており、遊技制御装置１００固有の識別情報を記憶するチップ部１３１ａと、当該チップ部１３１ａが記憶する識別情報を発信可能なアンテナ部１３１ｂ，１３１ｂと、当該チップ部１３１ａと当該アンテナ部１３１ｂ，１３１ｂとを支持するタグシート１３１ｃと、を有している。
タグシート１３１ｃは、例えば図１４（ｂ）に示すように、長尺状に形成されており、当該タグシート１３１ｃの中央部にチップ部１３１ａが配設されているとともに、チップ部１３１ａの両端から突出した線状のアンテナ部１３１ｂ，１３１ｂが当該タグシート１３１ｃの長手方向に沿って配設されている。
【０１３０】
ここで、電子タグ１３１がベースシール１３２の対角線上に貼り付けられているので、貼着領域Ｒに貼着された電子タグシール１３０においては、第１固着部と第２固着部との重合境界（具体的には、右第１内側固着部５１１と右第２内側固着部５２１との重合境界、右第１外側固着部５１２と右第２外側固着部５２２との重合境界）と、電子タグ１３１と、が交差している。これにより、基板ボックス１２０を開封するために第１固着部と第２固着部との重合を解除すると、当該重合部分（重合境界）で電子タグ１３１が破損することになるので、基板ボックス１２０の不正開封を抑制できるとともに、基板ボックス１２０の不正開封を発見し易くすることができる。
また、電子タグ１３１がベースシール１３２の対角線上に貼り付けられているので、貼着領域Ｒに貼着された電子タグシール１３０においては、脆弱部（具体的には、右第１脆弱部５１３、右第２脆弱部５２３）と、電子タグ１３１と、が交差している。これにより、基板ボックス１２０を開封するために脆弱部を破壊して外側固着部を内側固着部から切り離すと、当該脆弱部で電子タグ１３１が破損することになるので、基板ボックス１２０
の不正開封を抑制できるとともに、基板ボックス１２０の不正開封を発見し易くすることができる。
なお、電子タグ１３１には、第１固着部と第２固着部との重合解除や、脆弱部の破壊などに伴って破損し易くなるよう、脆弱部（例えば、切れ込み部）が設けられていても良い。
【０１３１】
次に、基板ボックス１２０が備える保護カバー部材７００について説明する。
保護カバー部材７００は、貼着領域Ｒに貼着された電子タグシール１３０を保護するとともに、右側端封止手段５００を保護するための部材であり、右側端封止手段５００（右第１固着部５１０と右第２固着部５２０）に取り付けられて、保護カバー部材７００の内部に右側端封止手段５００を収納した状態で電子タグシール１３０を被覆するよう構成されている。
【０１３２】
具体的には、保護カバー部材７００は、例えば図１３（ａ），（ｂ）に示すように、その前面視（或いは後面視）外形が略Ｄ字形状を呈してなり、一側部（平面部（左側部））に開口を有する凹室状の空間が当該保護カバー部材７００の内部に形成されている。
そして、保護カバー部材７００は、例えば透光性の合成樹脂で形成されており、当該保護カバー部材７００の内部に収納された右側端封止手段５００や当該保護カバー部材７００で被覆された電子タグシール１３０を遊技制御装置１００の外部から視認できるようになっているとともに、電子タグシール１３０からの電波（具体的には、電子タグ１３１から発信された識別情報）を通すことができるようになっている。
【０１３３】
保護カバー部材７００は、当該保護カバー部材７００の内部（凹室状の空間）の前後方向の長さが、右側端封止手段５００の前後方向の長さと略同一又はそれよりも若干長くなるよう設定されているとともに、当該保護カバー部材７００の内部（凹室状の空間）の左右方向の長さが、右側端封止手段５００の左右方向の長さと略同一又はそれよりも若干長くなるよう設定されている。
具体的には、保護カバー部材７００は、例えば図２３（ｂ）に示すように、閉止状態において、当該保護カバー部材７００の左端部略全域が、第１ケース部材２００（具体的には、補強リブ２１１のうちの右端部分全域のリブの右面、右側壁２４０の外面（右面）、ストッパー２４１の右面等）及び第２ケース部材３００（具体的には、側方閉塞部３１６を構成する右側壁部の外面（右面）等）に当接し、かつ、当該保護カバー部材７００の内面に設けられた突起部７０１ａ，７０２ａ（後述）が、第１ケース部材２００に設けられた右第１外側固着部５１２の開口した前端部や第２ケース部材３００に設けられた右第２外側固着部５２２の開口した後端部に嵌まるよう形成されている。
【０１３４】
例えば図１３（ａ），（ｂ）に示すように、保護カバー部材７００を構成する前側壁部７０１及び後側壁部７０２において、当該前側壁部７０１のうちの左側部分及び当該後側壁部７０２のうちの左側部分は、保護カバー部材７００を構成する湾曲壁部７０３に連結されているのに対し、当該前側壁部７０１のうちの右側部分及び当該後側壁部７０２のうちの右側部分は、湾曲壁部７０３に連結されていない。そのため、前側壁部７０１のうちの右側部分及び後側壁部７０２のうちの右側部分は、左側部分を支点として、前後方向に弾性変形可能となっている。
【０１３５】
前側壁部７０１は、当該前側壁部７０１の内面（後面）のうちの右側部分に、保護カバー部材７００を右側端封止手段５００に取り付けた状態において、当該右側端封止手段５００を構成する右第１固着部５１０の外側固着部（すなわち、右第１外側固着部５１２）の開口した前端部に嵌合可能な突起部７０１ａを有している。
また、同様に、後側壁部７０２は、当該後側壁部７０２の内面（前面）のうちの右側部分に、保護カバー部材７００を右側端封止手段５００に取り付けた状態において、当該右
側端封止手段５００を構成する右第２固着部５２０の外側固着部（すなわち、右第２外側固着部５２２）の開口した後端部に嵌合可能な突起部７０２ａを有している。
すなわち、保護カバー部材７００は、突起部７０１ａが右第１外側固着部５１２の開口した前端部に嵌まることによって、及び／又は、突起部７０２ａが右第２外側固着部５２２の開口した後端部に嵌まることによって、右側端封止手段５００に固定されるよう構成されている。
【０１３６】
突起部７０１ａ，７０２ａのうちの右側部分は、その端部が、前側壁部７０１や後側壁部７０２の内面に対して垂直に起立しているのに対し、突起部７０１ａ，７０２ａのうちの左側部分は、内側（左側）に向かうにつれて徐々に突出度合いが小さくなる傾斜面となっている。
このように、保護カバー部材７００は、右側端封止手段５００に容易に取り付けることができるよう構成されているとともに、一旦右側端封止手段５００に取り付けられると、当該右側端封止手段５００から容易に取り外すことができないよう構成されている。
【０１３７】
具体的には、保護カバー部材７００を右側端封止手段５００に取り付ける際には、前側壁部７０１のうちの右側部分や後側壁部７０２のうちの右側部分を外側（具体的には、前側壁部７０１の場合は前側、後側壁部７０２の場合は後側）に向けて変形させるよう、右側端封止手段５００が、突起部７０１ａ，７０２ａの傾斜面に沿って、前側壁部７０１のうちの右側部分と後側壁部７０２のうちの右側部分との間隔を押し広げていく。そのため、突起部７０１ａ，７０２ａが邪魔になることがなく、保護カバー部材７００を右側端封止手段５００に容易に取り付けることが可能となる。
そして、保護カバー部材７００が右側端封止手段５００に取り付けられると、前側壁部７０１のうちの右側部分及び後側壁部７０２のうちの右側部分が元の状態に復帰して、当該前側壁部７０１が有する突起部７０１ａが、当該右側端封止手段５００を構成する右第１外側固着部５１２の開口した前端部に嵌まるとともに、当該後側壁部７０２が有する突起部７０２ａが、当該右側端封止手段５００を構成する右第２外側固着部５２２の開口した後端部に嵌まる。これにより、保護カバー部材７００を右側端封止手段５００に固定することが可能となる。
一方、保護カバー部材７００を右側端封止手段５００から取り外す際には、突起部７０１ａ，７０２ａのうちの右側部分の端部（すなわち、前側壁部７０１や後側壁部７０２の内面に対して垂直に起立している部分）が、右第１外側固着部５１２や右第２外側固着部５２２の内面に引っかかる。そのため、突起部７０１ａ，７０２ａが邪魔になって、保護カバー部材７００を右側端封止手段５００から取り外すことが困難となる。
【０１３８】
すなわち、固着部材（右固着部材５３０）を第１固着部（右第１外側固着部５１２）と第２固着部（右第２外側固着部５２２）とに挿通する際に当該固着部材が通る貫通孔（右第２外側固着部５２２の内部）によって係合受部が構成されているとともに、保護カバー部材７００の内面に形成されて、貫通孔（右第２外側固着部５２２の内部）に嵌まる突起部７０２ａによって係合部が構成されている。そして、保護カバー部材７００は、係合部が係合受部に係合することで第１固着部（右第１外側固着部５１２）及び第２固着部（右第２外側固着部５２２）に取り付けられるよう構成されている。
【０１３９】
また、突起部７０１ａ，７０２ａは、第１ケース部材２００と第２ケース部材３００とを最初に結合するための主固着部、すなわち副固着部よりも先に破壊される主固着部（右第１外側固着部５１２、右第２外側固着部５２２）のみに係合するので、主固着部が破壊されると、保護カバー部材７００を取り付けることができなくなる。そのため、第１ケース部材２００と第２ケース部材３００との最初の結合解除（すなわち、主固着部の破壊）による基板ボックス１２０の不正開封を抑制できるとともに、第１ケース部材２００と第２ケース部材３００との最初の結合解除（すなわち、主固着部の破壊）による基板ボックス１２０の不正開封を発見し易くすることができる。
【０１４０】
次に、遊技制御装置１００の組み立て方の一例について説明する。
まず、例えば図１９（ａ）に示すように、遊技制御基板１１０に実装されている複数のコネクタ１１６のうちの該当するコネクタ１１６に端子カバー部材１６０を装着する。
次いで、例えば図１９（ｂ）に示すように、遊技制御基板１１０を第２ケース部材３００に取り付けて、なべネジ１７０で固定する。
次いで、例えば図２１に示すように、第２ケース部材３００を挿入開口２００ａから収納空間Ｓ＊内へとスライド挿入して、当該収納空間Ｓ＊を閉止する。具体的には、第２ケース部材３００のスライドガイド壁３３２ａ，３３２ａの挿入先端側の端部（前端部）を、第１ケース部材２００のスライドガイド溝部２２２，２２２の挿入開口２００ａ側の端部（後端部）に挿入し、その状態のまま、第２ケース部材３００を第１ケース部材２００に対して前方向へと移動させて、挿入開口２００ａを当該第２ケース部材３００で閉塞する。
【０１４１】
次いで、例えば図２１に示すように、溶着部材６３０を第１溶着受部６１０の内部に収容して、当該第１溶着受部６１０の内部に収容されている第２溶着受部６２０の突出部６２２に係合させる。
次いで、例えば図２６に示すように、左側端封止手段４００の外側固着部（左第１外側固着部４１２及び左第２外側固着部４２２）を左固着部材４３０で固着（本締め）するとともに、右側端封止手段５００の外側固着部（右第１外側固着部５１２及び右第２外側固着部５２２）を右固着部材５３０で固着（本締め）する。そして、左第１外側固着部４１２の開口した前端部から封印キャップＣを挿入し、超音波溶着や熱溶着などの公知の溶着法によって当該封印キャップＣを左第１外側固着部４１２の内面に溶着するとともに、右第２外側固着部５２２の開口した後端部から封印キャップＣを挿入し、超音波溶着や熱溶着などの公知の溶着法によって当該封印キャップＣを右第２外側固着部５２２の内面に溶着する。
また、例えば図２６に示すように、左側端封止手段４００の内側固着部（左第２内側固着部４２１）に左固着部材４３０を挿入して仮締めするとともに、右側端封止手段５００の内側固着部（右第２内側固着部５２１）に右固着部材５３０を挿入して仮締めする。
このように、封印キャップＣによって本締めされた固着部材を封印しているので、本締めされた固着部材が直接いじられることを回避することができる。
次いで、超音波溶着や熱溶着などの公知の溶着法によって、第１溶着受部６１０の内部に収容されて第２溶着受部６２０の突出部６２２に係合している溶着部材６３０を、第１溶着受部６１０の内部及び第２溶着受部６２０の突出部６２２に溶着する。
【０１４２】
次いで、例えば図２３（ａ）に示すように、右側端封止手段５００の貼着領域Ｒに電子タグシール１３０を貼着する。
最後に、例えば図２３（ｂ）に示すように、右側端封止手段５００に保護カバー部材７００を取り付けることによって、遊技制御装置１００を組み立てることができる。
そして、組み立てられた遊技制御装置１００を遊技機１０に搭載する際には、例えば、基板ボックス１２０の側面に設けられた取付部（図示省略）が有するネジ孔になべネジ（図示省略）を挿通して、当該なべネジによって遊技盤３０の背面に設けられる取付ベース等に固定する。
【０１４３】
以上説明した第１実施形態の遊技機１０によれば、表面１１０ａに遊技用マイクロコンピュータ（制御デバイス１１２）が実装される制御基板（遊技制御基板１１０）と、当該遊技制御基板１１０を内部に収納するための透明樹脂製の基板ボックス１２０と、を有する制御装置（遊技制御装置１００）を備えた遊技機１０において、基板ボックス１２０は、一側部に挿入開口２００ａを有する凹室状の収納空間Ｓ＊を画成する第１ケース部材２００と、遊技制御基板１１０が取り付けられ、当該遊技制御基板１１０を収納空間Ｓ＊内に配置した状態で第１ケース部材２００と合体することが可能であるとともに、当該合体した状態で挿入開口２００ａの縁部と接合して当該挿入開口２００ａを閉塞することが可能な第２ケース部材３００と、第１ケース部材２００の挿入開口２００ａを第２ケース部材３００で閉塞して収納空間Ｓ＊を閉止する閉止状態を保持したまま、第１ケース部材２００と第２ケース部材３００とを離反不能に結合することが可能な封止手段（左側端封止手段４００、右側端封止手段５００、溶着封止手段６００）と、を備え、第１ケース部材２００は、遊技制御基板１１０の表面と対向する上壁２２０に、挿入開口２００ａ側の端部から収納空間Ｓ＊の奥行き方向に沿って設けられた露出用切欠部２２１を有し、第２ケース部材３００は、制御デバイス１１２の周囲を囲繞して保護するための囲繞カバー部３３０を備え、囲繞カバー部３３０は、閉止状態において収納空間Ｓ＊の外部に臨んだ状態で露出用切欠部２２１を塞ぐよう構成されている。
【０１４４】
したがって、制御デバイス１１２の周囲を囲繞して保護するための囲繞カバー部３３０を備えているので、遊技制御基板１１０に実装された制御デバイス１１２に対するセキュリティを担保することができる。
また、基板ボックス１２０を構成するケース部材として第１ケース部材２００と第２ケース部材３００とを備えており、囲繞カバー部３３０は当該第２ケース部材３００に備えられているので、囲繞カバー部を備えるケース部材をさらに備えている場合と比較して、基板ボックス１２０の薄型化が可能となる。さらに、第１ケース部材２００の一側部に設けられた挿入開口２００ａから当該第１ケース部材２００により画成される収納空間Ｓ＊内へと第２ケース部材３００をスライド挿入することによって、挿入開口２００ａが第２ケース部材３００で塞がれて収納空間Ｓ＊が閉止される。そのため、基板ボックスが上方に開口する下蓋と下方に開口する上蓋とからなる場合と比較して、基板ボックス１２０の薄型化が可能となる。
また、囲繞カバー部３３０は、閉止状態において収納空間Ｓ＊の外部に臨んでいる。すなわち、制御デバイス１１２は、囲繞カバー部３３０のみに覆われているので、制御デバイスが二重に覆われている場合と比較して、制御デバイス１１２の目視検査が行い易くなる。
【０１４５】
また、第１実施形態の遊技機１０によれば、囲繞カバー部３３０は、下部に制御デバイス１１２を挿入可能なデバイス挿入口３３１ａを有し、当該デバイス挿入口３３１ａから挿入された制御デバイス１１２を収納することが可能な凹室状の空間が内部に形成された囲繞カバー本体部３３１と、囲繞カバー本体部３３１から外側に向けて突設される囲繞カバー本体支持部３３２と、を備え、囲繞カバー本体部３３１は、閉止状態において露出用切欠部２２１を介して収納空間Ｓ＊の外部に臨み、囲繞カバー本体支持部３３２は、閉止状態において露出用切欠部２２１を塞ぐよう構成されている。
【０１４６】
したがって、露出用切欠部２２１は、閉止状態において囲繞カバー本体支持部３３２によって塞がれており、針金やピアノ線などの不正部材を挿入し難くなっているので、遊技制御基板１１０への不正アクセス等を抑制することが可能となり、遊技制御基板１１０に対するセキュリティが高まる。
【０１４７】
また、第１実施形態の遊技機１０によれば、囲繞カバー本体支持部３３２は、囲繞カバー本体部３３１の下端部から外側に向けて突設されてなり、閉止状態において第１ケース部材２００の上壁２２０に下方から重合して露出用切欠部２２１を塞ぐよう構成されている。
【０１４８】
したがって、囲繞カバー本体支持部３３２は、閉止状態において第１ケース部材２００の上壁２２０に下方から重合して露出用切欠部２２１を塞いでいるので、露出用切欠部２２１から針金やピアノ線などの不正部材が挿入されたとしても、当該挿入された不正部材が制御デバイス１１２に向けて侵入し難い。
すなわち、囲繞カバー本体支持部が第１ケース部材２００の上壁２２０に上方から重合して露出用切欠部２２１を塞いでいる場合には、露出用切欠部２２１から不正部材を挿入する際、当該不正部材を囲繞カバー本体支持部の下方内側に向けて挿入することになるので、当該挿入された不正部材が制御デバイス１１２に向けて侵入し易くなる。これに対し、囲繞カバー本体支持部３３２が第１ケース部材２００の上壁２２０に下方から重合して露出用切欠部２２１を塞いでいる場合には、露出用切欠部２２１から不正部材を挿入する際、当該不正部材を囲繞カバー本体支持部３３２の下方よりも外側に向けて挿入することになるので、当該挿入された不正部材が制御デバイス１１２に向けて侵入し難くなる。そのため、制御デバイス１１２への不正アクセス等を抑制することが可能となり、制御デバイス１１２に対するセキュリティが高まる。
【０１４９】
また、第１実施形態の遊技機１０によれば、遊技制御基板１１０には、実装時の高さが制御デバイス１１２よりも低いその他の電子部品１１１が面実装されているとともに、当該遊技制御基板１１０の表面１１０ａのうちの制御デバイス１１２が実装された領域の周囲には、その他の電子部品１１１が実装されない非実装領域が設けられており、囲繞カバー本体支持部３３２は、閉止状態において非実装領域に近接している。
【０１５０】
すなわち、遊技制御基板１１０の表面１１０ａのうちの制御デバイス１１２が実装された領域の周囲には、制御デバイス１１２もその他の電子部品１１１も実装されていない非実装領域が設けられているので、囲繞カバー本体支持部３３２を非実装領域に近接乃至当接させることができる。これにより、囲繞カバー本体支持部３３２と非実装領域（遊技制御基板１１０の表面１１０ａ）との間の隙間から針金やピアノ線などの不正部材が挿入し難くなるので、制御デバイス１１２への不正アクセス等を抑制することが可能となり、制御デバイス１１２に対するセキュリティが高まる。
また、その他の電子部品１１１が上面に個体を識別するための識別子が付された面実装部品であるので、その他の電子部品１１１がディップ部品である場合と比較して、第１ケース部材２００の厚みを抑制することができ、基板ボックス１２０の薄型化が可能となる。
【０１５１】
なお、本実施形態では、囲繞カバー本体支持部３３２を、閉止状態において非実装領域に近接するよう構成したが、これに限ることはなく、非実装領域に当接するよう構成しても良い。
【０１５２】
また、第１実施形態の遊技機１０によれば、第１ケース部材２００の上壁２２０のうちの露出用切欠部２２１の縁部と、囲繞カバー本体支持部３３２のうちの閉止状態において露出用切欠部２２１の縁部と対向する位置と、のうちの何れか一方には、収納空間Ｓ＊の奥行き方向に沿って延設されたスライドガイド溝部２２２が設けられているとともに、何れか他方には、収納空間Ｓ＊の奥行き方向に沿って延設されて閉止状態への変換時にスライドガイド溝部２２２にスライド可能に係合するスライド部（スライドガイド壁３３２ａ）が設けられている。
【０１５３】
したがって、スライド部（スライドガイド壁３３２ａ）をスライドガイド溝部２２２にスライド係合させて、第１ケース部材２００の収納空間Ｓ＊の奥側方向へと第２ケース部材３００をスライドさせるだけで、挿入開口２００ａが第２ケース部材３００で塞がれて収納空間Ｓ＊が閉止されるので、基板ボックス１２０の組み付け作業を楽に行うことができる。
また、スライドガイド壁３３２ａがスライドガイド溝部２２２にスライド係合するので、露出用切欠部２２１から針金やピアノ線などの不正部材が挿入されたとしても、当該係合構造によって、不正部材が基板ボックス１２０の内部へ侵入してしまうことを防止することができる。そのため、遊技制御基板１１０への不正アクセス等を回避することが可能となり、遊技制御基板１１０に対するセキュリティが高まる。
【０１５４】
また、第１実施形態の遊技機１０によれば、第２ケース部材３００は、遊技制御基板１１０を表面を上に向けた状態で下方から取り付けることが可能であり、当該第２ケース部材３００に取り付けられた遊技制御基板１１０を支持することが可能であるとともに、閉止状態において遊技制御基板１１０とともに収納空間Ｓ＊内に配置される基板支持部（挿入部）３２０と、閉止状態において挿入開口２００ａを閉塞することが可能な開口閉塞部３１０と、を備え、基板支持部（挿入部）３２０は、少なくとも開口閉塞部３１０を一辺部として第２ケース部材３００に取り付けられた遊技制御基板１１０の外周を囲繞するとともに、その他の電子部品１１１を上方に露出させることが可能な枠状に形成され、囲繞カバー部３３０は、開口閉塞部３１０と、基板支持部（挿入部）３２０のうちの開口閉塞部３１０と対向する辺部（前側部３２３）と、の間に懸架されている。
【０１５５】
したがって、第２ケース部材３００に取り付けられた遊技制御基板１１０は、当該第２ケース部材３００が備える基板支持部（挿入部）３２０によって支持されているので、第２ケース部材３００に取り付けられた遊技制御基板１１０を収納空間Ｓ＊内へとスライド挿入する際の作業性が向上し、基板ボックス１２０の組み付け作業を楽に行うことができる。
また、基板支持部（挿入部）３２０は、遊技制御基板１１０の外周を囲繞するとともに、その他の電子部品１１１を上方に露出させる枠状に形成されている。すなわち、閉止状態において遊技制御基板１１０の表面１１０ａのうち少なくとも一部は、第１ケース部材２００のみに覆われているので、遊技制御基板１１０の目視検査が行い易くなる。
また、囲繞カバー部３３０は、開口閉塞部３１０と、基板支持部（挿入部）３２０のうちの開口閉塞部３１０と対向する辺部（前側部３２３）と、の間に懸架されているので、囲繞カバー部３３０によって枠状の基板支持部（挿入部）３２０を補強することができる。
【０１５６】
また、第１実施形態の遊技機１０によれば、挿入開口２００ａは、第１ケース部材２００の一の側部を少なくとも含む側部から上部の一部にかけて開口し、遊技制御基板１１０は、一の端部側に複数のコネクタ１１６が実装されているとともに、当該コネクタ１１６が開口閉塞部３１０側に配置された状態で第２ケース部材３００に取り付けられ、開口閉塞部３１０は、遊技制御基板１１０の表面と対向するとともにコネクタ１１６を基板ボックス１２０の外部に露出させるためのコネクタ用開口３１２を有し、挿入開口２００ａを上方から閉塞することが可能な上方閉塞部３１１と、挿入開口２００ａを側方から閉塞することが可能な側方閉塞部３１６と、を備えている。
【０１５７】
したがって、コネクタ１１６は、閉止状態において、開口閉塞部３１０側に位置し、当該開口閉塞部３１０が有するコネクタ用開口３１２から外部に露出されており、第１ケース部材２００が画成する収納空間Ｓ＊内に配置されない。そのため、コネクタ１１６が収納空間Ｓ＊内に配置される場合と比較して、第１ケース部材２００の厚みを抑制することができるので、基板ボックス１２０の薄型化が可能となる。
【０１５８】
また、第１実施形態の遊技機１０によれば、上方閉塞部３１１は、閉止状態において第１ケース部材２００の上壁２２０のうちの挿入開口２００ａ側の端部と当接する当接部３１１ａを有し、当接部３１１ａには、第１ケース部材２００の上壁２２０を下方から支持する下方支持部３１１ｂが設けられている。
【０１５９】
したがって、第１ケース部材２００の上壁２２０を下方から支持する下方支持部３１１ｂが設けられており、第１ケース部材２００の上壁２２０が下方へと変形してしまうことを抑制することができるので、第１ケース部材２００と第２ケース部材３００との間に隙間が生じてしまうことを抑制することができる。
【０１６０】
また、第１実施形態の遊技機１０によれば、当接部３１１ａには、第１ケース部材２００の上壁２２０を上方から支持する上方支持部３１１ｃが設けられている。
【０１６１】
したがって、第１ケース部材２００の上壁２２０を上方から支持する上方支持部３１１ｃが設けられており、第１ケース部材２００の上壁２２０が上方へと変形してしまうことを抑制することができるので、第１ケース部材２００と第２ケース部材３００との間に隙間が生じてしまうことを抑制することができる。
【０１６２】
また、第１実施形態の遊技機１０によれば、封止手段（左側端封止手段４００、右側端封止手段５００）は、第１ケース部材２００に設けられて、収納空間Ｓ＊内に配置された遊技制御基板１１０の側方に位置する第１固着部（左第１固着部４１０、右第１固着部５１０）と、第１固着部に対応させて第２ケース部材３００に設けられて、収納空間Ｓ＊内に配置された遊技制御基板１１０の側方に位置する第２固着部（左第２固着部４２０、右第２固着部５２０）と、第１固着部と第２固着部とに挿通されて、当該第１固着部と当該第２固着部とを固着するための固着部材（左固着部材４３０、右固着部材５３０）と、を備え、第１固着部及び第２固着部は、収納空間Ｓ＊内に配置された遊技制御基板１１０の厚み方向に直交する方向に重合し、固着部材は、第１固着部と第２固着部との重合方向に沿って挿通されて、当該第１固着部と当該第２固着部とを重合した状態で固着するよう構成されている。
【０１６３】
したがって、第１固着部及び第２固着部は、閉止空間Ｓに収納された（収納空間Ｓ＊内に配置された）遊技制御基板１１０の厚み方向に直交する方向に重合しているので、第１固着部及び第２固着部が閉止空間に収納された（収納空間Ｓ＊内に配置）制御基板の厚み方向に重合している場合と比較して、封止手段が基板ボックス１２０の厚み方向に分厚くならない。そのため、基板ボックス１２０の厚みを抑制することができるので、基板ボックス１２０の薄型化が可能となる。
また、第１固着部及び第２固着部は、閉止空間に収納された（収納空間Ｓ＊内に配置）遊技制御基板１１０の厚み方向に直交する方向に重合しているので、第１固着部及び第２固着部が閉止空間に収納された制御基板の厚み方向に重合している場合と比較して、封止手段の破壊（すなわち、第１固着部と第２固着部とのうちの少なくとも何れか一方の破壊）に伴い基板ボックス１２０の平面視外形が大きく変化する。そのため、封止手段の破壊による基板ボックス１２０の不正開封を抑制できるとともに、封止手段の破壊による基板ボックス１２０の不正開封を発見し易くすることができる。
【０１６４】
また、第１実施形態の遊技機１０によれば、表面１１０ａに各種の電子部品１１１が実装される制御基板（遊技制御基板１１０）と、当該遊技制御基板１１０を内部に収納するための透明樹脂製の基板ボックス１２０と、を有する制御装置（遊技制御装置１００）を備えた遊技機１０において、電子部品１１１は、側面に識別情報が付されているとともに、記憶された遊技プログラムに従って遊技の制御を行う遊技用マイクロコンピュータ（制御デバイス１１２）と、制御デバイス１１２が実装された領域の周辺領域に実装され、実装時の高さが当該制御デバイス１１２よりも低いその他の電子部品１１１と、を含み、基板ボックス１２０のうち遊技制御基板１１０の表面１１０ａを覆う上面部は、周辺領域を覆う周辺領域カバー部（第１ケース部材２００を構成する上壁２２０と、囲繞カバー部３３０を構成する囲繞カバー本体支持部３３２）と、制御デバイス１１２を覆うデバイスカバー部（囲繞カバー部３３０を構成する囲繞カバー本体部３３１）と、を備え、デバイスカバー部は、下部に制御デバイス１１２を挿入可能なデバイス挿入口３３１ａを有し、当該デバイス挿入口３３１ａから挿入された制御デバイス１１２を収納することが可能な凹室状の空間が内部に形成されてなり、周辺領域カバー部は、デバイスカバー部の上部よりも遊技制御基板１１０寄りに配置されている。
【０１６５】
したがって、周辺領域カバー部が、デバイスカバー部の上部よりも遊技制御基板１１０寄りに配置されているので、デバイスカバー部のうち制御デバイス１１２の側面（印字面１１２ａ）に対向する部分（すなわち、囲繞カバー本体部３３１の側壁部）は、周辺領域カバー部よりも上方に突出した状態となっている。そのため、当該側壁部を介して、制御デバイス１１２の印字面１１２ａを視認することが可能となり、制御デバイス１１２の側面に識別情報が印字されている場合であっても、制御デバイス１１２の目視検査が行い易くなる。
【０１６６】
また、第１実施形態の遊技機１０によれば、周辺領域は、その他の電子部品１１１が実装された実装領域と、実装領域と制御デバイス１１２が実装された領域との間に設けられ、電子部品１１１が実装されない非実装領域と、を含み、周辺領域カバー部のうち非実装領域に対応する部分には、遊技制御基板１１０側に向けて窪ませた視認段部Ｄが設けられている。
【０１６７】
したがって、周辺領域カバー部のうち非実装領域に対応する部分には、視認段部Ｄが設けられているので、制御デバイス１１２の印字面１１２ａの下端部分まで視認することが可能となり、視認段部Ｄが設けられていない場合と比較して、制御デバイス１１２の目視検査が行い易くなる。
【０１６８】
また、第１実施形態の遊技機１０によれば、周辺領域カバー部のうち、実装領域を覆う部分から視認段部Ｄに落ち込む角部には、面取り部２２２ａが設けられている。
【０１６９】
したがって、周辺領域カバー部のうち視認段部Ｄに落ち込む角部には、面取り部２２２ａが設けられているので、制御デバイス１１２の印字面１１２ａを視認する際の視野角が広がり、面取り部２２２ａが設けられていない場合と比較して、制御デバイス１１２の目視検査が行い易くなる。
【０１７０】
また、第１実施形態の遊技機１０によれば、制御デバイス１１２は、本体部（制御デバイス１１２本体部）と、当該制御デバイス１１２本体部の下面から突設された端子部（制御デバイス１１２の脚部１１２ｂ）と、を備え、当該制御デバイス１１２本体部が遊技制御基板１１０から離間した状態で当該制御デバイス１１２の脚部１１２ｂによって当該遊技制御基板１１０に実装されてなり、基板ボックス１２０の内面のうち視認段部Ｄの底面となる部分は、制御デバイス１１２本体部の下面よりも遊技制御基板１１０に近接している。
【０１７１】
したがって、基板ボックス１２０の内面のうち視認段部Ｄの底面となる部分は、制御デバイス１１２本体部の下面よりも遊技制御基板１１０に近接しているので、制御デバイス１１２の印字面１１２ａの下端部分まで視認することが可能となり、遊技制御基板１１０に近接していない場合と比較して、制御デバイス１１２の目視検査が行い易くなる。
また、基板ボックス１２０の内面のうち視認段部Ｄの底面となる部分は、制御デバイス１１２本体部の下面よりも遊技制御基板１１０に近接しており、制御デバイス１１２の脚部１１２ｂの近傍に余分なスペースがないので、不正な電子部品を追加する等の不正行為を抑制することができる。
【０１７２】
また、第１実施形態の遊技機１０によれば、その他の電子部品１１１は、上面に個体を識別するための識別子が付された面実装部品である。
【０１７３】
したがって、その他の電子部品１１１は上面に個体を識別するための識別子が付された面実装部品であるので、周辺領域カバー部のうち実装領域を覆う部分を遊技制御基板１１０に近づけることができる。
そのため、基板ボックス１２０のうち周辺領域に対応する部分（すなわち、基板ボックス１２０のうち制御デバイス１１２を覆う部分以外の部分）の厚みを抑制することができるので、基板ボックス１２０の薄型化が可能となる。また、上面の識別子が付されているので、その他の電子部品の目視確認が行い易い。
【０１７４】
また、第１実施形態の遊技機１０によれば、表面１１０ａに遊技制御用の電子部品１１１が実装される制御基板（遊技制御基板１１０）と、当該遊技制御基板１１０を内部に収納するための基板ボックス１２０と、を有する制御装置（遊技制御装置１００）を備えた遊技機１０において、基板ボックス１２０は、遊技制御基板１１０を収納するための閉止空間Ｓを画成する第１ケース部材２００及び第２ケース部材３００と、第１ケース部材２００と第２ケース部材３００との接合部分に設けられ、当該第１ケース部材２００と当該第２ケース部材３００とを合体させて閉止空間Ｓを画成する閉止状態を保持したまま、当該第１ケース部材２００と当該第２ケース部材３００とを離反不能に結合することが可能な封止手段（本実施形態では右側端封止手段５００）と、を備え、封止手段は、第１ケース部材２００から外側に向けて突設される第１固着部（右第１固着部５１０）と、閉止状態において第１固着部と重合するよう第２ケース部材３００から外側に向けて突設される第２固着部（右第２固着部５２０）と、第１固着部と第２固着部とに挿通されて、当該第１固着部と当該第２固着部とを重合した状態で固着するための固着部材（右固着部材５３０）と、を備え、第１固着部及び第２固着部は、他方と重合する側に底部を有するとともに当該他方と重合する側とは反対側が開口した有底筒状の主固着部（右第１外側固着部５１２、右第２外側固着部５２２）をそれぞれ備え、第１固着部の主固着部（右第１外側固着部５１２）は、当該主固着部の底部に、固着部材の頭部は通過不能で軸部は通過可能な孔部（ねじ孔）を有し、第２固着部の主固着部（右第２外側固着部５２２）は、当該主固着部の内部に主孔部（ねじ孔）を挿通された固着部材の軸部が係合する固着受部（ねじ止め部）を有し、固着部材は、第１固着部の主固着部と第２固着部の主固着部とを固着する際、第１固着部の主固着部のうち開口した側から第１固着部と第２固着部との重合方向に沿って挿通され、第１固着部の主固着部の重合方向の長さは、第２固着部の主固着部の重合方向の長さよりも長くなるよう設定されている。
【０１７５】
したがって、固着部材は、第１固着部の主固着部のうち開口した側から挿通されるので、第１固着部の主固着部と第２固着部の主固着部とを固着した固着状態において、固着部材の頭部は、第１固着部の主固着部の内部に収納される。そして、固着状態の固着部材の頭部が収納される第１固着部の主固着部の重合方向の長さは、第２固着部の主固着部の重合方向の長さよりも長いので、第１固着部の主固着部のうち開口した側の端部から固着状態の固着部材の頭部までの距離が長くなり、固着状態の固着部材の頭部を削る等の細工が施し難くなる。したがって、固着状態の固着部材に細工を加えて封止手段に破壊痕跡を残すことなく基板ボックス１２０を開封するといった不正行為を抑制することが可能となる。
【０１７６】
また、第１実施形態の遊技機１０によれば、第１固着部（右第１固着部５１０）及び前記第２固着部（右第２固着部５２０）は、他方と重合する側に底部を有するとともに当該他方と重合する側とは反対側が開口した有底筒状の副固着部（右第１内側固着部５１１、右第２内側固着部５２１）をそれぞれ備え、主固着部（右第１外側固着部５１２、右第２外側固着部５２２）は、第１ケース部材２００と第２ケース部材３００とを最初に結合するためのものであるとともに、副固着部は、主固着部による結合の解除後に第１ケース部材２００と第２ケース部材３００とを再結合するためのものであり、第１固着部の副固着部（右第１内側固着部５１１）は、当該副固着部の底部に、固着部材（右固着部材５３０）の頭部は通過不能で軸部は通過可能な副孔部（ねじ孔）を有し、第２固着部の副固着部（右第２内側固着部５２１）は、当該副固着部の内部に副孔部（ねじ孔）を挿通された固着部材の軸部が係合する固着受部（ねじ止め部）を有し、固着部材は、第１固着部の副固着部と第２固着部の副固着部とを固着する際、第１固着部の副固着部のうち開口した側から第１固着部と第２固着部との重合方向（第１固着部と第２固着部との重合面に直交する方向）に沿って挿通され、第１固着部の副固着部の重合方向の長さは、第２固着部の副固着部の重合方向の長さよりも短くなるよう設定されている。
【０１７７】
したがって、固着部材は、第１固着部の副固着部のうち開口した側から挿入されるので、第１固着部の副固着部と第２固着部の副固着部とを固着した固着状態において、固着部材の頭部は、第１固着部の副固着部の内部に収納される。通常では開封検査として主固着部を破壊して制御基板に問題がなければ新たな制御装置に交換されるまでの仮運用として副固着部を固着して制御装置が再利用されることになっているが、固着状態の固着部材の頭部が収納される第１固着部の副固着部の重合方向の長さは、第２固着部の副固着部の重合方向の長さよりも短いので、第１固着部の副固着部のうち開口した側の端部から固着状態の固着部材の頭部までの距離が短くなり、制御装置の再利用時に副固着部に対して固着部材を固着状態にする際の作業を楽に行うことができる。
【０１７８】
また、第１実施形態の遊技機１０によれば、予め記憶された固有の識別情報を発信可能な電子タグ１３１を有する電子タグシール１３０を備え、基板ボックス１２０は、電子タグシール１３０を貼着するための貼着領域Ｒを備え、第１固着部（右第１固着部５１０）の外面と第２固着部（右第２固着部５２０）の外面とは、閉止状態において重合方向に面一となるよう設定され、貼着領域Ｒは、第１固着部の外面と第２固着部の外面とに跨って形成されている。
【０１７９】
したがって、貼着領域Ｒが第１固着部の外面と第２固着部の外面とに跨って形成されており、貼着領域Ｒを専用に確保する必要がないので、効率よく基板ボックス１２０に電子タグシール１３０を貼着することができる。
また、第１固着部の外面と第２固着部の外面とは重合方向に面一となるよう設定されており、貼着領域Ｒは第１固着部の外面と第２固着部の外面とに跨って形成されているので、第１ケース部材２００と第２ケース部材３００との結合を解除（すなわち、基板ボックス１２０を開封）するために第１固着部と第２固着部との重合を解除すると、当該重合境界で電子タグシール１３０が破損することになる。そのため、第１固着部と第２固着部との重合解除による基板ボックス１２０の不正開封を抑制できるとともに、第１固着部と第２固着部との重合解除による基板ボックス１２０の不正開封を発見し易くすることができる。
【０１８０】
また、第１実施形態の遊技機１０によれば、主固着部（右第１外側固着部５１２、右第２外側固着部５２２）及び副固着部（右第１内側固着部５１１、右第２内側固着部５２１）は、当該主固着部が当該副固着部よりも外側に位置するよう、閉止空間Ｓに収納された遊技制御基板１１０の厚み方向に直交する方向に並んで配設されており、貼着領域Ｒは、主固着部と副固着部とに跨って形成されており、閉止状態において第１固着部の主固着部と第２固着部の主固着部との間に形成される主側重合境界と、閉止状態において第１固着部の副固着部と第２固着部の副固着部との間に形成される副側重合境界と、は一直線上に並ばないよう重合方向にずらされている。
【０１８１】
したがって、貼着領域Ｒが主固着部と副固着部とに跨って形成されているので、第１ケース部材２００と第２ケース部材３００との最初の結合を解除するために主固着部を破壊すると、電子タグシール１３０も破損することになる。そのため、第１ケース部材２００と第２ケース部材３００との最初の結合解除による基板ボックス１２０の不正開封を抑制できるとともに、第１ケース部材２００と第２ケース部材３００との最初の結合解除による基板ボックス１２０の不正開封を発見し易くすることができる。
また、貼着領域Ｒが主固着部と副固着部とに跨って形成されているとともに、主側重合境界と副側重合境界とが一直線上に並ばないよう重合方向にずらされているので、基板ボックス１２０の不正開封を抑制できるとともに、基板ボックス１２０の不正開封を発見し易くすることができる。すなわち、第１ケース部材２００と第２ケース部材３００との結合を解除（すなわち、基板ボックス１２０を開封）するために第１固着部と第２固着部との重合を解除すると、当該重合境界で電子タグシール１３０が破断することになるが、主側重合境界と副側重合境界とが一直線上に並ばないよう重合方向にずらされているので、電子タグシール１３０の破断面が汚くなる。そのため、第１固着部と第２固着部との重合解除による基板ボックス１２０の不正開封を抑制できるとともに、第１固着部と第２固着部との重合解除による基板ボックス１２０の不正開封を発見し易くすることができる。
【０１８２】
また、第１実施形態の遊技機１０によれば、電子タグ１３１は、識別情報を記憶するチップ部１３１ａと、当該チップ部１３１ａが記憶する識別情報を発信可能なアンテナ部１３１ｂと、を有し、電子タグシール１３０は、主側重合境界と電子タグ１３１とが交差する状態で貼着領域Ｒに貼着されている。
【０１８３】
したがって、電子タグ１３１が主側重合境界と交差しているので、第１ケース部材２００と第２ケース部材３００との最初の結合を解除するために第１固着部の主固着部（右第１外側固着部５１２）と第２固着部の主固着部（右第２外側固着部５２２）との重合を解除すると、当該主側重合境界で電子タグ１３１が破損することになる。電子タグ１３１が破損すると、通信状態が悪くなり、識別情報が発信され難くなったり発信されなくなったりするため、所定の読取装置を電子タグシール１３０にかざすだけで、電子タグ１３１が破損しているか否か（すなわち、基板ボックス１２０が不正開封されたか否か）を検査することができる。そのため、第１固着部の主固着部と第２固着部の主固着部との重合解除による基板ボックス１２０の不正開封を抑制できるとともに、第１固着部の主固着部と第２固着部の主固着部との重合解除による基板ボックス１２０の不正開封を発見し易くすることができる。
【０１８４】
また、第１実施形態の遊技機１０によれば、第１固着部（右第１固着部５１０）及び第２固着部（右第２固着部５２０）は、主固着部（右第１外側固着部５１２、右第２外側固着部５２２）と副固着部（右第１内側固着部５１１、右第２内側固着部５２１）とを分離可能に連結する脆弱部（右第１脆弱部５１３、右第２脆弱部５２３）をそれぞれ備え、電子タグシール１３０は、脆弱部と電子タグ１３１とが交差する状態で貼着領域Ｒに貼着されている。
【０１８５】
したがって、電子タグ１３１が脆弱部と交差しているので、脆弱部を破壊して主固着部を副固着部から切り離すと、当該脆弱部で電子タグ１３１が破損することになる。電子タグ１３１が破損すると、通信状態が悪くなり、識別情報が発信され難くなったり発信されなくなったりするため、所定の読取装置を電子タグシール１３０にかざすだけで、電子タグ１３１が破損しているか否か（すなわち、基板ボックス１２０が不正開封されたか否か）を検査することができる。そのため、脆弱部の破壊による基板ボックス１２０の不正開封を抑制できるとともに、脆弱部の破壊による基板ボックス１２０の不正開封を発見し易くすることができる。
【０１８６】
また、第１実施形態の遊技機１０によれば、基板ボックス１２０は、貼着領域Ｒに貼着された電子タグシール１３０を保護するための透明な保護カバー部材７００を備え、保護カバー部材７００は、その内部に一側部に開口を有する凹室状の内部空間が形成されてなり、当該内部空間に封止手段（右側端封止手段５００）を収納した状態で電子タグシール１３０を被覆するよう構成されている。
【０１８７】
したがって、電子タグシール１３０を保護するための透明な保護カバー部材７００を備えているので、電子タグシール１３０の不意の破損を防止することができる。
また、封止手段は、保護カバー部材７００の内部空間に収納されているため、封止手段の破壊による基板ボックス１２０の不正開封を抑制できる。
【０１８８】
また、第１実施形態の遊技機１０によれば、表面１１０ａに遊技制御用の電子部品１１１が実装される制御基板（遊技制御基板１１０）と、当該遊技制御基板１１０を内部に収納するための基板ボックス１２０と、を有する制御装置（遊技制御装置１００）を備えた遊技機１０において、基板ボックス１２０は、遊技制御基板１１０を収納するための閉止空間Ｓを画成する第１ケース部材２００及び第２ケース部材３００と、第１ケース部材２００と第２ケース部材３００とを合体させて閉止空間Ｓを画成する閉止状態を保持したまま、第１ケース部材２００と第２ケース部材３００とを離反不能に結合することが可能な溶着封止手段６００と、を備え、第１ケース部材２００は、当該第１ケース部材２００を構成する壁部のうち、閉止状態において第２ケース部材３００の所定部位（本実施形態では前側部３２３）と対向する所定の壁部（本実施形態では前側壁２５０）に挿通口２５１を有し、溶着封止手段６００は、第１ケース部材２００の前側壁２５０の外面のうち挿通口２５１に対応する位置に設けられた第１溶着受部６１０と、第２ケース部材３００に設けられ、閉止状態において挿通口２５１を介して閉止空間Ｓの外部に突出して第１溶着受部６１０と隣接する第２溶着受部６２０と、閉止空間Ｓの外部で隣接した第１溶着受部６１０と第２溶着受部６２０とに溶着されて、当該第１溶着受部６１０と当該第２溶着受部６２０とを隣接した状態で連結するための溶着部材６３０と、を備えるよう構成されている。
【０１８９】
したがって、溶着によって第１ケース部材２００と第２ケース部材３００とを結合しているので、基板ボックス１２０の不正開封に対するセキュリティを高めることができる。
また、第１溶着受部６１０と第２溶着受部６２０とは、閉止空間Ｓの外部に突出、すなわち基板ボックス１２０から突出しているので、基板ボックス１２０の開封痕跡（具体的には、第１溶着受部６１０及び第２溶着受部６２０が切断された痕跡等）を見た目で把握することが可能となり、封止手段の破壊が発見し易くなる。
さらに、第１溶着受部６１０と第２溶着受部６２０とは、基板ボックス１２０から突出した状態で溶着部材６３０によって連結されており、第１溶着受部６１０及び第２溶着受部６２０を切断するだけで溶着封止手段６００を破壊することができるので、基板ボックス１２０を検査開封する際の作業性が向上する。
【０１９０】
また、第１実施形態の遊技機１０によれば、第２溶着受部６２０は、閉止状態において挿通口２５１内に配置される基部６２１と、閉止状態において閉止空間Ｓの外部に配置される突出部６２２と、を備え、溶着部材６３０は、第２溶着受部６２０の突出部６２２に係合可能であり、当該溶着部材６３０が閉止状態において突出部６２２に係合すると、第１ケース部材２００の前側壁２５０の外面のうち挿通口２５１の縁部に当接して第２溶着受部６２０の移動を規制するよう構成されている。
【０１９１】
したがって、溶着部材６３０は、閉止状態において第２溶着受部６２０の突出部６２２に係合すると、第１ケース部材２００の挿通口２５１の縁部に当接して第２溶着受部６２０の移動（すなわち、第２ケース部材３００の移動）を規制することができる。つまり、溶着部材６３０を、溶着しなくても、第２溶着受部６２０の突出部６２２に係合させるだけで、閉止状態の維持が可能となる。したがって、溶着部材６３０の溶着前において閉止状態を維持しておくことができるので、溶着部材６３０の溶着が行い易くなる。
【０１９２】
また、第１実施形態の遊技機１０によれば、第１溶着受部６１０は、当該第１溶着受部６１０の内部に、溶着部材６３０と第２溶着受部６２０の突出部６２２とを収容可能な収容空間が形成されてなり、突出部６２２は、第２溶着受部６２０の突出方向に沿って第１溶着受部６１０の内部に進入して収容空間に収容され、溶着部材６３０は、第２溶着受部６２０の突出方向に直交する方向に沿って第１溶着受部６１０の内部に進入して収容空間に収容され、当該溶着部材６３０を収容空間に収容すると、当該収容空間に収容されている突出部６２２に係合するよう構成されている。
【０１９３】
したがって、第２溶着受部６２０の突出部６２２を第１溶着受部６１０の内部に形成される収容空間に収容した後に、溶着部材６３０を収容空間に収容させるという簡単な操作だけで、溶着部材６３０が突出部６２２に係合し、第２溶着受部６２０の移動を規制することができる。したがって、当該簡単な操作だけで、溶着部材６３０の溶着前において閉止状態を維持しておくことができるので、溶着部材６３０の溶着が行い易くなる。
【０１９４】
また、第１実施形態の遊技機１０によれば、溶着部材６３０は、第１溶着受部６１０の収容空間及び第２溶着受部６２０の突出部６２２に溶着されるよう構成されているとともに、収容空間に嵌入可能な大きさに形成され、当該溶着部材６３０が収容空間に嵌入すると、当該収容空間に収容されている突出部６２２を被覆するよう構成されている。
【０１９５】
したがって、溶着部材６３０は、第１溶着受部６１０に形成される収容空間に嵌入可能な大きさに形成されているので、溶着部材６３０の溶着前において当該溶着部材６３０が第１溶着受部６１０の収容空間から外れてしまうことを抑制できるとともに、当該溶着部材６３０を適切な位置に溶着することが可能となる。
また、溶着部材６３０は、第１溶着受部６１０の収容空間に嵌入すると、当該収容空間に収容されている第２溶着受部６２０の突出部６２２を被覆するので、当該突出部６２２のみを破壊（切断）して基板ボックス１２０を開封することができなくなる。したがって、基板ボックス１２０を開封するためには、第１溶着受部６１０と第２溶着受部６２０との両方を破壊（切断）する必要があるので、基板ボックス１２０の開封痕跡（具体的には、第１溶着受部６１０及び第２溶着受部６２０が切断された痕跡等）を見た目で把握することが可能となり、封止手段の破壊が発見し易くなる。
【０１９６】
また、第１実施形態の遊技機１０によれば、基板ボックス１２０は、溶着封止手段６００による結合の解除後に第１ケース部材２００と第２ケース部材３００とを再結合するための副固着封止手段（副固着部）を、当該溶着封止手段６００とは別個に備え、副固着封止手段は、第１ケース部材２００と第２ケース部材３００との接合部分に設けられており、第１ケース部材２００に設けられた第１固着部（左第１内側固着部４１１、右第１内側固着部５１１）と、閉止状態において第１固着部と重合するよう第２ケース部材３００に設けられた第２固着部（左第２内側固着部４２１、右第２内側固着部５２１）と、第１固着部と第２固着部とに挿通されて、当該第１固着部と当該第２固着部とを重合した状態で固着するための固着部材（左固着部材４３０、右固着部材５３０）と、を備え、第２溶着受部６２０の基部６２１は、挿通口２５１を閉塞可能な大きさに形成されている。
【０１９７】
したがって、第１ケース部材２００と第２ケース部材３００とを再結合するための副固着封止手段を備えているので、基板ボックス１２０の検査開封の後も継続して遊技制御装置１００を使用することが可能となる。
また、閉止状態において挿通口２５１内に配置される第２溶着受部６２０の基部６２１は、当該挿通口２５１を閉塞可能な大きさに形成されているので、溶着封止手段６００を破壊するために第１溶着受部６１０及び第２溶着受部６２０が切断されたとしても、当該基部６２１により挿通口２５１が閉塞され、当該挿通口２５１から針金やピアノ線などの不正部材を挿入することができない。また、これにより、基板ボックス１２０の検査開封の後も遊技制御基板１１０に対するセキュリティを担保しつつ、継続して遊技制御装置１００を使用することが可能となる。
【０１９８】
また、第１実施形態の遊技機１０によれば、表面１１０ａに遊技制御用の各種電子部品１１１及びコネクタ１１６が実装される制御基板（遊技制御基板１１０）と、当該遊技制御基板１１０を内部に収納するための閉止空間Ｓを画成する基板ボックス１２０と、を有する制御装置（遊技制御装置１００）を備えた遊技機１０において、コネクタ１１６は、コネクタ１１６本体部と、当該コネクタ１１６本体部の下端部から側方に突設されたコネクタ端子部（コネクタ１１６の脚部１１６ａ）と、を備え、当該コネクタ１１６の脚部１１６ａによって遊技制御基板１１０に面実装される面実装部品であり、基板ボックス１２０は、当該基板ボックス１２０のうち遊技制御基板１１０の表面１１０ａを覆う上面部（本実施形態では開口閉塞部３１０の上方閉塞部３１１）に、当該遊技制御基板１１０に実装されているコネクタ１１６のコネクタ１１６本体部を、当該基板ボックス１２０の外部に露出させるためのコネクタ用開口３１２を有し、遊技制御装置１００は、コネクタ１１６に嵌装された状態でコネクタ１１６の脚部１１６ａを保護するための端子カバー部材１６０を、基板ボックス１２０とは別個の部材として備え、端子カバー部材１６０は、コネクタ１１６本体部を挿入するためのコネクタ挿入口が形成され、基板ボックス１２０の上方閉塞部３１１と遊技制御基板１１０との間に挟持される端子カバー本体部１６１と、端子カバー本体部１６１のうちコネクタ挿入口の縁部からコネクタ１１６本体部の側面に沿って上方に立設された起立壁部１６２と、を備え、端子カバー本体部１６１は、当該端子カバー本体部１６１の内部にコネクタ１１６の脚部１１６ａを収容するための収容空間が形成され、端子カバー部材１６０がコネクタ１１６に嵌装されると、当該収容空間にコネクタ１１６の脚部１１６ａを収容した状態で当該脚部１１６ａを上部から側部にかけて覆うよう構成されている。
【０１９９】
したがって、端子カバー本体部１６１は、当該端子カバー本体部１６１の内部にコネクタ１１６の脚部１１６ａを収容するための収容空間が形成され、端子カバー部材１６０がコネクタ１１６に嵌装されると、当該収容空間にコネクタ１１６の脚部１１６ａを収容した状態で当該脚部１１６ａを上部から側部にかけて覆うので、面実装部品からなるコネクタ１１６の脚部１１６ａに対する不正アクセスやコネクタ１１６の脚部１１６ａの破損を防止することが可能となる。
すなわち、端子カバー本体部１６１は、コネクタ１１６の脚部１１６ａを上部から側部にかけて覆っているので、基板ボックス１２０のうち端子カバー部材１６０が取り付けられた箇所に押圧力が加わっても、コネクタ１１６の脚部１１６ａが折れてしまう等の不都合が生じることがない。また、端子カバー本体部１６１は、基板ボックス１２０の上方閉塞部３１１と遊技制御基板１１０との間に挟持されているとともに、起立壁部１６２は、コネクタ挿入口の縁部からコネクタ１１６本体部の側面に沿って上方に立設されており、端子カバー本体部１６１と上方閉塞部３１１や遊技制御基板１１０との間や、起立壁部１６２とコネクタ１１６本体部との間に隙間が生じることがないので、これらの隙間から針金やピアノ線などが挿入されて、コネクタ１１６の脚部１１６ａへの不正アクセスが行われてしまう等の不都合が生じることもない。
【０２００】
また、第１実施形態の遊技機１０によれば、遊技制御基板１１０には、複数のコネクタ１１６が実装されてなり、端子カバー部材１６０は、複数のコネクタ１１６それぞれに対応して複数備えられている。
【０２０１】
したがって、端子カバー部材１６０は、複数のコネクタ１１６それぞれに対応して複数備えられているので、各コネクタ１１６に端子カバー部材１６０を的確に嵌装することができる。
すなわち、端子カバー部材に、コネクタ群の各コネクタ１１６の形状に対応した複数の穴が設けられており、一の端子カバー部材で、複数のコネクタ１１６の周囲を一緒に覆うような構成の場合、基板に対するコネクタ１１６の取り付けガタ等の影響でコネクタ１１６が曲がって実装されていると、コネクタ１１６に端子カバー部材を的確に嵌装することができない場合がある。これに対し、本実施形態のように、端子カバー部材１６０が、コネクタ群の各コネクタ１１６それぞれに対応して複数備えられており、一の端子カバー部材１６０で、一のコネクタ１１６の周囲を覆うような構成の場合、基板に対するコネクタ１１６の取り付けガタ等の影響でコネクタ１１６が曲がって実装されていても、コネクタ１１６に端子カバー部材１６０を的確に嵌装することができる。
【０２０２】
また、第１実施形態の遊技機１０によれば、端子カバー本体部１６１の収容空間は、下部に開口を有する凹室状に形成されているとともに、上部がコネクタ挿入口と連通し、端子カバー本体部１６１は、基板ボックス１２０の上方閉塞部３１１と遊技制御基板１１０との間に挟持された状態で、前記収容空間の上下方向の高さがコネクタ１１６の脚部１１６ａに接しない高さに設定されている。
【０２０３】
したがって、端子カバー本体部１６１の収容空間の上下方向の高さがコネクタ１１６の脚部１１６ａに接しない高さに設定されているので、コネクタ１１６の脚部１１６ａの破損を効果的に防止することが可能となる。
【０２０４】
また、第１実施形態の遊技機１０によれば、コネクタ用開口３１２のサイズは、コネクタ１１６本体部よりも大きく設定され、起立壁部１６２は、少なくともコネクタ１１６本体部とコネクタ用開口３１２との間に形成される隙間に配置される高さを有するとともに、当該起立壁部１６２の上端部に外側に向けて下り傾斜するテーパ部１６２ａが形成されている。
【０２０５】
したがって、起立壁部１６２は、少なくともコネクタ１１６本体部とコネクタ用開口３１２との間に形成される隙間に配置される高さを有しているので、起立壁部１６２によって、コネクタ１１６本体部とコネクタ用開口３１２との間に形成される隙間が狭くなる。そのため、コネクタ１１６本体部とコネクタ用開口３１２との間に形成される隙間から針金やピアノ線などの不正部材が挿入し難くなるので、遊技制御基板１１０への不正アクセス等を抑制することが可能となり、遊技制御基板１１０に対するセキュリティが高まる。
また、起立壁部１６２は、当該起立壁部１６２の上端部に外側に向けて下り傾斜するテーパ部１６２ａを有しているので、コネクタ１１６本体部とコネクタ用開口３１２との間に形成される隙間から針金やピアノ線などの不正部材を挿入しようとしても、テーパ部１６２ａによって当該不正部材が外側に向けて誘導される。そのため、コネクタ１１６本体部とコネクタ用開口３１２との間に形成される隙間から針金やピアノ線などの不正部材が挿入し難くなるので、遊技制御基板１１０への不正アクセス等を抑制することが可能となり、遊技制御基板１１０に対するセキュリティが高まる。
【０２０６】
また、第１実施形態の遊技機１０によれば、基板ボックス１２０は、上方閉塞部３１１に、遊技制御基板１１０側に向けて突設されて端子カバー本体部１６１の周囲を囲繞する端子カバー囲繞壁３１３を有し、端子カバー囲繞壁３１３は、当該端子カバー囲繞壁３１３の先端部が、遊技制御基板１１０に当接するよう構成されている。
【０２０７】
したがって、基板ボックス１２０は、遊技制御基板１１０側に向けて突設されて端子カバー本体部１６１の周囲を囲繞する端子カバー囲繞壁３１３を有し、当該端子カバー囲繞壁３１３の先端部は、遊技制御基板１１０に当接しているので、コネクタ用開口３１２から針金やピアノ線などの不正部材が挿入されたとしても、当該挿入された不正部材は基板ボックス１２０の内部に侵入できない。そのため、遊技制御基板１１０への不正アクセス等を抑制することが可能となり、遊技制御基板１１０に対するセキュリティが高まる。
【０２０８】
また、第１実施形態の遊技機１０によれば、端子カバー囲繞壁３１３の内面と、端子カバー本体部１６１の側面と、の間には、所定の間隙が形成されている。
【０２０９】
したがって、端子カバー囲繞壁３１３の内面と、端子カバー本体部１６１の側面と、の間には所定の間隙が形成されているので、基板に対するコネクタ１１６の取り付けガタ等の影響で、コネクタ１１６に嵌装された端子カバー部材１６０が適正位置からずれていたとしても、当該端子カバー部材１６０の端子カバー本体部１６１の周囲を端子カバー囲繞壁３１３によって確実に囲繞することが可能となる。
また、端子カバー囲繞壁３１３の内面と、端子カバー本体部１６１の側面と、の間に所定の間隙が形成されているので、端子カバー部材１６０が嵌装されたコネクタ１１６をコネクタ用開口３１２に挿入する際の作業性が向上する。
【０２１０】
また、第１実施形態の遊技機１０によれば、遊技制御基板１１０は、同一の幅を有するコネクタ１１６が隣り合って実装される隣装領域と、同一の幅を有するコネクタ１１６が隣り合って実装されていない非隣装領域と、を有し、端子カバー囲繞壁３１３は、隣装領域の複数のコネクタ１１６それぞれに嵌装される端子カバー部材１６０の端子カバー本体部１６１を一連に囲繞する一連端子カバー囲繞壁３１３ａと、非隣装領域のコネクタ１１６に嵌装される端子カバー部材１６０の端子カバー本体部１６１を単体で囲繞する単体端子カバー囲繞壁３１３ｂと、を備えている。
【０２１１】
したがって、端子カバー囲繞壁３１３は、一連端子カバー囲繞壁３１３ａを備えているので、端子カバー囲繞壁３１３をシンプルなものとすることが可能となる。
【０２１２】
〔第２実施形態〕
次に、第２実施形態の遊技機１０について説明する。
なお、第２実施形態の遊技機１０においては、遊技制御基板１１０を分割構成とした点が、第１実施形態の遊技機１０と異なる。したがって、以下、第１実施形態と同様の構成を有する部分については同じ符号を付して説明を省略し、主に異なる部分について説明する。
【０２１３】
まず、本実施形態の遊技機１０の制御システムについて図２８を参照して説明する。なお、第１実施形態ではその説明を省略したが、第１実施形態の遊技機１０も本実施形態の遊技機１０と同様の制御システムを有している。
【０２１４】
図２８は、本実施形態のパチンコ遊技機１０の制御システムのブロック図である。
遊技機１０は遊技制御装置１００を備え、遊技制御装置１００は、遊技を統括的に制御する主制御装置（主基板）であって、遊技用マイクロコンピュータ（以下、遊技用マイコンと称する）１０１１を有するＣＰＵ部１０１０と、入力ポートを有する入力部１０２０と、出力ポートやドライバなどを有する出力部１０３０、ＣＰＵ部１０１０と入力部１０２０と出力部１０３０との間を接続するデータバス１０４０などからなる。
【０２１５】
上記ＣＰＵ部１０１０は、制御デバイス１１２に内蔵されたアミューズチップ（ＩＣ）と呼ばれる遊技用マイコン（ＣＰＵ）１０１１と、入力部１０２０内の近接スイッチ用のインタフェースチップ（近接Ｉ／Ｆ）１０２１からの信号（始動入賞検出信号）を論理反転して遊技用マイコン１０１１に入力させるインバータなどからなる反転回路１０１２と、水晶振動子のような発振子を備え、ＣＰＵの動作クロックやタイマ割込み、乱数生成回路の基準となるクロックを生成する発振回路（水晶発振器）１０１３などを有する。遊技制御装置１００及び該遊技制御装置１００によって駆動されるソレノイドやモータなどの電子部品には、電源装置９０で生成されたＤＣ３２Ｖ，ＤＣ１２Ｖ，ＤＣ５Ｖなど所定のレベルの直流電圧が供給されて動作可能にされる。
【０２１６】
電源装置９０は、２４Ｖの交流電源から上記ＤＣ３２Ｖの直流電圧を生成するＡＣ−ＤＣコンバータやＤＣ３２Ｖの電圧からＤＣ１２Ｖ，ＤＣ５Ｖなどのより低いレベルの直流電圧を生成するＤＣ−ＤＣコンバータなどを有する通常電源部９１と、遊技用マイコン１０１１の内部のＲＡＭ１０１１Ｃに対して停電時に電源電圧を供給するバックアップ電源部９２と、停電監視回路や初期化スイッチを有し遊技制御装置１００に停電の発生、回復を知らせる停電監視信号や初期化スイッチ信号、リセット信号などの制御信号を生成して出力する制御信号生成部９３などを備える。
【０２１７】
この実施形態では、電源装置９０は、遊技制御装置１００と別個に構成されているが、バックアップ電源部９２及び制御信号生成部９３は、別個の基板上あるいは遊技制御装置１００と一体、即ち、主基板上に設けるように構成してもよい。遊技盤３０及び遊技制御装置１００は機種変更の際に交換の対象となるので、実施例のように、電源装置９０若しくは主基板とは別の基板にバックアップ電源部９２及び制御信号生成部９３を設けることにより、交換の対象から外しコストダウンを図ることができる。
【０２１８】
上記バックアップ電源部９２は、電解コンデンサのような大容量のコンデンサ１つで構成することができる。バックアップ電源は、遊技制御装置１００の遊技用マイコン１０１１（特に内蔵ＲＡＭ１０１１Ｃ）に供給され、停電中あるいは電源遮断後もＲＡＭ１０１１Ｃに記憶されたデータが保持されるようになっている。制御信号生成部９３は、例えば通常電源部９１で生成された３２Ｖの電圧を監視してそれが例えば１７Ｖ以下に下がると停電発生を検出して停電監視信号を変化させるとともに、所定時間後にリセット信号を出力する。また、電源投入時や停電回復時にもその時点から所定時間経過後にリセット信号を出力する。
【０２１９】
初期化スイッチ信号は初期化スイッチがオン状態にされたときに生成される信号で、遊技用マイコン１０１１内のＲＡＭ１０１１Ｃ及び払出制御装置６０内のＲＡＭに記憶されている情報を強制的に初期化する。特に限定されるわけではないが初期化スイッチ信号は電源投入時に読み込まれ、停電監視信号は遊技用マイコン１０１１が実行するメインプログラムのメインループの中で繰り返し読み込まれる。リセット信号は強制割込み信号の一種であり、制御システム全体をリセットさせる。
【０２２０】
遊技用マイコン１０１１は、遊技を統括的に制御する制御手段を構成している。具体的には、遊技用マイコン１０１１は、ＣＰＵ（中央処理ユニット：マイクロプロセッサ）１０１１Ａ、読出し専用のＲＯＭ（リードオンリメモリ）１０１１Ｂ及び随時読出し書込み可能なＲＡＭ（ランダムアクセスメモリ）１０１１Ｃを備える。
【０２２１】
ＲＯＭ１０１１Ｂは、遊技制御のための不変の情報（プログラム、固定データ、各種乱数の判定値等）を不揮発的に記憶し、ＲＡＭ１０１１Ｃは、遊技制御時にＣＰＵ１０１１Ａの作業領域や各種信号や乱数値の記憶領域として利用される。ＲＯＭ１０１１Ｂ又はＲＡＭ１０１１Ｃとして、ＥＥＰＲＯＭのような電気的に書換え可能な不揮発性メモリを用いてもよい。
【０２２２】
また、ＲＯＭ１０１１Ｂは、例えば、特図変動表示ゲームの実行時間、演出内容、リーチ状態の発生の有無などを規定する変動パターン（変動態様）を決定するための変動パターンテーブルを記憶している。
変動パターンテーブルとは、始動記憶として記憶されている変動パターン乱数１〜３をＣＰＵ１１１Ａが参照して変動パターンを決定するためのテーブルである。また、変動パターンテーブルには、結果がはずれとなる場合に選択されるはずれ変動パターンテーブル、結果が１５Ｒ当りや２Ｒ当りとなる場合に選択される大当り変動パターンテーブル等が含まれる。さらに、これらのパターンテーブルには、後半変動パターンテーブル、前半変動パターンテーブルが含まれている。
【０２２３】
ＣＰＵ１０１１Ａは、ＲＯＭ１０１１Ｂ内の遊技制御用プログラムを実行して、払出制御装置６０や演出制御装置８０に対する制御信号（コマンド）を生成したりソレノイドや表示装置の駆動信号を生成して出力して遊技機１０全体の制御を行う。
また、図示しないが、遊技用マイコン１０１１は、特図変動表示ゲームの大当り判定用乱数や大当りの図柄を決定するための大当り図柄用乱数、普図変動表示ゲームの当り判定用乱数等を生成するための乱数生成回路と、発振回路１０１３からの発振信号（原クロック信号）に基づいてＣＰＵ１０１１Ａに対する所定周期（例えば、４ミリ秒）のタイマ割込み信号や乱数生成回路の更新タイミングを与えるクロックを生成するクロックジェネレータを備えている。
【０２２４】
また、ＣＰＵ１０１１Ａは、ＲＯＭ１０１１Ｂに記憶されている複数の変動パターンテーブルの中から、何れか一の変動パターンテーブルを取得する。具体的には、ＣＰＵ１０１１Ａは、特図変動表示ゲームの遊技結果（大当り或いははずれ）や、現在の遊技状態としての特図変動表示ゲームの確率状態（通常確率状態或いは高確率状態）、現在の遊技状態としての普通変動入賞装置（図示省略）の動作状態（通常動作状態或いは時短動作状態）、始動記憶数などに基づいて、複数の変動パターンテーブルの中から、何れか一の変動パターンテーブルを選択して取得する。
【０２２５】
払出制御装置６０は、図示しないが、ＣＰＵ、ＲＯＭ、ＲＡＭ、入力インタフェース、出力インタフェース等を備え、遊技制御装置１００からの賞球払出し指令（コマンドやデータ）に従って、払出ユニットの払出モータを駆動させ、賞球を払い出させるための制御を行う。また、払出制御装置６０は、カードユニットからの貸球要求信号に基づいて払出ユニットの払出モータを駆動させ、貸球を払い出させるための制御を行う。
【０２２６】
遊技用マイコン１０１１の入力部１０２０には、始動入賞口（図示省略）内の始動口１スイッチ３６ａ、普通変動入賞装置（図示省略）内の始動口２スイッチ３７ａ、普図始動ゲート（図示省略）内のゲートスイッチ３４ａ、一般入賞口スイッチ３５ａ〜３５ｎ、カウントスイッチ３８ａに接続され、これらのスイッチから供給されるハイレベルが１１Ｖでロウレベルが７Ｖのような負論理の信号が入力され、０Ｖ−５Ｖの正論理の信号に変換するインタフェースチップ（近接Ｉ／Ｆ）１０２１が設けられている。近接Ｉ／Ｆ１０２１は、入力の範囲が７Ｖ−１１Ｖとされることで、近接スイッチのリード線が不正にショートされたり、スイッチがコネクタから外されたり、リード線が切断されてフローティングになったような異常な状態を検出することができ、異常検知信号を出力するように構成されている。
【０２２７】
近接Ｉ／Ｆ１０２１の出力はすべて第２入力ポート１０２２へ供給されデータバス１０４０を介して遊技用マイコン１０１１に読み込まれるとともに、遊技制御装置１００から中継基板７２を介して図示しない試射試験装置へ供給されるようになっている。また、近接Ｉ／Ｆ１０２１の出力のうち始動口１スイッチ３６ａと始動口２スイッチ３７ａの検出信号は、第２入力ポート１０２２の他、反転回路１０１２を介して遊技用マイコン１０１１へ入力されるように構成されている。反転回路１０１２を設けているのは、遊技用マイコン１０１１の信号入力端子が、マイクロスイッチなどからの信号が入力されることを想定し、かつ負論理、即ち、ロウレベル（０Ｖ）を有効レベルとして検知するように設計されているためである。
【０２２８】
従って、始動口１スイッチ３６ａと始動口２スイッチ３７ａとしてマイクロスイッチを使用する場合には、反転回路１０１２を設けずに直接遊技用マイコン１０１１へ検出信号を入力させるように構成することができる。つまり、始動口１スイッチ３６ａと始動口２スイッチ３７ａからの負論理の信号を直接遊技用マイコン１０１１へ入力させたい場合には、近接スイッチを使用することはできない。上記のように近接Ｉ／Ｆ１０２１は、信号のレベル変換機能を有する。このようなレベル変換機能を可能にするため、近接Ｉ／Ｆ１０２１には、電源装置９０から通常のＩＣの動作に必要な例えば５Ｖのような電圧の他に、１２Ｖの電圧が供給されるようになっている。
【０２２９】
また、入力部１０２０には、遊技機１０の前面枠１２等に設けられた不正検出用の磁気センサスイッチ６１及び振動センサスイッチ６２からの信号及び上記近接Ｉ／Ｆ１０２１により変換された始動入賞口（図示省略）内の始動口１スイッチ３６ａ、普通変動入賞装置（図示省略）内の始動口２スイッチ３７ａ、ゲートスイッチ３４ａ、一般入賞口スイッチ３５ａ〜３５ｎ、カウントスイッチ３８ａからの信号を取り込んでデータバス１０４０を介して遊技用マイコン１０１１に供給する第２入力ポート１０２２が設けられている。第２入力ポート１０２２が保持しているデータは、遊技用マイコン１０１１が第２入力ポート１０２２に割り当てられているアドレスをデコードすることによってイネーブル信号ＣＥ１をアサート（有効レベルに変化）することよって、読み出すことができる。後述の他のポートも同様である。
【０２３０】
さらに、入力部１０２０には、遊技機１０のガラス枠１５等に設けられた前枠開放検出スイッチ６３及び前面枠（遊技枠）１２等に設けられた遊技枠開放検出スイッチ６４からの信号及び払出制御装置６０からの払出異常を示すステータス信号や払出し前の遊技球の不足を示すシュート球切れスイッチ信号、オーバーフローを示すオーバーフロースイッチ信号を取り込んでデータバス１０４０を介して遊技用マイコン１０１１に供給する第１入力ポート１０２３が設けられている。オーバーフロースイッチ信号は、下皿２３に遊技球が所定量以上貯留されていること（満杯になったこと）を検出したときに出力される信号である。
【０２３１】
また、入力部１０２０には、電源装置９０からの停電監視信号や初期化スイッチ信号、リセット信号などの信号を遊技用マイコン１０１１等に入力するためのシュミットトリガ回路１０２４が設けられており、シュミットトリガ回路１０２４はこれらの入力信号からノイズを除去する機能を有する。電源装置９０からの信号のうち停電監視信号と初期化スイッチ信号は、一旦第１入力ポート１０２３に入力され、データバス１０４０を介して遊技用マイコン１０１１に取り込まれる。つまり、前述の各種スイッチからの信号と同等の信号として扱われる。遊技用マイコン１０１１に設けられている外部からの信号を受ける端子の数には制約があるためである。
【０２３２】
一方、シュミットトリガ回路１０２４によりノイズ除去されたリセット信号ＲＳＴは、遊技用マイコン１０１１に設けられているリセット端子に直接入力されるとともに、出力部１０３０の各ポートに供給される。また、リセット信号ＲＳＴは出力部１０３０を介さずに直接中継基板７２に出力することで、試射試験装置へ出力するために中継基板７２のポート（図示省略）に保持される試射試験信号をオフするように構成されている。また、リセット信号ＲＳＴを中継基板７２を介して試射試験装置へ出力可能に構成するようにしてもよい。なお、リセット信号ＲＳＴは入力部１０２０の各ポート１０２２，１０２３には供給されない。リセット信号ＲＳＴが入る直前に遊技用マイコン１０１１によって出力部１０３０の各ポートに設定されたデータはシステムの誤動作を防止するためリセットする必要があるが、リセット信号ＲＳＴが入る直前に入力部１０２０の各ポートから遊技用マイコン１０１１が読み込んだデータは、遊技用マイコン１０１１のリセットによって廃棄されるためである。
【０２３３】
出力部１０３０は、データバス１０４０に接続され払出制御装置６０へ出力する４ビットのデータ信号とデータの有効／無効を示す制御信号（データストローブ信号）及び演出制御装置８０へ出力するデータストローブ信号ＳＳＴＢを生成する第１出力ポート１０３１と、演出制御装置８０へ出力する８ビットのデータ信号を生成する第２出力ポート１０３２とを備える。遊技制御装置１００から払出制御装置６０及び演出制御装置８０へは、パラレル通信でデータが送信される。また、出力部１０３０には、演出制御装置８０の側から遊技制御装置１００へ信号を入力できないようにするため、即ち、片方向通信を担保するために第１出力ポート１０３１からの上記データストローブ信号ＳＳＴＢ及び第２出力ポート１０３２からの８ビットのデータ信号を出力する単方向のバッファ１０３３が設けられている。なお、第１出力ポート１０３１から払出制御装置６０へ出力する信号に対してもバッファを設けるようにしてもよい。
【０２３４】
さらに、出力部１０３０には、データバス１０４０に接続され図示しない認定機関の試射試験装置へ変動表示ゲームの特図図柄情報を知らせるデータや大当りの確率状態を示す信号などを中継基板７２を介して出力するバッファ１０３４が実装可能に構成されている。このバッファ１０３４は遊技店に設置される実機（量産販売品）としてのパチンコ遊技機の遊技制御装置（主基板）には実装されない部品である。なお、前記近接Ｉ／Ｆ１０２１から出力される始動口スイッチなど加工の必要のないスイッチの検出信号は、バッファ１０３４を通さずに中継基板７２を介して試射試験装置へ供給される。
【０２３５】
一方、磁気センサスイッチ６１や振動センサスイッチ６２のようにそのままでは試射試験装置へ供給できない検出信号は、一旦遊技用マイコン１０１１に取り込まれて他の信号若しくは情報に加工されて、例えば遊技機が遊技制御できない状態であることを示すエラー信号としてデータバス１０４０からバッファ１０３４、中継基板７２を介して試射試験装置へ供給される。なお、中継基板７２には、上記バッファ１０３４から出力された信号を取り込んで試射試験装置へ供給するポートや、バッファを介さないスイッチの検出信号の信号線を中継して伝達するコネクタなどが設けられている。中継基板７２上のポートには、遊技用マイコン１０１１から出力されるチップイネーブル信号ＣＥも供給され、該信号ＣＥにより選択制御されたポートの信号が試射試験装置へ供給されるようになっている。
【０２３６】
また、出力部１０３０には、データバス１０４０に接続され特別変動入賞装置（図示省略）を開成させるソレノイド（大入賞口ソレノイド）３８ｂや普通変動入賞装置（図示省略）の可動部材（図示省略）を開成させるソレノイド（普電ソレノイド）３７ｃの開閉データと、一括表示装置５０のＬＥＤのカソード端子が接続されているデジット線のオン／オフデータを出力するための第３出力ポート１０３５、一括表示装置５０に表示する内容に応じてＬＥＤのアノード端子が接続されているセグメント線のオン／オフデータを出力するための第４出力ポート１０３６、大当り情報など遊技機１０に関する情報を遊技機裏面に設けられた外部情報端子７１へ出力するための第５出力ポート１０３７が設けられている。外部情報端子７１から出力された遊技機１０に関する情報は、例えば遊技店に設置された情報収集端末や遊技場内部管理装置（図示省略）に供給される。
【０２３７】
さらに、出力部１０３０には、第３出力ポート１０３５から出力される大入賞口ソレノイド３８ｂの開閉データ信号を受けてソレノイド駆動信号や普電ソレノイド３７ｃの開閉データ信号を受けてソレノイド駆動信号を生成し出力する第１ドライバ（駆動回路）１０３８ａ、第３出力ポート１０３５から出力される一括表示装置５０の電流引き込み側のデジット線のオン／オフ駆動信号を出力する第２ドライバ１０３８ｂ、第４出力ポート１０３６から出力される一括表示装置５０の電流供給側のセグメント線のオン／オフ駆動信号を出力する第３ドライバ１０３８ｃ、第５出力ポート１０３７から管理装置等の外部装置へ供給する外部情報信号を外部情報端子７１へ出力する第４ドライバ１０３８ｄが設けられている。
【０２３８】
上記第１ドライバ１０３８ａには、３２Ｖで動作するソレノイドを駆動できるようにするため、電源電圧としてＤＣ３２Ｖが電源装置９０から供給される。また、一括表示装置５０のセグメント線を駆動する第３ドライバ１０３８ｃには、ＤＣ１２Ｖが供給される。デジット線を駆動する第２ドライバ１０３８ｂは、表示データに応じたデジット線を電流で引き抜くためのものであるため、電源電圧は１２Ｖ又は５Ｖのいずれであってもよい。１２Ｖを出力する第３ドライバ１０３８ｃによりセグメント線を介してＬＥＤのアノード端子に電流を流し込み、接地電位を出力する第２ドライバ１０３８ｂによりカソード端子よりセグメント線を介して電流を引き抜くことで、ダイナミック駆動方式で順次選択されたＬＥＤに電源電圧が流れて点灯される。外部情報信号を外部情報端子７１へ出力する第４ドライバ１０３８ｄは、外部情報信号に１２Ｖのレベルを与えるため、ＤＣ１２Ｖが供給される。なお、バッファ１０３４や第３出力ポート１０３５、第１ドライバ１０３８ａ等は、遊技制御装置１００の出力部１０３０、即ち、主基板ではなく、中継基板７２側に設けるようにしてもよい。
【０２３９】
さらに、出力部１０３０には、外部の検査装置５０００へ各遊技機の識別コードやプログラムなどの情報を送信するためのフォトカプラ１０３９が設けられている。フォトカプラ１０３９は、外部通信用コネクタ１１９と接続されており、遊技用マイコン１０１１が外部通信用コネクタ１１９に接続された検査装置５０００との間でシリアル通信によってデータの送受信を行えるように双方通信可能に構成されている。なお、かかるデータの送受信は、通常の汎用マイクロプロセッサと同様に遊技用マイコン１０１１が有するシリアル通信端子を利用して行われるため、入力ポート１０２２，１０２３のようなポートは設けられていない。
【０２４０】
本実施形態において、遊技制御基板１１０は、例えば図２９、図３１に示すように、左右方向中央よりも若干左側の位置で左右に二分割されており、当該遊技制御基板１１０のうち分割境界よりも左側の部分をなす共通要素基板８１０と、当該遊技制御基板１１０のうち分割境界よりも右側の部分をなす機種要素基板８２０と、共通要素基板８１０と機種要素基板８２０とを遊技制御基板１１０の長手方向（左右方向）に沿うように横並び状態で接続（連結）する基板間コネクタ８３０と、を備えて構成される。
【０２４１】
ここで、第１実施形態ではその説明を省略したが、遊技制御基板１１０には、制御デバイス１１２（演算処理装置、遊技用マイクロコンピュータ）以外のその他の電子部品１１１として、機能が遊技の結果に影響を及ぼす可能性があるため目視検査の必要性が高い主電子部品１１１Ａ、機能が遊技の結果に影響を及ぼす可能性がない若しくは少ないため目視検査の必要性が主電子部品１１１Ａよりも低い副電子部品１１１Ｂが実装されている。
主電子部品１１１Ａは、例えばカウンタ機能を有するＩＣやスイッチング機能を有するＩＣ等であり、その機能が遊技の結果に影響を及ぼす可能性があるので、別のものと交換される等の不正行為の対象になり易く、一方、副電子部品１１１Ｂは、例えばプルアップ抵抗やダイオード等であり、その機能が遊技の結果に影響を及ぼす可能性がない若しくは少ないので、不正行為の対象になり難い。そのため、例えば、遊技機１０が設置された遊技場の従業員等が、遊技制御装置１００の外部から遊技制御基板１１０を目視検査して電子部品１１１を確認する際、主に制御デバイス１１２と主電子部品１１１Ａとを確認する。
【０２４２】
また、第１実施形態ではその説明を省略したが、遊技制御基板１１０には、電源用コネクタ１１８や外部通信用コネクタ１１９以外のその他のコネクタ１１６として、演出制御装置８０等に制御信号（コマンド）を出力するサブコマンド出力コネクタ１１６Ａ、始動入賞口（図示省略）内の始動口１スイッチ３６ａからの信号が入力される始動口１スイッチ用コネクタ１１６Ｂ、普通変動入賞装置（図示省略）内の始動口２スイッチ３７ａからの信号が入力される始動口２スイッチ用コネクタ１１６Ｃ、普電ソレノイド３７ｃや大入賞口ソレノイド３８ｂに駆動信号を出力する普電・大入賞口ソレノイド用コネクタ１１６Ｄ、一般入賞口スイッチ３５ａ〜３５ｎからの信号が入力される入賞口スイッチ用コネクタ１１６Ｅ、一括表示装置５０に駆動信号を出力する特図普図ＬＥＤ用コネクタ１１６Ｆが実装されている。
なお、第１実施形態の場合も本実施形態の場合も、遊技制御基板１１０に実装されている電源用コネクタ１１８や外部通信用コネクタ１１９以外のその他のコネクタ１１６は、前述したものに限ることはなく任意である。
【０２４３】
遊技制御基板１１０のうち共通要素基板８１０は、ＣＰＵ１０１１Ａ、ＲＯＭ１０１１Ｂ、ＲＡＭ１０１１Ｃ等を１チップ化したアミューズチップを内蔵する制御デバイス１１２が実装されたＣＰＵ周辺基板であり、異なる機種の間において共通の仕様を実現する回路が形成されている。すなわち、共通要素基板８１０は、その回路構成が異なる機種の間においても同一の回路構成となるよう設定されている。すなわち、機種毎にＲＯＭ１０１１Ｂに記憶される遊技プログラムが異なる制御デバイス１１２のみが変更されるだけの基板である。
また、本実施形態において、共通要素基板８１０には、例えば図３１に示すように、コネクタ１１６として、外部通信用コネクタ１１９、サブコマンド出力コネクタ１１６Ａ、始動口１スイッチ用コネクタ１１６Ｂが実装されている。すなわち、共通要素基板８１０には、コネクタ１１６として、機種によって異なる可能性のないコネクタが実装されている。
【０２４４】
一方、遊技制御基板１１０のうち機種要素基板８２０は、主に信号等の入出力を行って共通要素基板８１０との間で制御信号等のやりとりを行うＩ／Ｏ基板であり、機種（すなわち、当該機種要素基板８２０を備える遊技機１０の機種）に固有の仕様を実現する回路が形成されている。すなわち、機種要素基板８２０は、その回路構成が機種に固有の回路構成となるよう設定されている。
また、本実施形態において、機種要素基板８２０には、例えば図３１に示すように、始動口２スイッチ用コネクタ１１６Ｃ、普電・大入賞口ソレノイド用コネクタ１１６Ｄ、入賞口スイッチ用コネクタ１１６Ｅ、特図普図ＬＥＤ用コネクタ１１６Ｆ、電源用コネクタ１１８が実装されている。すなわち、機種要素基板８２０には、コネクタ１１６（ただし電源用コネクタ１１８は機種によって異なる可能性のないコネクタであるので、電源用コネクタ１１８は除く）として、機種によって異なる可能性のあるコネクタが実装されている。
【０２４５】
したがって、本実施形態の遊技制御基板１１０は、共通要素基板８１０と機種要素基板８２０とを分離し、共通要素基板８１０に実装されているメモリの記憶内容等を変更すれば、共通要素基板８１０を、その他の機種用の共通要素基板として再利用できるよう構成されている。
【０２４６】
さらに、本実施形態において、遊技制御基板１１０は、例えば図３１に示すように、複数の主電子部品１１１Ａが集中的に実装された重要回路領域Ｐ１と、複数の副電子部品１１１Ｂが集中的に実装されているとともに、重要回路領域Ｐ１よりも目視検査の必要性（重要度）の低い非重要回路領域Ｐ２と、を備えている。
【０２４７】
ここで、「複数の主電子部品１１１Ａが集中的に実装された重要回路領域Ｐ１」とは、重要回路領域Ｐ１に主電子部品１１１Ａだけでなく副電子部品１１１Ｂも実装されていても良いが、重要回路領域Ｐ１に副電子部品１１１Ｂも実装されている場合、重要回路領域Ｐ１に実装された主電子部品１１１Ａの個数が、重要回路領域Ｐ１に実装された副電子部品１１１Ｂの個数よりも多いことを意味する。さらに、非重要回路領域Ｐ２に主電子部品１１１Ａも実装されている場合、重要回路領域Ｐ１における主電子部品１１１Ａの実装割合（すなわち、実装されている電子部品１１１のうち主電子部品１１１Ａが占める割合）が、非重要回路領域Ｐ２における主電子部品１１１Ａの実装割合よりも高く、かつ、重要回路領域Ｐ１に実装された主電子部品１１１Ａの個数が、非重要回路領域Ｐ２に実装された主電子部品１１１Ａの個数よりも多いことを意味する。
【０２４８】
また、「複数の副電子部品１１１Ｂが集中的に実装された非重要回路領域Ｐ２」とは、非重要回路領域Ｐ２に副電子部品１１１Ｂだけでなく主電子部品１１１Ａも実装されていても良いが、非重要回路領域Ｐ２に主電子部品１１１Ａも実装されている場合、非重要回路領域Ｐ２に実装された副電子部品１１１Ｂの個数が、非重要回路領域Ｐ２に実装された主電子部品１１１Ａの個数よりも多いことを意味する。さらに、重要回路領域Ｐ１に副電子部品１１１Ｂも実装されている場合、非重要回路領域Ｐ２における副電子部品１１１Ｂの実装割合（すなわち、実装されている電子部品１１１のうち副電子部品１１１Ｂが占める割合）が、重要回路領域Ｐ１における副電子部品１１１Ｂの実装割合よりも高く、かつ、非重要回路領域Ｐ２に実装された副電子部品１１１Ｂの個数が、重要回路領域Ｐ１に実装された副電子部品１１１Ｂの個数よりも多いことを意味する。
【０２４９】
また、「目視検査の必要性（重要度）」とは、前述したように、主電子部品１１１Ａは不正行為の対象になり易く、副電子部品１１１Ｂは不正行為の対象になり難いので、主電子部品１１１Ａの実装個数が多い基板や、主電子部品１１１Ａの実装割合が高い基板ほど目視検査の重要度が高くなる。非重要回路領域Ｐ２は、重要回路領域Ｐ１よりも、主電子部品１１１Ａの実装個数が少なく、主電子部品１１１Ａの実装割合が低いので、重要回路領域Ｐ１よりも目視検査の重要度が低く設定されている。
【０２５０】
重要回路領域Ｐ１は、制御デバイス１１２を境界として遊技制御基板１１０の一側部に位置するように共通要素基板８１０と機種要素基板８２０とに跨って配設されている。
具体的には、例えば図３１に示すように、重要回路領域Ｐ１は、遊技制御基板１１０に実装されている制御デバイス１１２の長手方向（前後方向）を境界として当該制御デバイス１１２の印字面１１２ａに対応する遊技制御基板１１０の一側部（本実施形態では右側部）に配設されている。すなわち、制御デバイス１１２は、識別情報が付された側面（印字面１１２ａ）を重要回路領域Ｐ１に向けた状態で、当該制御デバイス１１２の長手方向が共通要素基板８１０と機種要素基板８２０との並び方向（左右方向）と直交するように共通要素基板８１０に実装されている。
【０２５１】
また、重要回路領域Ｐ１に実装された複数の主電子部品１１１Ａは、表面（上面）に個体を識別するための識別子が付（印字、刻印等も含む）された面実装部品であり、当該識別子が制御デバイス１１２の印字面１１２ａに対応する遊技制御基板１１０の一側部（本実施形態では右側部）から視認可能となるように、当該複数の主電子部品１１１Ａそれぞれに付された各識別子を揃えた状態で重要回路領域Ｐ１に実装されている。
具体的には、例えば図３１、図３２に示すように、重要回路領域Ｐ１に実装された複数の主電子部品１１１Ａは、識別子の下側が遊技制御基板１１０の右側に対応するとともに識別子の上側が遊技制御基板１１０の左側に対応するように、当該複数の主電子部品１１１Ａそれぞれに付された各識別子を揃えた状態で重要回路領域Ｐ１に実装されている。
【０２５２】
本実施形態の場合、遊技機１０が設置された遊技場の従業員等は、遊技制御装置１００の外部から遊技制御基板１１０を目視検査して制御デバイス１１２の印字面１１２ａを確認する際、印字面１１２ａに印字された識別情報等を読むために、通常、視線（目線）を遊技制御基板１１０の上方右側から印字面１１２ａに向ける。そのため、遊技制御基板１１０の右側部から視認可能となるように（具体的には、識別子の下側が遊技制御基板１１０の右側に対応するとともに識別子の上側が遊技制御基板１１０の左側に対応するように）、重要回路領域Ｐ１に実装されている複数の主電子部品１１１Ａに付された各識別子の向きを揃えることで、印字面１１２ａを確認する際の視線の向きを変更することなく、当該各識別子も読むことができるので、効率の良い目視検査が可能となる。
【０２５３】
なお、本実施形態では、例えば図３１、図３２に示すように、重要回路領域Ｐ１に実装されている全ての電子部品１１１において識別子が揃えられているが、これに限ることはなく、例えば、重要回路領域Ｐ１に副電子部品１１１Ｂも実装されており、当該副電子部品１１１Ｂの上面に識別子が付されている場合、当該副電子部品１１１Ｂの上面に付された識別子は揃っていなくても良い。
また、本実施形態では、例えば図３１に示すように、遊技制御基板１１０に実装されている電子部品１１１のうち上面に識別子が付された全ての電子部品１１１において識別子が揃えられているが、これに限ることはなく、少なくとも重要回路領域Ｐ１に実装されている主電子部品１１１Ａの上面に付された識別子が揃っているのであれば、非重要回路領域Ｐ２に実装されている電子部品１１１の上面に付された識別子は揃っていなくても良い。
また、第１実施形態ではその説明を省略したが、制御デバイス１１２に付された識別情報は、印字されたものに限ることはなく、刻印等されたものであっても良い。
【０２５４】
非重要回路領域Ｐ２は、制御デバイス１１２を挟んで重要回路領域Ｐ１とは反対となる遊技制御基板１１０の他側部（本実施形態では左側部）に位置するように共通要素基板８１０に配設されている。
具体的には、例えば図３１に示すように、非重要回路領域Ｐ２は、遊技制御基板１１０に実装されている制御デバイス１１２の長手方向（前後方向）を境界として当該制御デバイス１１２の印字面１１２ａとは反対側の面に対応する遊技制御基板１１０の他側部（本実施形態では左側部）に配設されている。
非重要回路領域Ｐ２は、主に、ＣＰＵ周辺回路部、試射試験回路部、検査ポート回路部、サブコマンド通信回路部で構成されており、具体的には、電子部品１１１として、サブコマンド出力コネクタ１１６Ａから出力される制御信号（コマンド）を生成等するためのサブコマンド出力用ドライバＩＣや、外部通信用コネクタ１１９から出力される通信信号を生成等するための通信信号出力用ドライバＩＣなどが実装されている。
【０２５５】
また、本実施形態において、遊技制御装置１００を識別するための識別情報が付された識別情報シール（管理番号シール１４０や機種シール１５０）は、透明なベースシールの表面に識別情報が印字されたものであるが、例えば図３７に示すように、基板ボックス１２０が備える第１ケース部材２００を構成する上壁２２０（対向壁部）のうち非重要回路領域Ｐ２に対応する部分に貼着されている。これにより、識別情報シール自体又は印字された識別情報が遊技制御基板１１０の目視検査の邪魔になり難くなっているので、効率の良い目視検査が可能となっている。
【０２５６】
すなわち、識別情報シールは、目視検査の対象であるため、確認し易い場所、具体的には、第１ケース部材２００を構成する上壁２２０に貼着することが好ましい。しかしながら、上壁２２０は遊技制御基板１１０の表面１１０ａ（すなわち、電子部品１１１等が配設されている側の面）に対向する対向壁部であるため、識別情報シールを貼着する場所によっては、当該識別情報シールが邪魔になって、基板ボックス１２０を透明樹脂製にした（すなわち、内部に収納された遊技制御基板１１０を透視可能な透明部材により構成した）にもかかわらず、基板ボックス１２０の内部に収納された遊技制御基板１１０を目視検査し難くなってしまう場合がある。これに対し、識別情報シールを、上壁２２０のうち非重要回路領域Ｐ２に対応する部分に貼着して、目視検査の主対象となる領域である重要回路領域Ｐ１に対応する部分には貼着しないよう構成し、識別情報シールが遊技制御基板１１０の目視検査の邪魔になり難くなるようにすることで、効率の良い目視検査が可能となる。
ここで、図３７は、遊技制御装置１００を上面側から見た斜視図であり、制御デバイス１１２の印字面１１２ａや遊技制御基板１１０の表面１１０ａのうちの重要回路領域Ｐ１が露出するよう遊技制御装置１００を切った断面を示す図である。
【０２５７】
また、本実施形態において、電源用コネクタ１１８や外部通信用コネクタ１１９以外のその他のコネクタ１１６は、電源用コネクタ１１８や外部通信用コネクタ１１９と同様、コネクタ１１６の脚部（実装用の端子部）１１６ａ，１１６ａ，…が遊技制御基板１１０の裏面側に貫通した状態で遊技制御基板１１０に実装される部品（いわゆるディップ部品）である。
したがって、本実施形態の場合、コネクタ１１６の脚部１１６ａ，１１６ａ，…は、遊技制御基板１１０の表面１１０ａから突出していないので、基板ボックス１２０に端子カバー部材１６０を備えなくても良い。
【０２５８】
なお、第１実施形態と同様、図面では、遊技機１０の出荷前における遊技制御装置１００の検査時に使用される検査用コネクタ１１７がコネクタの一種として遊技制御基板１１０に実装されているとともに、遊技機１０の出荷前における遊技制御装置１００の検査時に使用される試験信号出力用ドライバＩＣ１１３が電子部品の一種として遊技制御基板１１０に実装されているが、当該検査用コネクタ１１７及び試験信号出力用ドライバＩＣ１１３は、遊技機１０の出荷時には遊技制御基板１１０に実装されない（から取り外される）。したがって、本実施形態において、コネクタ１１６は、検査用コネクタ１１７以外のコネクタを指すものとし、電子部品１１１は、試験信号出力用ドライバＩＣ１１３以外の電子部品を指すものとする。
すなわち、共通要素基板８１０の非重要回路領域Ｐ２には、遊技の進行に応じた遊技信号を第３者機関（前述した図示しない認定機関）での検査用に出力するための検査用コネクタ１１７及び試験信号出力用ドライバＩＣ１１３（信号伝送用ＩＣ）が実装されているとともに、当該検査用コネクタ１１７及び当該試験信号出力用ドライバＩＣ１１３を実装するための配線パターン（図示省略）が設けられている。そして、第３者機関での検査に合格して販売可能となった場合、販売される量産販売品として、当該配線パターンに検査用コネクタ１１７及び試験信号出力用ドライバＩＣ１１３が実装されていない遊技制御基板１１０を有する遊技制御装置１００を備えた遊技機１０が出荷される。
【０２５９】
ここで、本実施形態において、制御デバイス１１２は、検査用コネクタ１１７及び試験信号出力用ドライバＩＣ１１３を共通要素基板８１０に実装するための配線パターン（図示省略）よりも基板間コネクタ８３０寄りに実装されていることとする。
【０２６０】
基板間コネクタ８３０は、共通要素基板８１０と機種要素基板８２０とを着脱可能に電気的に接続するための電気的接続部材であり、共通要素基板８１０（第１基板）と機種要素基板８２０（第２基板）とをその並び方向（左右方向）から連結するよう構成されている。
具体的には、例えば図２９、図３０（ａ），（ｂ）に示すように、基板間コネクタ８３０は、共通要素基板８１０に実装される第１コネクタ８３１と、第１コネクタ８３１と嵌合可能なように機種要素基板８２０に実装される第２コネクタ８３２と、からなるコネクタ（board to boardコネクタまたは水平接続コネクタ）である。
【０２６１】
第１コネクタ８３１は、その外形が一方向に長尺な略直方体形状を呈してなり、当該第１コネクタ８３１の内部には、当該第１コネクタ８３１の長手方向に沿った一方の側部に矩形状の開口を有する凹室状の空間が形成されている。そして、第１コネクタ８３１は、当該開口が機種要素基板８２０側（右側）を向くように、共通要素基板８１０の表面１１０ａのうちの右端部分中央部に面実装されている。
具体的には、第１コネクタ８３１は、例えば、当該第１コネクタ８３１の内部（凹室状の空間内）に突起状の電極が並んだピン側コネクタである。
【０２６２】
第２コネクタ８３２は、その外形が一方向に長尺な略直方体形状を呈してなり、当該第２コネクタ８３２の長手方向に沿った一方の側部側が第１コネクタ８３１の内部（凹室状の空間内）に嵌合可能な嵌合部となっている。そして、第２コネクタ８３２は、当該嵌合部が共通要素基板８１０側（左側）を向くとともに、当該嵌合部が機種要素基板８２０の左端部よりも左方に突出するように、機種要素基板８２０の表面１１０ａのうちの左端部分中央部に面実装されている。
具体的には、第２コネクタ８３２は、例えば、第１コネクタ８３１が有する突起状の電極を挿入するための受け口を当該第２コネクタ８３２の嵌合部に有するソケット側コネクタである。
【０２６３】
なお、本実施形態では、基板間コネクタ８３０（第１コネクタ８３１及び第２コネクタ８３２）を面実装部品としたが、これに限ることはなく、基板間コネクタ８３０は、実装用の端子部が遊技制御基板１１０の裏面側に貫通した状態で遊技制御基板１１０に実装される部品（いわゆるディップ部品）であっても良い。
【０２６４】
第１コネクタ８３１には、例えば図３０（ａ），（ｂ）に示すように、第２コネクタ８３２との嵌合状態（すなわち、第２コネクタ８３２の嵌合部が、第１コネクタ８３１の開口から挿入されて当該第１コネクタ８３１の内部に嵌合した状態）において当該第２コネクタ８３２と係合するコネクタ係合部８３１ａ，８３１ａが側部に設けられている。
具体的には、コネクタ係合部８３１ａは、第１コネクタ８３１の開口の縁部のうち遊技制御基板１１０（具体的には、共通要素基板８１０）の表面１１０ａに直交する縁部（すなわち、前側縁部及び後側縁部）のそれぞれから機種要素基板８２０側（右側）に向けて突設されており、第１コネクタ８３１と第２コネクタ８３２との嵌合状態において、当該コネクタ係合部８３１ａの先端（右端）が、第２コネクタ８３２の右側面と略面一になるよう共通要素基板８１０の右端部よりも右方に突出している。
ここで、コネクタ係合部８３１ａは、遊技制御基板１１０（共通要素基板８１０）の表面１１０ａとの間に所定の間隙Ｑを形成した状態で第２コネクタ８３２に向けて延設されている。
【０２６５】
また、コネクタ係合部８３１ａは、当該コネクタ係合部８３１ａの内面（具体的には、第１コネクタ８３１の開口の縁部のうち前側縁部から突設されたコネクタ係合部８３１ａの場合は後面、第１コネクタ８３１の開口の縁部のうち後側縁部から突設されたコネクタ係合部８３１ａの場合は前面）のうちの先端部分（右側部分）に、係止爪を有している。
【０２６６】
第２コネクタ８３２には、例えば図３０（ａ），（ｂ）に示すように、第１コネクタ８３１との嵌合状態（すなわち、第２コネクタ８３２の嵌合部が、第１コネクタ８３１の開口から挿入されて当該第１コネクタ８３１の内部に嵌合した状態）において当該第１コネクタ８３１のコネクタ係合部８３１ａが係合するコネクタ係合受部８３２ａ，８３２ａが設けられている。
具体的には、コネクタ係合受部８３２ａは、コネクタ係合部８３１ａが有する係止爪が係合する凹状の係止受部であり、第２コネクタ８３２の前側面と右側面とにより形成される角部と、第２コネクタ８３２の後側面と右側面とにより形成される角部と、のそれぞれに設けられている。
【０２６７】
ここで、第１コネクタ８３１のコネクタ係合部８３１ａが有する係止爪のうちの左側部
分は、その端部が、コネクタ係合部８３１ａの内面に対して垂直に起立しているのに対し、コネクタ係合部８３１ａが有する係止爪のうち右側部分は、外側（右側）に向かうにつれて徐々に突出度合いが小さくなる傾斜面となっている。
このように、第１コネクタ８３１と第２コネクタ８３２とを容易に嵌合できるよう構成されているとともに、一旦第１コネクタ８３１と第２コネクタ８３２とが嵌合すると、当該嵌合を容易に外せないよう構成されている。
【０２６８】
具体的には、第１コネクタ８３１と第２コネクタ８３２とを嵌合させる際には、第１コネクタ８３１のコネクタ係合部８３１ａ，８３１ａを外側（具体的には、第１コネクタ８３１の開口の縁部のうち前側縁部から突設されたコネクタ係合部８３１ａの場合は前側、第１コネクタ８３１の開口の縁部のうち後側縁部から突設されたコネクタ係合部８３１ａの場合は後側）に向けて変形させるよう、第２コネクタ８３２が、コネクタ係合部８３１ａ，８３１ａが有する係止爪の傾斜面に沿って、前側のコネクタ係合部８３１ａと後側のコネクタ係合部８３１ａとの間隔を押し広げていく。そのため、コネクタ係合部８３１ａ，８３１ａが有する係止爪が邪魔になることなく、第１コネクタ８３１と第２コネクタ８３２とを容易に嵌合させることが可能となる。
そして、第１コネクタ８３１と第２コネクタ８３２とが嵌合すると、第１コネクタ８３１のコネクタ係合部８３１ａ，８３１ａが元の状態に復帰して、当該コネクタ係合部８３１ａ，８３１ａが有する係止爪が、第２コネクタ８３２のコネクタ係合受部８３２ａ，８３２ａに嵌まって、当該コネクタ係合部８３１ａとコネクタ係合受部８３２ａとが係合する。これにより、第１コネクタ８３１と第２コネクタ８３２との嵌合状態を維持することが可能となる。
一方、第１コネクタ８３１のコネクタ係合部８３１ａ，８３１ａと第２コネクタ８３２のコネクタ係合受部８３２ａ，８３２ａとの係合を解除して、第１コネクタ８３１と第２コネクタ８３２との嵌合を外す際には、コネクタ係合部８３１ａが有する係止爪のうちの左側部分の端部（すなわち、コネクタ係合部８３１ａの内面に対して垂直に起立している部分）がコネクタ係合受部８３２ａに引っかかる。そのため、コネクタ係合部８３１ａ，８３１ａが有する係止爪が邪魔になって、コネクタ係合部８３１ａ，８３１ａとコネクタ係合受部８３２ａ，８３２ａとの係合が容易に解除できないので、第１コネクタ８３１と第２コネクタ８３２との嵌合を外すことが困難となる。
【０２６９】
また、本実施形態において、ＣＰＵ１０１１Ａ、ＲＯＭ１０１１Ｂ、ＲＡＭ１０１１Ｃ等を１チップ化したアミューズチップを内蔵する制御デバイス１１２は、共通要素基板８１０に実装されており、遊技制御基板１１０とは別個に備えられた電源装置９０と接続するための電源用コネクタ１１８は、機種要素基板８２０に実装されている。
したがって、電源装置９０からの電源（具体的には、通常電源部９１による電源や、バックアップ電源部９２によるバックアップ電源など）は、機種要素基板８２０から基板間コネクタ８３０を介して共通要素基板８１０に供給されるよう構成されている。
そのため、第１コネクタ８３１と第２コネクタ８３２との嵌合を外す等して、共通要素基板８１０と機種要素基板８２０との電気的接続を切断すると、電源装置９０からの共通要素基板８１０に対する電源の供給が断たれる。この場合、電源装置９０が有するバックアップ電源部９２（バックアップ電源手段）からの制御デバイス１１２に対するバックアップ電源の供給も断たれるので、制御デバイス１１２に内蔵されたアミューズチップ（遊技用マイコン１０１１）内部のＲＡＭ１０１１Ｃに記憶されたデータが消失することとなる。
【０２７０】
電源用コネクタ１１８は、前述したように機種によって異なる可能性のないコネクタであるので、共通要素基板８１０に実装しても良いが、電源用コネクタ１１８を制御デバイス１１２が実装された基板とは異なる基板（機種要素基板８２０）に実装して、制御デバイス１１２内部のＲＡＭ１０１１Ｃに記憶されたデータが、共通要素基板８１０と機種要素基板８２０との電気的接続の切断に伴い消失するよう構成することで、誤動作や故障を防止することが可能となっている。
【０２７１】
すなわち、電源用コネクタ１１８を制御デバイス１１２が実装された基板と同一の基板（共通要素基板８１０）に実装すると、故障により機種要素基板８２０のみを交換したり、遊技制御装置のリサイクル時に機種要素基板８２０のみを交換したりすることによって、共通要素基板８１０と機種要素基板８２０との間の電気的な接続が切断された場合であっても、共通要素基板８１０のＲＡＭにバックアップ電源が供給されたままとなって、当該ＲＡＭの記憶情報が保持された状態となる。機種要素基板８２０を交換した後に遊技機への電源投入が行われると、ＲＡＭの記憶情報に従って遊技状態を復帰しようとＣＰＵ、ＲＯＭ、ＲＡＭ等が設けられた共通要素基板８１０側から機種要素基板８２０側へと信号等が出力される等して共通要素基板８１０と機種要素基板８２０との間で制御信号等のやりとりが行われるが、例えば交換前の機種要素基板８２０とは異なる機種用の機種要素基板８２０に交換された場合、交換後に機種要素基板８２０側に対して本来とは異なる信号が入力される等して共通要素基板８１０と機種要素基板８２０との間で正常な制御信号等のやりとりが行われず、誤動作や故障の原因となってしまう場合がある。
これに対し、電源用コネクタ１１８を制御デバイス１１２が実装された基板とは異なる基板（機種要素基板８２０）に実装して、制御デバイス１１２内部のＲＡＭ１０１１Ｃに記憶されたデータが、共通要素基板８１０と機種要素基板８２０との電気的接続の切断に伴い消失するよう構成することで、このような原因が排除できるので、誤動作や故障を防止することが可能となる。
【０２７２】
本実施形態において、第２ケース部材３００は、例えば図３３に示すように、第２ケース部材３００に遊技制御基板１１０が取り付けられた際に、当該遊技制御基板１１０に実装されている基板間コネクタ８３０と係合することが可能な取り外し規制係合部９１０を備えている。
取り外し規制係合部９１０は、遊技制御基板１１０の表面１１０ａ側において基板間コネクタ８３０と係合して、当該遊技制御基板１１０が第２ケース部材３００から取り外されることを規制するよう構成されている。
【０２７３】
具体的には、取り外し規制係合部９１０は、例えば図３３、図３４（ａ），（ｂ）に示すように、開口閉塞部３１０の当接部３１１ａと、基板支持部（挿入部）３２０を構成する前側部３２３と、の間に懸架されており、基板間コネクタ８３０の第１コネクタ８３１と係合する係合本体部９１１と、係合本体部９１１を支持するための係合本体支持部９１２，９１２と、により構成されている。
そして、第２ケース部材３００に遊技制御基板１１０が取り付けられると、例えば図３５に示すように、係合本体部９１１と、係合本体部９１１の左右両側で前後方向に沿って延在する係合本体支持部９１２，９１２と、係合本体部９１１と対向する開口閉塞部３１０の当接部３１１ａと、で囲まれた領域に、当該遊技制御基板１１０に実装されている基板間コネクタ８３０が嵌まり込み、当該基板間コネクタ８３０を構成する第１コネクタ８３１に係合本体部９１１が係合するよう構成されている。
【０２７４】
係合本体部９１１は、例えば図３４（ａ），（ｂ）、図３６（ａ）に示すように、第２ケース部材３００に遊技制御基板１１０が取り付けられた状態において、当該遊技制御基板１１０に実装されている基板間コネクタ８３０の前側面と若干離間して対向する位置に左右方向に沿って延在しており、左端部が左側の係合本体支持部９１２と連結しているとともに、右端部が右側の係合本体支持部９１２と連結している。
また、係合本体部９１１は、例えば図３４（ｂ）、図３６（ａ）に示すように、第２ケース部材３００に遊技制御基板１１０が取り付けられた際に、当該遊技制御基板１１０に実装されている基板間コネクタ８３０を構成する第１コネクタ８３１のコネクタ係合部８３１ａ（具体的には、第１コネクタ８３１の開口の縁部のうち前側縁部から突設されたコネクタ係合部８３１ａ）と係合する規制爪９１１ａを有している。
【０２７５】
具体的には、規制爪９１１ａは、例えば図３６（ａ）に示すように、係合本体部９１１のうち、第１コネクタ８３１の開口の前側縁部から突設されたコネクタ係合部８３１ａと遊技制御基板１１０の表面１１０ａとの間に形成された間隙Ｑに対応する位置から後側に向けて突設されており、当該間隙Ｑに対して遊技制御基板１１０の表面に沿う方向（本実施形態では前後方向）から進入することで、基板間コネクタ８３０を構成する第１コネクタ８３１のコネクタ係合部８３１ａと係合するよう構成されている。
【０２７６】
ここで、例えば図３４（ｂ）、図３６（ａ）に示すように、規制爪９１１ａのうちの上側部分は、その端部が、係合本体部９１１の後面に対して垂直に起立しているのに対し、規制爪９１１ａのうちの下側部分は、外側（後側）に向けて上り傾斜する傾斜面となっている。
また、例えば図３４（ｂ）に示すように、係合本体部９１１のうち規制爪９１１ａが設けられた部分を挟む左右両側の部分は、前側に向けてＵ字状に切り欠かれており、他の部分よりも前後方向の幅が狭くなっている。これにより、係合本体部９１１は、当該係合本体部９１１のうち規制爪９１１ａが設けられた部分が上下方向や前後方向に移動し易くなるよう構成されている。
このように、第２ケース部材３００は、遊技制御基板１１０を容易に取り付けることができるよう構成されているとともに、一旦遊技制御基板１１０が取り付けられると、当該遊技制御基板１１０を容易に取り外すことができないよう構成されている。
【０２７７】
具体的には、遊技制御基板１１０を第２ケース部材３００に取り付ける際には、係合本体部９１１のうち規制爪９１１ａが設けられた部分を上側や前側に向けて変形させるよう、当該遊技制御基板１１０に実装されている基板間コネクタ８３０が、規制爪９１１ａの傾斜面に沿って、係合本体部９１１を変形させていく。そのため、規制爪９１１ａが邪魔になることなく、遊技制御基板１１０を第２ケース部材３００に容易に取り付けることが可能となる。
そして、遊技制御基板１１０が第２ケース部材３００に取り付けられると、係合本体部９１１のうち規制爪９１１ａが設けられた部分が元の状態に復帰して、当該規制爪９１１ａが、第１コネクタ８３１の開口の前側縁部から突設されたコネクタ係合部８３１ａと遊技制御基板１１０の表面１１０ａとの間に形成された間隙Ｑに嵌まって、係合本体部９１１と第１コネクタ８３１とが係合する。これにより、第２ケース部材３００からの遊技制御基板１１０の取り外しが規制された状態で、第２ケース部材３００に遊技制御基板１１０を固定することが可能となる。
一方、遊技制御基板１１０を第２ケース部材３００から取り外す際には、規制爪９１１ａのうちの上側部分の端部（すなわち、係合本体部９１１の後面に対して垂直に起立している部分）が、第１コネクタ８３１のコネクタ係合部８３１ａに引っかかる。そのため、規制爪９１１ａが邪魔になって、遊技制御基板１１０を第２ケース部材３００から取り外すことが困難となる。
【０２７８】
係合本体支持部９１２は、例えば図３４（ａ），（ｂ）、図３６（ｂ）に示すように、第２ケース部材３００に遊技制御基板１１０が取り付けられた状態において、当該遊技制御基板１１０に実装されている基板間コネクタ８３０の左側面と右側面とのそれぞれに若干離間して対向する位置に前後方向に沿って延在しており、前端部が基板支持部（挿入部）３２０を構成する前側部３２３と連結しているとともに、後端部が開口閉塞部３１０の当接部３１１ａと連結している。
また、係合本体支持部９１２は、例えば図３４（ａ），（ｂ）、図３６（ｂ）に示すように、第２ケース部材３００に遊技制御基板１１０が取り付けられた際に、当該遊技制御
基板１１０に実装されている基板間コネクタ８３０と当接する当接片９１２ａを有している。
【０２７９】
具体的には、左側の係合本体支持部９１２が有する当接片９１２ａは、当該左側の係合本体支持部９１２の一部（具体的には、当該左側の係合本体支持部９１２における係合本体部９１１から当接部３１１ａまでに亘る部分のうちの前後方向中央部）の下側部分を支点として、当該一部の上側部分が基板間コネクタ８３０の左側面と当接するように、当該一部を内側（右側）に向けて傾斜させることによって形成されている。
また、右側の係合本体支持部９１２が有する当接片９１２ａは、当該右側の係合本体支持部９１２の一部（具体的には、当該右側の係合本体支持部９１２における係合本体部９１１から当接部３１１ａまでに亘る部分のうちの前後方向中央部）の下側部分を支点として、当該一部の上側部分が基板間コネクタ８３０の右側面と当接するように、当該一部を内側（左側）に向けて傾斜させることによって形成されている。
【０２８０】
すなわち、例えば図３６（ｂ）に示すように、左右の当接片９１２ａ同士の間隔が上方に向けて先細りとなっており、当該先細りとなった上側部分で、第２ケース部材３００に遊技制御基板１１０が取り付けられた際に、当該遊技制御基板１１０に実装されている基板間コネクタ８３０を共通要素基板８１０と機種要素基板８２０との並び方向の両側（本実施形態では左右方向両側）から挟み込むことができるよう構成されている。このように、本実施形態では、左右の当接片９１２ａによって、第１コネクタ８３１と第２コネクタ８３２との嵌合が外れることを規制する外れ規制部９２０が構成されている。
【０２８１】
なお、左側の係合本体支持部９１２と右側の係合本体支持部９１２との間隔を本実施形態よりも狭くして、左側の係合本体支持部９１２を基板間コネクタ８３０の左側面全体に当接させるとともに、右側の係合本体支持部９１２を基板間コネクタ８３０の右側面全体に当接させることで、左右の係合本体支持部９１２によって外れ規制部を構成することも可能である。この場合、係合本体支持部９１２に当接片９１２ａを設ける必要がなくなるが、本実施形態のように、左側の係合本体支持部９１２と右側の係合本体支持部９１２との間隔を基板間コネクタ８３０の左右方向の長さよりも長く設定するとともに、当接片９１２ａの下側部分が基板間コネクタ８３０から離間し上側部分が基板間コネクタ８３０に当接するよう構成することで、基板間コネクタ８３０を取り外し規制係合部９１０の下方から挿入し易くなり、第２ケース部材３００に遊技制御基板１１０を取り付ける際の作業性が向上する。
【０２８２】
次に、本実施形態における遊技制御装置１００の組み立て方の一例について説明する。
まず、例えば図３５に示すように、遊技制御基板１１０を第２ケース部材３００に取り付けて、なべネジ１７０で固定する。この際、第２ケース部材３００に設けられた係合本体部９１１が有する規制爪９１１ａが、遊技制御基板１１０に実装されている基板間コネクタ８３０を構成する第１コネクタ８３１のコネクタ係合部８３１ａに係合しているとともに、外れ規制部９２０（第２ケース部材３００に設けられた左側の係合本体支持部９１２が有する当接片９１２ａ及び右側の係合本体支持部９１２が有する当接片９１２ａ）が、遊技制御基板１１０に実装されている基板間コネクタ８３０を共通要素基板８１０と機種要素基板８２０との並び方向の両側から挟み込んでいる。
【０２８３】
次いで、管理番号シール１４０や機種シール１５０が上壁２２０のうち非重要回路領域Ｐ２に対応する部分に貼着された第１ケース部材２００を用意し、第２ケース部材３００を挿入開口２００ａから収納空間Ｓ＊内へとスライド挿入して、当該収納空間Ｓ＊を閉止する。具体的には、第２ケース部材３００のスライドガイド壁３３２ａ，３３２ａの挿入先端側の端部（前端部）を、第１ケース部材２００のスライドガイド溝部２２２，２２２の挿入開口２００ａ側の端部（後端部）に挿入し、その状態のまま、第２ケース部材３００を第１ケース部材２００に対して前方向へと移動させて、挿入開口２００ａを当該第２ケース部材３００で閉塞する。
【０２８４】
次いで、溶着部材６３０を第１溶着受部６１０の内部に収容して、当該第１溶着受部６１０の内部に収容されている第２溶着受部６２０の突出部６２２に係合させる。
次いで、左側端封止手段４００の外側固着部（左第１外側固着部４１２及び左第２外側固着部４２２）を左固着部材４３０で固着（本締め）するとともに、右側端封止手段５００の外側固着部（右第１外側固着部５１２及び右第２外側固着部５２２）を右固着部材５３０で固着（本締め）する。そして、左第１外側固着部４１２の開口した前端部から封印キャップＣを挿入し、超音波溶着や熱溶着などの公知の溶着法によって当該封印キャップＣを左第１外側固着部４１２の内面に溶着するとともに、右第２外側固着部５２２の開口した後端部から封印キャップＣを挿入し、超音波溶着や熱溶着などの公知の溶着法によって当該封印キャップＣを右第２外側固着部５２２の内面に溶着する。
また、左側端封止手段４００の内側固着部（左第２内側固着部４２１）に左固着部材４３０を挿入して仮締めするとともに、右側端封止手段５００の内側固着部（右第２内側固着部５２１）に右固着部材５３０を挿入して仮締めする。
このように、封印キャップＣによって本締めされた固着部材を封印しているので、本締めされた固着部材が直接いじられることを回避することができる。
次いで、超音波溶着や熱溶着などの公知の溶着法によって、第１溶着受部６１０の内部に収容されて第２溶着受部６２０の突出部６２２に係合している溶着部材６３０を、第１溶着受部６１０の内部及び第２溶着受部６２０の突出部６２２に溶着する。
【０２８５】
次いで、右側端封止手段５００の貼着領域Ｒに電子タグシール１３０を貼着する。
最後に、右側端封止手段５００に保護カバー部材７００を取り付けることによって、遊技制御装置１００を組み立てることができる。
そして、組み立てられた遊技制御装置１００を遊技機１０に搭載する際には、例えば、基板ボックス１２０の側面に設けられた取付部（図示省略）が有するネジ孔になべネジ（図示省略）を挿通して、当該なべネジによって遊技盤３０の背面に設けられる取付ベース等に固定する。
【０２８６】
以上説明した第２実施形態の遊技機１０によれば、制御プログラムに基づいて演算処理を実行する演算処理装置（制御デバイス１１２）が表面１１０ａに実装される遊技制御用の制御基板（遊技制御基板１１０）と、当該遊技制御基板１１０を内部に収納するための透明な基板ボックス１２０と、を有する制御装置（遊技制御装置１００）を備えた遊技機１０において、遊技制御基板１１０は、その機能が遊技の結果に影響を及ぼす可能性があるため目視検査の必要性がある若しくは高い複数の主電子部品１１１Ａが集中的に実装された重要回路領域Ｐ１と、その機能が遊技の結果に影響を及ぼす可能性がない若しくは少ないため目視検査の必要性が主電子部品１１１Ａよりも低い複数の副電子部品１１１Ｂが集中的に実装されている非重要回路領域Ｐ２と、を備え、重要回路領域Ｐ１は、制御デバイス１１２を境界として遊技制御基板１１０の一側部（本実施形態では右側部）に配設され、非重要回路領域Ｐ２は、制御デバイス１１２を挟んで重要回路領域Ｐ１とは反対となる遊技制御基板１１０の他側部（本実施形態では左側部）に配設されている。
【０２８７】
すなわち、制御デバイス１１２を境界として、遊技制御基板１１０の一側部（右側部）に、主電子部品１１１Ａが集中的に実装された重要回路領域Ｐ１が配設されているとともに、遊技制御基板１１０の他側部（左側部）に、副電子部品１１１Ｂが集中的に実装された非重要回路領域Ｐ２が配設されており、非重要回路領域Ｐ２は、重要回路領域Ｐ１よりも目視検査の重要度が低いので、制御デバイス１１２を境界として遊技制御基板１１０の一側部（右側部）を主に目視検査すれば良い。したがって、主電子部品と副電子部品とが混在した状態で遊技制御基板に実装されている場合は遊技制御基板１１０全体を目視検査する必要があるが、この場合と比較して、遊技制御基板の目視検査を効率良く行うことが可能となる。
【０２８８】
なお、本実施形態では、遊技制御基板１１０を分割構成としたが、これに限ることはなく、制御デバイス１１２を境界として、遊技制御基板１１０の一側部に、主電子部品１１１Ａが集中的に実装された重要回路領域Ｐ１が配設されているとともに、遊技制御基板１１０の他側部に、副電子部品１１１Ｂが集中的に実装された、重要回路領域Ｐ１よりも目視検査の重要度の低い非重要回路領域Ｐ２が配設されているのであれば、遊技制御基板１１０は、第１実施形態における遊技制御基板１１０のように分割されていなくても良い。
【０２８９】
また、本実施形態では、制御プログラムに基づいて演算処理を実行する演算処理装置として、ＣＰＵ１０１１Ａ、ＲＯＭ１０１１Ｂ、ＲＡＭ１０１１Ｃ等を１チップ化したアミューズチップが内蔵された制御デバイス１１２を挙げたが、これに限ることはなく、演算処理装置は、ＣＰＵを少なくとも含む装置（デバイス）であれば任意であり、例えば、ＣＰＵ（中央演算処理装置）であっても良い。
【０２９０】
また、第２実施形態の遊技機１０によれば、制御デバイス１１２は、一方向に長尺な外形を呈しているとともに、長手方向に沿った一方の側面（本実施形態では右側面）に識別情報が付されてなり、重要回路領域Ｐ１は、制御デバイス１１２の長手方向を境界として前記一方の側面に対応する遊技制御基板１１０の一側部（本実施形態では右側部）に配設されている。
【０２９１】
すなわち、制御デバイス１１２の側面のうち識別情報が付された側面（右側面）は、重要回路領域Ｐ１が配設された遊技制御基板１１０の一側部（右側部）に対応する、すなわち重要回路領域Ｐ１が配設された遊技制御基板１１０の一側部（右側部）を向いているので、遊技制御基板１１０の一側部（右側部）を目視検査するだけで、重要回路領域Ｐ１だけでなく、制御デバイス１１２に付された識別情報も確認することができる。したがって、重要回路領域Ｐ１の目視検査に合わせて制御デバイス１１２の目視検査も行うことができるので、遊技制御基板１１０の目視検査を効率良く行うことが可能となる。
【０２９２】
また、第２実施形態の遊技機１０によれば、遊技制御基板１１０は、その外形が略矩形状を呈してなり、制御デバイス１１２は、その長手方向が遊技制御基板１１０の短手方向に沿うように実装されている。
【０２９３】
すなわち、制御デバイス１１２の長手方向が遊技制御基板１１０の短手方向に沿うように実装されているので、制御デバイス１１２の長手方向が遊技制御基板１１０の長手方向に沿うように実装されている場合や、制御デバイス１１２の長手方向が遊技制御基板１１０の短手方向や長手方向に対して斜めの方向に沿うように実装されている場合と比較して、重要回路領域Ｐ１と非重要回路領域Ｐ２とを明確に区別することが可能となる。
したがって、遊技制御基板１１０を制御デバイス１１２の外形に合わせて整然と区分けすることができ、略矩形状の遊技制御基板１１０上での重要回路領域Ｐ１と非重要回路領域Ｐ２との配置に無理が出ないので、遊技制御基板１１０の目視検査が行い易くなる。
【０２９４】
また、第２実施形態の遊技機１０によれば、重要回路領域Ｐ１に実装された複数の主電子部品１１１Ａは、表面（上面）に個体を識別するための識別子が付された面実装部品であり、当該識別子が制御デバイス１１２の一方の側面（本実施形態では右側面）に対応する遊技制御基板１１０の一側部側（本実施形態では右側部側）から視認可能となるように当該複数の主電子部品１１１Ａそれぞれに付された各識別子を揃えた状態で重要回路領域Ｐ１に実装され、制御デバイス１１２は、遊技制御基板１１０への実装時の高さが重要回路領域Ｐ１に実装された複数の主電子部品１１１Ａよりも背高な部品により構成されている、すなわち、当該複数の主電子部品１１１Ａよりも高さが高く、上方に突出している。
【０２９５】
すなわち、制御デバイス１１２の側面のうち識別情報が付された側面（右側面）は、重要回路領域Ｐ１が配設された遊技制御基板１１０の一側部（右側部）を向いているとともに、重要回路領域Ｐ１に実装されている主電子部品１１１Ａに付された識別子は、当該一側部（右側部）側から視認可能となるように揃えられているので、遊技制御基板１１０の一側部（右側部）側から目視検査するだけで、主電子部品１１１Ａに付された識別子と制御デバイス１１２に付された識別情報との双方を確認することができる。すなわち、目線の変更を行わずとも、主電子部品１１１Ａ及び制御デバイス１１２の目視検査を行うことができるので、遊技制御基板１１０の目視検査を効率良く行うことが可能となる。
また、制御デバイス１１２を境界として遊技制御基板１１０の一側部（右側面）を主に目視検査すれば良いが、遊技制御基板１１０への実装時の高さが重要回路領域Ｐ１に実装されている主電子部品１１１Ａよりも背高な部品によって制御デバイス１１２が構成されているので、制御デバイス１１２が判別し易く、遊技制御基板１１０の目視検査が行い易くなる。
【０２９６】
また、第２実施形態の遊技機１０によれば、遊技制御装置１００を識別するための識別情報が付された識別情報シール（本実施形態では管理番号シール１４０や機種シール１５０）を備え、基板ボックス１２０は、遊技制御基板１１０の表面１１０ａと対向する対向壁部（本実施形態では上壁２２０）を備え、管理番号シール１４０や機種シール１５０は、上壁２２０のうち非重要回路領域Ｐ２に対応する部分に貼着されている。
【０２９７】
すなわち、管理番号シール１４０や機種シール１５０は、上壁２２０のうち重要回路領域Ｐ１よりも目視検査の重要度が低い非重要回路領域Ｐ２に対応する部分に貼着されているので、管理番号シール１４０や機種シール１５０が遊技制御基板１１０の目視検査の妨げにならず、遊技制御基板１１０の目視検査が行い易くなる。
【０２９８】
また、第２実施形態の遊技機１０によれば、遊技制御基板１１０は、制御デバイス１１２が実装されるとともに、異なる機種の間において共通の仕様を実現する回路が形成された共通要素基板８１０と、共通要素基板８１０との間で制御信号等のやりとりを行うとともに、機種に固有の仕様を実現する回路が形成された機種要素基板８２０と、共通要素基板８１０と機種要素基板８２０とを遊技制御基板１１０の長手方向（本実施形態では左右方向）に沿うように横並び状態で接続する基板間コネクタ８３０と、を備え、制御デバイス１１２は、その長手方向が共通要素基板８１０と機種要素基板８２０との並び方向と直交する状態で共通要素基板８１０に実装され、重要回路領域Ｐ１は、共通要素基板８１０と機種要素基板８２０とに跨って配設されている。
【０２９９】
すなわち、遊技制御基板１１０は、異なる機種の間において共通の仕様を実現する回路が形成された共通要素基板８１０と、機種に固有の仕様を実現する回路が形成された機種要素基板８２０と、共通要素基板８１０と機種要素基板８２０とを接続する基板間コネクタ８３０と、を備えているので、異機種間での遊技制御基板の部分共有化を図ることができ、遊技制御基板１１０のリサイクルもし易くなる。
また、重要回路領域Ｐ１が共通要素基板８１０にも配設されているので、重要回路領域Ｐ１が機種要素基板８２０だけに配設されている場合と比較して、主電子部品１１１Ａの配置エリアを拡大することができ、基板設計の自由度が増す。
【０３００】
また、本実施形態の遊技機１０によれば、非重要回路領域Ｐ２には、遊技の進行に応じた遊技信号を第３者機関での検査用に出力するための検査用コネクタ１１７及び試験信号出力用ドライバＩＣ１１３（信号伝送用ＩＣ）を実装するための配線パターン（図示省略）が設けられ、第３者機関で検査を受けることで販売可能となった遊技機１０の場合には、当該配線パターンから検査用コネクタ１１７及び試験信号出力用ドライバＩＣ１１３が非実装となる（取り外されてなる）。
【０３０１】
すなわち、遊技機１０は非重要回路領域Ｐ２に実装されている検査用コネクタ１１７及び試験信号出力用ドライバＩＣ１１３が非実装（取り外された）状態で販売されるので、販売される量産販売品では部品点数が減ることになり、非重要回路領域Ｐ２の目視検査の重要度がより低下することになる。
【０３０２】
また、本実施形態の遊技機１０によれば、表面１１０ａに遊技制御用の電子部品１１１及びコネクタ１１６が実装される制御基板（遊技制御基板１１０）と、当該遊技制御基板１１０を内部に収納するための基板ボックス１２０と、を有する制御装置（遊技制御装置１００）を備えた遊技機１０において、遊技制御基板１１０は、所定の電子部品１１１が実装される第１基板（共通要素基板８１０）と、共通要素基板８１０との間で制御信号等のやりとりを行うことが可能な第２基板（機種要素基板８２０）と、共通要素基板８１０と機種要素基板８２０とを横並び状態で連結するとともに、当該共通要素基板８１０と当該機種要素基板８２０とを電気的に接続するための電気的接続部材（基板間コネクタ８３０）と、を備え、基板ボックス１２０は、複数のケース部材（本実施形態では第１ケース部材２００及び第２ケース部材３００）から構成され、複数のケース部材のうち一のケース部材（本実施形態では第２ケース部材３００）は、遊技制御基板１１０（共通要素基板８１０、機種要素基板８２０）の表面１１０ａを奥側（上側）に臨ませる状態で当該遊技制御基板１１０を取り付け可能な凹室状の基板取付部Ｔと、基板取付部Ｔに遊技制御基板１１０が取り付けられた際に基板間コネクタ８３０と係合することが可能な係合部（取り外し規制係合部９１０）と、を備え、取り外し規制係合部９１０は、遊技制御基板１１０の表面１１０ａ側において基板間コネクタ８３０と係合して当該遊技制御基板１１０が基板取付部Ｔから取り外されることを規制する。
【０３０３】
すなわち、遊技制御基板（片面実装タイプ）１１０は、表面１１０ａに電子部品１１１等が実装される基板であり、当該表面１１０ａを奥側（上側）に臨ませる状態で凹室状の基板取付部Ｔに取り付けられるので、遊技制御基板１１０の裏面側、すなわち基板取付部Ｔの開放側から遊技制御基板１１０の表面１１０ａに実装されている電子部品１１１等を交換するような操作を行うことができない。また、取り外し規制係合部９１０と基板間コネクタ８３０との係合によって遊技制御基板１１０が基板取付部Ｔから取り外されることを規制しているとともに、取り外し規制係合部９１０は遊技制御基板１１０の表面１１０ａ側において基板間コネクタ８３０と係合しているので、遊技制御基板１１０の裏面側、すなわち基板取付部Ｔの開放側から当該係合を解除するような操作を行うことができない。そのため、電子部品１１１の交換や遊技制御基板１１０の交換といった不正行為を抑制することが可能となる。
また、取り外し規制係合部９１０は共通要素基板８１０と機種要素基板８２０とを連結する基板間コネクタ８３０に係合しているので、共通要素基板８１０及び機種要素基板８２０の両方の取り外しを規制することができ、遊技制御基板１１０の一部を交換したり、遊技制御基板１１０の一部を不正に流用したりするといった不正行為を抑制することが可能となる。
このように、一のケース部材（第２ケース部材３００）に基板取付部Ｔと取り外し規制係合部９１０とを備えることによって、遊技制御基板１１０を分割構成とした場合であっても不正行為を抑制することが可能となっている。
【０３０４】
なお、本実施形態では、第２ケース部材３００を、当該第２ケース部材３００に取り付けられた遊技制御基板１１０の外周を囲繞することが可能な枠状を呈してなる部材としたが、これに限ることはなく、第２ケース部材３００によって凹室状の基板取付部Ｔが画成されているのであれば、第２ケース部材３００の上側（奥側）の少なくとも一部又は全部が閉塞されていても良い。
具体的には、例えば、第２ケース部材３００に、基板間コネクタ８３０の上面に対向する基板間コネクタ被覆壁を設けるよう構成しても良い。この場合、基板間コネクタ８３０が、第１ケース部材２００を構成する上壁２２０と、第２ケース部材３００に設けられた基板間コネクタ被覆壁と、の双方に被覆されるので、第１コネクタ８３１と第２コネクタ８３２との嵌合が外される等の基板間コネクタ８３０に対する不正行為を効果的に抑制することが可能となる。
【０３０５】
また、本実施形態では、取り外し規制係合部９１０を、第１コネクタ８３１のコネクタ係合部８３１ａと遊技制御基板１１０の表面１１０ａとの間に形成された間隙Ｑに対して遊技制御基板１１０の表面に沿う方向（本実施形態では前後方向）から進入することで、基板間コネクタ８３０を構成する第１コネクタ８３１のコネクタ係合部８３１ａと係合するよう構成したが、これに限ることはなく、取り外し規制係合部９１０は、遊技制御基板１１０の表面１１０ａ側において基板間コネクタ８３０と係合して当該遊技制御基板１１０が基板取付部Ｔから取り外されることを規制することができるのであれば、その構成等は任意である。
【０３０６】
また、第２実施形態の遊技機１０によれば、共通要素基板８１０に実装される電子部品１１１には、記憶された遊技プログラムに従って遊技の制御を行うことが可能な遊技用マイクロコンピュータ（制御デバイス１１２）が含まれ、基板間コネクタ８３０は、共通要素基板８１０に実装される第１コネクタ８３１と、第１コネクタ８３１と嵌合可能なように機種要素基板８２０に実装される第２コネクタ８３２と、からなり、取り外し規制係合部９１０は、第１コネクタ８３１に係合する。
【０３０７】
すなわち、取り外し規制係合部９１０は共通要素基板８１０に実装される第１コネクタ８３１に係合しているので、たとえ第１コネクタ８３１と第２コネクタ８３２との嵌合が外されて基板間コネクタ８３０による共通要素基板８１０と機種要素基板８２０との連結が解除されたとしても、共通要素基板８１０を基板取付部Ｔから取り外すことが困難となっている。共通要素基板８１０を基板取付部Ｔから取り外すためには、取り外し規制係合部９１０と第１コネクタ８３１との係合を解除する必要があるが、取り外し規制係合部９１０は遊技制御基板１１０の表面１１０ａ側において基板間コネクタ８３０（具体的には第１コネクタ８３１）と係合しているので、遊技制御基板１１０の裏面側、すなわち基板取付部Ｔの開放側から当該係合を解除するような操作を行うことはできない。そのため、電子部品１１１の中で最も重要とされる制御デバイス１１２が実装された共通要素基板８１０の取り外しを効果的に規制することが可能となる。
【０３０８】
また、第２実施形態の遊技機１０によれば、基板間コネクタ８３０は、共通要素基板８１０と機種要素基板８２０とをその並び方向（本実施形態では左右方向）から連結するよう構成されてなり、一のケース部材（第２ケース部材３００）は、基板取付部Ｔに遊技制御基板１１０が取り付けられた際に基板間コネクタ８３０を前記並び方向（左右方向）の両側から挟み込むことで、第１コネクタ８３１と第２コネクタ８３２との嵌合が外れることを規制する外れ規制部９２０（具体的には、左側の係合本体支持部９１２が有する当接片９１２ａ及び右側の係合本体支持部９１２が有する当接片９１２ａ）を備える。
【０３０９】
すなわち、基板取付部Ｔと取り外し規制係合部９１０とを備える一のケース部材（第２ケース部材３００）には、さらに第１コネクタ８３１と第２コネクタ８３２との嵌合が外れることを規制する外れ規制部９２０が備えられているので、基板取付部Ｔに遊技制御基板１１０が取り付けられた状態において、共通要素基板８１０と機種要素基板８２０との連結状態を確実に維持することが可能となる。
また、外れ規制部９２０によって第１コネクタ８３１と第２コネクタ８３２との嵌合が外れることを規制しているので、基板取付部Ｔに遊技制御基板１１０が取り付けられた状態においては、共通要素基板８１０及び機種要素基板８２０の何れか一方のみが取り外されるような事態を回避することができ、遊技制御基板１１０の一部を交換したり、遊技制御基板の一部を不正に流用したりするといった不正行為を抑制することが可能となる。
【０３１０】
また、第２実施形態の遊技機１０によれば、第１コネクタ８３１には、第２コネクタ８３２との嵌合状態において当該第２コネクタ８３２と係合するコネクタ係合部８３１ａが側部に設けられ、第２コネクタ８３２には、第１コネクタ８３１との嵌合状態においてコネクタ係合部８３１ａが係合するコネクタ係合受部８３２ａが設けられ、コネクタ係合部８３１ａは、遊技制御基板１１０の表面１１０ａとの間に所定の間隙Ｑを形成した状態で第２コネクタ８３２に向けて延設されてなり、取り外し規制係合部９１０は、間隙Ｑに対して遊技制御基板１１０の表面１１０ａに沿う方向から進入することで、コネクタ係合部８３１ａに係合する。
【０３１１】
すなわち、コネクタ係合部８３１ａは、遊技制御基板１１０の表面１１０ａとの間に所定の間隙Ｑを形成した状態で第１コネクタ８３１の側部から第２コネクタ８３２に向けて延設されてなり、取り外し規制係合部９１０は、当該間隙Ｑに対して遊技制御基板１１０の表面１１０ａに沿う方向から進入することでコネクタ係合部８３１ａに係合するので、遊技制御基板１１０の厚みを抑えた状態で取り外し規制係合部９１０とコネクタ係合部８３１ａとを係合させることが可能となる。
また、遊技制御基板１１０の表面１１０ａとコネクタ係合部８３１ａとの間に形成される間隙Ｑを利用して取り外し規制係合部９１０をコネクタ係合部８３１ａに係合させるので、取り外し規制係合部９１０が係合する係合受部を別途設ける必要がなく、係合構造を複雑化しないで済む。
【０３１２】
なお、基板間コネクタ８３０の前面と対向する位置に、取り外し規制係合部９１０を構成する係合本体部９１１（規制爪９１１ａ）を設けるよう構成したが、これに限ることはなく、取り外し規制係合部９１０が、間隙Ｑに対して遊技制御基板１１０の表面１１０ａに沿う方向から進入することで、コネクタ係合部８３１ａに係合するのであれば、例えば、係合本体部９１１（規制爪９１１ａ）は、開口閉塞部３１０の当接部３１１ａに設けられていても良い。
【０３１３】
また、第２実施形態の遊技機１０によれば、基板ボックス１２０は、当該基板ボックス１２０に収納された遊技制御基板１１０を透視可能な透明部材により構成されてなり、基板間コネクタ８３０は、遊技制御基板１１０に面実装される面実装部品により構成されている。
【０３１４】
すなわち、取り外し規制係合部９１０が係合する基板間コネクタ８３０は面実装部品により構成されているので、取り外し規制係合部９１０が係合する基板間コネクタが、実装用の端子部が遊技制御基板１１０の裏面側に貫通した状態で遊技制御基板１１０に実装される部品（いわゆるディップ部品）により構成されている場合と比較して、強引に遊技制御基板１１０を基板取付部Ｔから取り外そうとした際に遊技制御基板１１０又は基板間コネクタ８３０を破損し易くすることができ、遊技制御基板１１０を交換したり、遊技制御基板１１０を不正に流用したりするといった不正行為を抑制することが可能となる。
また、基板ボックス１２０が透明部材により構成されているので、たとえ遊技制御基板１１０が基板取付部Ｔから取り外されたとしても、その痕跡（具体的には遊技制御基板１１０又は基板間コネクタ８３０の破損等）を外部から視認することができるので、遊技制御基板１１０の取り外しを抑制することが可能となるとともに、遊技制御基板１１０の取り外しを発見し易くすることが可能となる。
【０３１５】
また、第２実施形態の遊技機１０によれば、一のケース部材（第２ケース部材３００）は、遊技制御基板１１０の表面１１０ａと対向する対向壁部（本実施形態では上方閉塞部３１１）を有し、上方閉塞部３１１には、コネクタ１１６を基板ボックス１２０の外部に露出させるためのコネクタ用開口３１２が形成され、制御デバイス１１２以外の電子部品１１１は、面実装部品により構成されて遊技制御基板１１０に面実装され、コネクタ１１６は、実装用の端子部（脚部１１６ａ）が遊技制御基板１１０の裏面側に貫通した状態で遊技制御基板１１０に実装される。
【０３１６】
すなわち、制御デバイス１１２以外のその他の電子部品１１１は面実装部品であるので、制御デバイス１１２以外のその他の電子部品が、実装用の端子部が遊技制御基板１１０の裏面側に貫通した状態で遊技制御基板１１０に実装される部品（いわゆるディップ部品）である場合と比較して、基板ボックス１２０の内部の大きさを抑制することができ、基板ボックス１２０の小型化が可能となる。
また、コネクタ１１６を基板ボックス１２０の外部に露出させるためのコネクタ用開口３１２を備えているが、コネクタ１１６は、コネクタ１１６の脚部１１６ａが遊技制御基板１１０の裏面側に貫通した状態で遊技制御基板１１０に実装される部品（いわゆるディップ部品）であるので、コネクタ用開口３１２から針金やピアノ線などの不正部材が挿入されても、コネクタ１１６の脚部１１６ａへの不正アクセス等を回避することが可能となる。すなわち、コネクタ１１６が面実装部品である場合、コネクタ１１６の脚部１１６ａが遊技制御基板１１０の表面１１０ａから突出しているので、端子カバー部材１６０を備えないと、コネクタ用開口３１２から挿入された針金やピアノ線などの不正部材によりコネクタ１１６の脚部１１６ａが不正行為に晒される可能性があるが、コネクタ１１６をいわゆるディップ部品とすることで、端子カバー部材１６０を備えなくても、そのような不正行為を回避することが可能となる。
【０３１７】
また、第２実施形態の遊技機１０によれば、共通要素基板８１０には、遊技の進行に応じた遊技信号を第３者機関での検査用に出力するための検査用コネクタ１１７及び試験信号出力用ドライバＩＣ１１３（信号伝送用ＩＣ）を実装するための配線パターン（図示省略）が設けられ、第３者機関で検査を受けることで販売可能となった遊技機１０の場合には、当該配線パターンから検査用コネクタ１１７及び試験信号出力用ドライバＩＣ１１３が非実装となる（取り外されてなる）。
【０３１８】
すなわち、遊技機１０は共通要素基板８１０に実装されている検査用コネクタ１１７及び試験信号出力用ドライバＩＣ１１３が非実装（取り外された）状態で販売されるので、販売される量産販売品では部品点数が減ることとなり、共通要素基板８１０のコストダウンを図ることができる。
【０３１９】
また、第２実施形態の遊技機１０によれば、揮発性メモリ（ＲＡＭ１０１１Ｃ）を有する遊技用マイクロコンピュータ（制御デバイス１１２）が実装される遊技制御用の制御基板（遊技制御基板１１０）と、当該遊技制御基板１１０を内部に収納するための基板ボックス１２０と、を有する制御装置（遊技制御装置１００）を備えた遊技機１０において、停電時においてもＲＡＭ１０１１Ｃの記憶情報が保持されるように制御デバイス１１２にバックアップ電源を供給するバックアップ電源手段（バックアップ電源部９２）を備え、遊技制御基板１１０は、制御デバイス１１２が実装されるとともに、異なる機種の間において共通の仕様を実現する回路が形成された共通要素基板８１０と、共通要素基板８１０との間で制御信号等のやりとり動作を行うとともに、機種に固有の仕様を実現する回路が形成された機種要素基板８２０と、共通要素基板８１０と機種要素基板８２０とを着脱可能とするとともに、当該共通要素基板８１０と当該機種要素基板８２０とを電気的に接続するための電気的接続部材（基板間コネクタ８３０）と、を備え、バックアップ電源部９２によるバックアップ電源が機種要素基板８２０から基板間コネクタ８３０を介して共通要素基板８１０に供給されるよう構成されている。
【０３２０】
したがって、バックアップ電源が基板間コネクタ８３０を介して機種要素基板８２０から共通要素基板８１０に供給されるよう構成されているので、共通要素基板８１０と機種要素基板８２０との間の電気的な接続が切断されると、共通要素基板８１０のＲＡＭ１０１１Ｃへのバックアップ電源の供給が停止される。したがって、機種要素基板８２０の取り外しにより共通要素基板８１０へのバックアップ電源の供給が停止され、ＲＡＭ１０１１Ｃの記憶情報が消去されて初期化されるので、機種要素基板の再接続時に揮発性メモリに記憶された情報による誤動作や故障を防止することが可能となる。
すなわち、共通要素基板８１０と機種要素基板８２０とを再装着した後に遊技機１０への電源投入が行われると、ＲＡＭ１０１１Ｃの記憶情報に従って遊技状態を復帰しようと共通要素基板８１０と機種要素基板８２０との間で制御信号等のやりとりが行われる。この際、機種要素基板を取り外してもＲＡＭの記憶情報が消去されずに保持されたままだと、例えば再装着前の機種要素基板とは異なる機種用の機種要素基板が再装着された場合、再装着後に共通要素基板と機種要素基板との間で正常な制御信号等のやりとりが行われず、誤作動や故障の原因となってしまうという問題がある。これに対し、機種要素基板８２０が取り外されるとＲＡＭ１０１１Ｃの記憶情報が消去されて初期化されるよう構成しているので、例えば再装着前の機種要素基板８２０とは異なる機種用の機種要素基板が再装着された場合であっても、再装着後に共通要素基板８１０と機種要素基板との間で正常な制御信号等のやりとりが行われ、当該問題を回避することが可能となる。
【０３２１】
また、本実施形態の遊技機１０によれば、制御デバイス１１２は、遊技の進行に応じた遊技信号を第３者機関での検査用に出力するための検査用コネクタ１１７及び試験信号出力用ドライバＩＣ１１３を実装するための配線パターン（図示省略）よりも基板間コネクタ８３０寄りに実装されている。
【０３２２】
したがって、検査用コネクタ１１７及び試験信号出力用ドライバＩＣ１１３が非実装となる（取り外される）ことによって配線パターンはノイズを拾い易くなるが、制御デバイス１１２は、当該配線パターンよりも基板間コネクタ８３０寄りに実装されているので、当該配線パターンが拾ったノイズの影響を受け難くなる。
また、制御デバイス１１２は基板間コネクタ８３０寄りに実装されているので、制御デバイス１１２と基板間コネクタ８３０との間の配線パターンを短くすることができ、基板間コネクタ８３０を使用した場合であっても、遊技制御基板１１０のノイズ耐性の低下を防止することが可能となる。
【０３２３】
なお、前述したように、電源装置９０のうち、バックアップ電源部９２及び制御信号生成部９３は、遊技制御基板１１０上に設けるように構成しても良い。この場合、バックアップ電源部９２及び制御信号生成部９３は、バックアップ電源部９２によるバックアップ電源が機種要素基板８２０から基板間コネクタ８３０を介して共通要素基板８１０に供給されるよう、遊技制御基板１１０のうち機種要素基板８２０に設けると、機種要素基板８２０の取り外しにより共通要素基板８１０へのバックアップ電源の供給が停止され、ＲＡＭ１０１１Ｃの記憶情報が消去されて初期化されるので、誤動作や故障を防止することが可能となる。
【０３２４】
また、本実施形態の遊技機１０によれば、バックアップ電源部９２を有する電源装置９０を遊技制御装置１００とは別個に備え、機種要素基板８２０には、電源装置９０と接続する電源用コネクタ１１９が実装されている。
【０３２５】
すなわち、機種要素基板８２０に電源装置９０と接続する電源用コネクタ１１９が実装されているので、機種要素基板８２０の取り外しにより確実に共通要素基板８１０へのバックアップ電源の供給を停止することができ、誤動作や故障を防止することが可能となる。
【０３２６】
なお、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【０３２７】
例えば、遊技制御基板１１０の形状を矩形状としたが、これに限ることはなく、遊技制御基板１１０の形状は略四角形状等の所定の形状であれば任意であり、例えば、正方形であっても良い。
【０３２８】
また、第２ケース部材３００に遊技制御基板１１０を取り付けるよう構成したが、これに限ることはなく、収納空間Ｓ＊を画成する第１ケース部材２００に遊技制御基板１１０を取り付けるよう構成しても良い。
【０３２９】
また、挿入開口２００ａを第１ケース部材２００の長手方向に沿った互いに対向する側部のうちの何れか一方に設けて、第１ケース部材２００に対して第２ケース部材３００を着脱する際、第１ケース部材２００の短手方向に沿って第２ケース部材３００をスライドさせるよう構成したが、これに限ることはなく、挿入開口２００ａを第１ケース部材２００の短手方向に沿った互いに対向する側部のうちの何れか一方に設けて、第１ケース部材２００に対して第２ケース部材３００を着脱する際、第１ケース部材２００の長手方向に沿って第２ケース部材３００をスライドさせるよう構成しても良い。この場合、挿入開口２００ａを第１ケース部材２００の長手方向に沿った互いに対向する側部のうちの何れか一方に設ける場合と比較して、第１ケース部材２００と第２ケース部材３００との接合部分が少なくなるので、遊技制御装置１００への不正行為を一層回避することができる。
【０３３０】
また、第１ケース部材２００にスライドガイド溝部２２２を備え、第２ケース部材３００にスライド部（スライドガイド壁３３２ａ）を備えるよう構成したが、これに限ることはなく、第２ケース部材３００にスライドガイド溝部を備え、第１ケース部材２００に当該スライドガイド溝部に沿って移動可能なスライド部（スライドガイド壁）を備えるよう構成しても良い。
【０３３１】
また、囲繞カバー本体支持部３３２を、閉止状態において第１ケース部材２００の上壁２２０に下方から重合して露出用切欠部２２１を塞ぐよう構成したが、これに限ることはなく、囲繞カバー本体支持部３３２を、閉止状態において第１ケース部材２００の上壁２２０に上方から重合して露出用切欠部２２１を塞ぐよう構成しても良い。
【０３３２】
また、挿入開口２００ａを第１ケース部材２００の側部（具体的には、左側部の一部（後部）、後側部及び右側部の一部（後部））から第１ケース部材２００の上部の一部（後部）にかけて開口するよう構成したが、これに限ることはなく、挿入開口２００ａは、第１ケース部材２００に対する第２ケース部材３００のスライド挿入が可能となるよう、第１ケース部材２００の少なくとも一側部に形成されていれば良く、例えば、第１ケース部材２００の後側部（第１ケース部材２００の一の側部）から第１ケース部材２００の上部の一部にかけて開口するものであっても（すなわち、左側壁２３０及び右側壁２４０の前後方向の長さが下壁２１０の前後方向の長さと略同一となるよう構成しても）良いし、第１ケース部材２００の後側部のみに開口するものであっても（すなわち、上壁２２０、左側壁２３０及び右側壁２４０の前後方向の長さが下壁２１０の前後方向の長さと略同一となるよう構成しても）良い。
【０３３３】
また、係合受部を貫通孔（右第２外側固着部５２２の内部）によって構成するとともに、係合部を保護カバー部材７００の内面に形成されて当該貫通孔に嵌まる突起部（突起部７０２ａ）によって構成するようにしたが、これに限ることはなく、保護カバー部材７００と、第１固着部及び第２固着部と、のうちの何れか一方に、係合部が形成されているとともに、何れか他方に、当該係合部が係合する係合受部が形成されており、係合部が係合受部に係合することで保護カバー部材７００を当該第１固着部及び当該第２固着部に取り付けることができるのであれば、例えば、係合受部を保護カバー部材７００側に形成するとともに、係合部を第１固着部及び／又は第２固着部側に形成するよう構成しても良い。
【０３３４】
また、右側端封止手段５００に貼着領域Ｒを形成するとともに、右側端封止手段５００に保護カバー部材７００を取り付けるよう構成したが、これに限ることはなく、左側端封止手段４００を右側端封止手段５００のように長尺状に形成して、左側端封止手段４００に貼着領域Ｒを形成するとともに、左側端封止手段４００に保護カバー部材７００を取り付けるよう構成しても良い。この場合、右側端封止手段５００は長尺状に形成しなくても良い。
【０３３５】
また、左固着部材４３０、右固着部材５３０を螺合するねじ止め部（固着受部）が内部に形成されたねじ受部（具体的には、左第１内側固着部４１１、左第２外側固着部４２２、右第１内側固着部５１１、右第１外側固着部５１２）に、ナットとなるインサートパイプを内蔵させるよう構成しても良い。この場合、左固着部材４３０、右固着部材５３０による固着を一層強固なものとすることが可能となる。
また、左固着部材４３０、右固着部材５３０をワンウェイねじではなく、リベットのようなピン状の締結部材により構成しても良い。
【０３３６】
また、複数個（上記実施形態では３個）の溶着封止手段６００の全てを、第１ケース部材２００と第２ケース部材３００とを最初に結合するための主固着部としたが、これに限ることはなく、複数個の溶着封止手段６００のうちの一部を主固着部とし、残りを当該主固着部による結合の解除後に第１ケース部材２００と第２ケース部材３００とを再結合するための副固着部としても良い。
すなわち、複数個の溶着封止手段６００の全てにおいて、溶着部材６３０を第１溶着受部６１０と第２溶着受部６２０とに溶着した状態で遊技機１０を出荷するよう構成したが、これに限ることはなく、複数個の溶着封止手段６００のうちの一部の溶着封止手段６００において、溶着部材６３０を第１溶着受部６１０と第２溶着受部６２０とに溶着するとともに、残りの溶着封止手段６００において、溶着部材６３０を第１溶着受部６１０に収容して嵌入させて第２溶着受部６２０の突出部６２２と係合させた状態で、遊技機１０を出荷するよう構成しても良い。
【０３３７】
また、基板ボックス１２０を構成するケース部材として、第１ケース部材２００と、当該第１ケース部材２００にスライド挿入可能な第２ケース部材３００と、を採用したが、これに限ることはなく、封止手段の構成が上記した構成の何れかであれば、ケース部材の構成は任意であり、例えば、基板ボックス１２０を構成するケース部材として、上方に開口する下蓋と、下方に開口する上蓋と、を採用しても良い。
【０３３８】
また、第２ケース部材３００の所定部位を前側部３２３とし、第１ケース部材２００のうち当該所定部位と対向する所定の壁部を前側壁２５０としたが、これに限ることはなく、第２ケース部材３００の所定部位は、第２ケース部材３００を構成する何れかの部位であれば良く、また、第１ケース部材２００の所定の壁部は、第１ケース部材２００を構成する何れかの壁部のうち当該所定部位と対向する壁部であれば良い。
【０３３９】
以上、本発明をパチンコ遊技機に適用した場合について説明したが、本発明は、上記実
施形態に示されるようなパチンコ遊技機に限定されるものではなく、例えば、その他のパチンコ遊技機、アレンジボール遊技機、雀球遊技機などの遊技機を使用する全ての遊技機に適用可能である。
【０３４０】
次に、本出願に含まれる他の発明について説明する。
従来の制御装置では、不正行為の対象となる電子部品と不正行為の対象とならない電子部品とが混在した状態で制御基板に実装されていたため、遊技場で目視検査を行う場合には、制御基板全体を確認する必要があり、検査効率が非常に悪いという問題があった。
本出願に含まれる他の発明はこのような課題に鑑みてなされたものであり、制御基板の目視検査を効率良く行う（目視検査を行い易くする）ことが可能な制御装置を備えた遊技機を提供することを目的とする。
【０３４１】
以上の課題を解決するため、本出願の他の発明は、
制御プログラムに基づいて演算処理を実行する演算処理装置が表面に実装される遊技制御用の制御基板と、当該制御基板を内部に収納するための透明な基板ボックスと、を有する制御装置を備えた遊技機において、
前記制御基板は、
目視検査の必要性がある複数の主電子部品が集中的に実装された重要回路領域と、
目視検査の必要性が前記主電子部品よりも低い副電子部品が集中的に実装された非重要回路領域と、を備え、
前記重要回路領域は、前記演算処理装置を境界として前記制御基板の一側部に配設され、
前記非重要回路領域は、前記演算処理装置を挟んで前記重要回路領域とは反対となる前記制御基板の他側部に配設するようにした。
【０３４２】
かかる発明によれば、演算処理装置を境界として、制御基板の一側部に、主電子部品が集中的に実装された重要回路領域が配設されているとともに、制御基板の他側部に、副電子部品が集中的に実装された非重要回路領域が配設されており、非重要回路領域は、重要回路領域よりも目視検査の必要性（重要度）が低いので、演算処理装置を境界として制御基板の一側部を主に目視検査すれば良い。したがって、主電子部品と副電子部品とが混在した状態で制御基板に実装されている場合は制御基板全体を目視検査する必要があるが、この場合と比較して、制御基板の目視検査を効率良く行うことが可能となる。なお、主電子部品とは、例えばカウンタ機能を有するＩＣやスイッチング機能を有するＩＣ等であり、副電子部品とは、例えばプルアップ抵抗やダイオード等である。
【０３４３】
また、さらに他の発明は、上記のような遊技機において、
前記演算処理装置は、一方向に長尺な外形を呈しているとともに、長手方向に沿った一方の側面に識別情報が付されてなり、
前記重要回路領域は、前記演算処理装置の長手方向を境界として前記一方の側面に対応する前記制御基板の一側部に配設するようにした。
【０３４４】
かかる発明によれば、演算処理装置の側面のうち識別情報が付された側面は、重要回路領域が配設された制御基板の一側部に対応する、すなわち重要回路領域が配設された制御基板の一側部を向いているので、制御基板の一側部を目視検査するだけで、重要回路領域だけでなく、演算処理装置に付された識別情報も確認することができる。したがって、重要回路領域の目視検査に合わせて演算処理装置の目視検査も行うことができるので、制御基板の目視検査の効率が向上する。
【０３４５】
さらに他の発明は、上記のような遊技機において、
前記制御基板は、その外形が略矩形状を呈してなり、
前記演算処理装置は、その長手方向が前記制御基板の短手方向に沿うように実装するようにした。
【０３４６】
かかる発明によれば、演算処理装置の長手方向が制御基板の短手方向に沿うように実装されているので、演算処理装置の長手方向が制御基板の長手方向に沿うように実装されている場合や、演算処理装置の長手方向が制御基板の短手方向や長手方向に対して斜めの方向に沿うように実装されている場合と比較して、重要回路領域と非重要回路領域とを明確に区別することが可能となる。
したがって、制御基板を演算処理装置の外形に合わせて整然と区分けすることができ、略矩形状の制御基板上での重要回路領域と非重要回路領域との配置に無理が出ないので、制御基板の目視検査が行い易くなる。
【０３４７】
さらに他の発明は、上記のような遊技機において、
前記複数の主電子部品は、表面に個体を識別するための識別子が付された面実装部品であり、当該識別子が前記演算処理装置の前記一方の側面に対応する前記制御基板の前記一側部側から視認可能となるように当該複数の主電子部品それぞれに付された各識別子を揃えた状態で前記重要回路領域に実装され、
前記演算処理装置は、前記制御基板への実装時の高さが前記複数の主電子部品よりも背高な部品により構成するようにした。
【０３４８】
かかる発明によれば、演算処理装置の側面のうち識別情報が付された側面は、重要回路領域が配設された制御基板の一側部を向いているとともに、重要回路領域に実装されている主電子部品に付された識別子は、当該一側部側から視認可能となるように揃えられているので、制御基板の一側部側から目視検査するだけで、主電子部品に付された識別子と演算処理装置に付された識別情報との双方を確認することができる。すなわち、目線の変更を行わずとも、主電子部品及び演算処理装置の目視検査を行うことができるので、制御基板の目視検査の効率が向上する。
また、演算処理装置を境界として制御基板の一側部を主に目視検査すれば良いが、制御基板への実装時の高さが重要回路領域に実装されている主電子部品よりも背高な部品によって演算処理装置が構成されているので、演算処理装置が判別し易く、制御基板の目視検査が行い易くなる。
【０３４９】
さらに他の発明は、上記のような遊技機において、
前記制御装置を識別するための識別情報が付された識別情報シールを備え、
前記基板ボックスは、前記制御基板の前記表面と対向する対向壁部を備え、
前記識別情報シールは、前記対向壁部のうち前記非重要回路領域に対応する部分に貼着するようにした。
【０３５０】
かかる発明によれば、識別情報シールは、対向壁部のうち重要回路領域よりも目視検査の重要度が低い非重要回路領域に対応する部分に貼着されているので、識別情報シールが制御基板の目視検査の妨げにならず、制御基板の目視検査が行い易くなる。
【０３５１】
さらに他の発明は、上記のような遊技機において、
前記制御基板は、
前記演算処理装置が実装されるとともに、異なる機種の間において共通の仕様を実現する回路が形成された共通要素基板と、
前記共通制御基板との間で制御信号のやりとりを行うとともに、機種に固有の仕様を実現する回路が形成された機種要素基板と、
前記共通要素基板と前記機種要素基板とを前記制御基板の長手方向に沿うように横並び状態で接続する基板間コネクタと、を備え、
前記演算処理装置は、その長手方向が前記共通要素基板と前記機種要素基板との並び方向と直交する状態で前記共通要素基板に実装され、
前記重要回路領域は、前記共通要素基板と前記機種要素基板とに跨って配設するようにした。
【０３５２】
かかる発明によれば、制御基板は、異なる機種の間において共通の仕様を実現する回路が形成された共通要素基板と、機種に固有の仕様を実現する回路が形成された機種要素基板と、共通要素基板と機種要素基板とを接続する基板間コネクタと、を備えているので、異機種間での制御基板の部分共有化を図ることができ、制御基板のリサイクルもし易くなる。
また、重要回路領域が共通要素基板にも配設されているので、重要回路領域が機種要素基板だけに配設されている場合と比較して、主電子部品の配置エリアを拡大することができ、基板設計の自由度が増す。
【０３５３】
さらに他の発明は、上記のような遊技機において、
前記非重要回路領域には、遊技の進行に応じた遊技信号を第３者機関での検査用に出力するための検査用コネクタ及び信号伝送用ＩＣを実装するための配線パターンが設けられ、
前記第３者機関で検査を受けることで販売可能となった遊技機の場合には、前記配線パターンに対して前記検査用コネクタ及び前記信号伝送用ＩＣが非実装とするようにした。
【０３５４】
かかる発明によれば、遊技機は非重要回路領域に実装されている検査用コネクタ及び信号伝送用ＩＣが非実装状態で販売されるので、販売される量産販売品では部品点数が減ることになり、非重要回路領域の目視検査の重要度がより低下することになる。
本発明によれば、演算処理装置を境界として、制御基板の一側部に、主電子部品が集中的に実装された重要回路領域が配設されているとともに、制御基板の他側部に、副電子部品が集中的に実装された非重要回路領域が配設されており、非重要回路領域は、重要回路領域よりも目視検査の必要性（重要度）が低いので、演算処理装置を境界として制御基板の一側部を主に目視検査すれば良い。したがって、主電子部品と副電子部品とが混在した状態で制御基板に実装されている場合は制御基板全体を目視検査する必要があるが、この場合と比較して、制御基板の目視検査を効率良く行うことが可能となる。
【符号の説明】
【０３５５】
１０  遊技機
９０  電源装置
９２  バックアップ電源部（バックアップ電源手段）
１００  遊技制御装置（制御装置）
１１０  遊技制御基板（制御基板）
１１０ａ  表面
１１１  電子部品
１１１Ａ  主電子部品
１１１Ｂ  副電子部品
１１２  制御デバイス（演算処理装置、遊技用マイクロコンピュータ）
１１３  試験信号出力用ドライバＩＣ（信号伝送用ＩＣ）
１１６  コネクタ
１１６ａ  脚部（実装用の端子部）
１１７  検査用コネクタ
１１９  電源用コネクタ
１２０  基板ボックス
１４０  管理番号シール（識別情報シール）
１５０  機種シール（識別情報シール）
２００  第１ケース部材（ケース部材）
２２０  上壁（対向壁部）
３００  第２ケース部材（ケース部材、一のケース部材）
３１０  開口閉塞部
３１１  上方閉塞部（対向壁部）
３１１ａ  当接部
３１２  コネクタ用開口
８１０  共通要素基板（第１基板）
８２０  機種要素基板（第２基板）
８３０  基板間コネクタ（電気的接続部材）
８３１  第１コネクタ
８３１ａ  コネクタ係合部
８３２  第２コネクタ
８３２ａ  コネクタ係合受部
９１０  取り外し規制係合部（係合部）
９１１  係合本体部
９１１ａ  規制爪
９１２  係合本体支持部
９１２ａ  当接片
９２０  外れ規制部
１０１１Ｃ  ＲＡＭ（揮発性メモリ）
Ｐ１  重要回路領域
Ｐ２  非重要回路領域
Ｑ  間隙
Ｔ  基板取付部
【図１】
0005981966.tif 000002
【図２】
0005981966.tif 000003
【図３】
0005981966.tif 000004
【図４】
0005981966.tif 000005
【図５】
0005981966.tif 000006
【図６】
0005981966.tif 000007
【図７】
0005981966.tif 000008
【図８】
0005981966.tif 000009
【図９】
0005981966.tif 000010
【図１０】
0005981966.tif 000011
【図１１】
0005981966.tif 000012
【図１２】
0005981966.tif 000013
【図１３】
0005981966.tif 000014
【図１４】
0005981966.tif 000015
【図１５】
0005981966.tif 000016
【図１６】
0005981966.tif 000017
【図１７】
0005981966.tif 000018
【図１８】
0005981966.tif 000019
【図１９】
0005981966.tif 000020
【図２０】
0005981966.tif 000021
【図２１】
0005981966.tif 000022
【図２２】
0005981966.tif 000023
【図２３】
0005981966.tif 000024
【図２４】
0005981966.tif 000025
【図２５】
0005981966.tif 000026
【図２６】
0005981966.tif 000027
【図２７】
0005981966.tif 000028
【図２８】
0005981966.tif 000029
【図２９】
0005981966.tif 000030
【図３０】
0005981966.tif 000031
【図３１】
0005981966.tif 000032
【図３２】
0005981966.tif 000033
【図３３】
0005981966.tif 000034
【図３４】
0005981966.tif 000035
【図３５】
0005981966.tif 000036
【図３６】
0005981966.tif 000037
【図３７】
0005981966.tif 000038